(57)【特許請求の範囲】
【請求項１】
表表紙部、裏表紙部及び表表紙部と裏表紙部との間に介在する背表紙部を有する表紙体と、
複数の綴杆部、前記綴杆部を連結するための連結領域、前記綴杆部を構成する綴杆を開閉させるときの中心となる枢結領域を備える綴具と、
前記綴具を表紙体の内側に取り付けるための取付部材とを備え、
前記連結領域は、表表紙部及び／又は裏表紙部並びに綴杆部に綴じられたリーフを綴杆に沿って捲り、略３６０度捲りかえし、閉じたときに両端にあるリーフの表側と裏側とが連結領域を挟んで向かい合うことができるように、綴杆の基部と近接した位置に連結領域を連設され、
前記取付部材は、表紙体に固定されるための定形部と変形部とを備え、
綴杆の綴杆係止部を連結領域の長手方向に移動させて脱係できるように、綴杆部及び／又は連結領域及び／又は枢結領域を変形部の貫挿孔に回動自在に貫挿され、
前記表紙体は、略３６０度捲りかえすことができるように、前記綴杆部を構成する綴杆を開閉させるときの中心となる連結領域の長手方向に沿って手前側から向こう側に亘って連続して形成された、山折り又は谷折りに折り曲げるための折曲部を備え、
前記綴具の連結領域及び取付部材の定形部は、前記折曲部の近傍に位置して、綴杆部に綴じられたリーフを綴杆に沿って捲り、略３６０度捲りかえすことができるように構成された、帳面。
【請求項２】
前記表紙体は、
背表紙部の幅方向における略中央に背表紙部の長手方向にのびる折曲部及び／又は屈曲部を形成され、
あるいは、表表紙部又は裏表紙部において、背表紙部に近い位置に、表表紙部又は裏表紙部の長手方向にのびる折曲部及び／又は屈曲部を形成され、
前記取付部材の貫挿孔は、貫挿孔に緩挿された綴具が背表紙部の近くに位置し且つ表紙体をヒンジ部及び／又は折曲部において略３６０度捲りかえしたときに折曲部の近くに位置するように綴具を取り付けられる部位に形成されるとともに、折曲部及び／又は屈曲部との間に綴具の連結領域及び／又は枢結領域の幅以上の間隔をおいて、表紙体を閉じたときには綴具が表紙体の内面に位置し、表紙体を開いたときには、綴具が表紙体の内面から離れて折り曲げられた折曲部の近くに位置するように形成され、
前記綴具は、連結領域及び／又は枢結領域を、表紙体を閉じたときに表紙体の内側の近くに位置し、且つ表紙体を開いたときに表紙体の内側から外れた外側で折曲部の近くに位置するように、取付部材の変形部に取り付けられた、請求項１に記載の帳面。
【請求項３】
前記取付部材の変形部は、固定部との境界から、内方に向けて立ち上げられた平板状体又は筒状体により構成され、立ち上げられた領域に貫挿孔を形成され、
綴具の綴杆部及び／又は連結領域及び／又は枢結領域を開閉自在に貫挿され、立ち上げられた変形部の高い領域が綴杆部の内側に至り、綴具が表紙体の背表紙部又は背表紙部の近くの内側面に取り付けられた、請求項１に記載の帳面。
【請求項４】
表表紙部、裏表紙部及び表表紙部と裏表紙部との間に介在する背表紙部を有する表紙体と、
複数の綴杆部、前記綴杆部を連結するための連結領域、前記綴杆部を構成する綴杆を開閉させるときの中心となる枢結領域を備える綴具と、
前記綴具を表紙体の内側に取り付けるための取付部とを備え、
前記綴杆部を構成する綴杆は、一対の綴杆が向き合うように、一対の連結領域の各々にその長手方向に適宜な間隔をおいて、連結領域の外側部ないし上側部から突設され、綴杆係止部が連結領域の長手方向に移動して開閉するように形成され、
前記連結領域は、表表紙部及び／又は裏表紙部並びに綴杆部に綴じられたリーフを綴杆に沿って捲り、略３６０度捲りかえし、閉じたときに両端にあるリーフの表側と裏側とが連結領域を挟んで向かい合うことができるように、綴杆の基部と近接した位置に連結領域を連設され、
前記表紙体は、背表紙部と表表紙部との間及び背表紙部と裏表紙部との間にヒンジ部を形成され、背表紙部の内側で該ヒンジ部から離れた位置において、表表紙部、裏表紙部及び背表紙部のうちいずれか１つに綴具を取り付けるための取付部を形成され、
前記表紙体に形成された取付部は、変形部を備え、該変形部は、綴杆部に綴じられたリーフを略３６０度捲りかえすことができるように、前記綴杆部を構成する綴杆を開閉させるときの中心となる連結領域の長手方向に沿って手前側から向こう側に亘って連続して形成された、山折り又は谷折りに折り曲げるための折曲部を、屈曲部から表紙体の内方に向けて立ち上げて形成され、又は、屈曲部を折曲部として、綴杆部に綴じられたリーフを略３６０度捲りかえすことができるように、前記綴杆部を構成する綴杆を開閉させるときの中心となる連結領域の長手方向に沿って手前側から向こう側に亘って連続して形成された、山折り又は谷折りに折り曲げるための折曲部を、表紙体の内方に向けて立ち上げて形成され、
前記変形部は、綴杆の綴杆係止部を連結領域の長手方向に移動させて脱係できるように、綴具の綴杆部を回動自在に貫挿させる貫挿孔を形成され、
前記取付部の貫挿孔に貫挿された綴具の連結領域は、前記折曲部及び／又は屈曲部の近傍に位置させて、前記綴杆の先端を合わせて閉鎖するとき及び綴杆の先端の綴杆係止部を離間させ、表表紙部及び／又は裏表紙部並びに綴杆部に綴じられたリーフを綴杆に沿って捲り、略３６０度捲りかえすことができるように構成された、帳面。
【請求項５】
前記表紙体は、
背表紙部の幅方向における略中央に背表紙部の長手方向にのびる折曲部及び／又は屈曲部を形成され、
あるいは、表表紙部又は裏表紙部において、背表紙部に近い位置に、表表紙部又は裏表紙部の長手方向にのびる折曲部及び／又は屈曲部を形成され、
前記取付部の貫挿孔は、表紙体をヒンジ部及び／又は折曲部において略３６０度捲りかえしたときに対向する表表紙部及び裏表紙部の間であって折曲部の近くに位置するように、綴具を取り付けられる部位に形成され、且つ前記折曲部及び／又は屈曲部との間に綴具の連結領域及び／又は枢結領域の幅以上の間隔をおいて形成され、
前記綴具は、表紙体の外側であって背表紙部に近い位置に位置して、第１綴具部材及び第２綴具部材の一方又は両方において前記貫挿孔に緩挿されて、取付部に取り付けられ、
表紙体を閉じたときには、綴具の綴杆部が表紙体の内面に位置し、表紙体を開いたときには、綴具の綴杆部が表紙体の内面から離れて折り曲げられた折曲部の近くに位置するように形成された、請求項４に記載の帳面。
【請求項６】
前記取付部は、
表紙体に形成された屈曲部において、一部を内方に向けて立ち上げられて構成され、
立ち上げられた領域に貫挿孔を形成され、立ち上げられた取付部の高い領域が綴杆の内側に至り、
綴具の綴杆部を開閉自在に貫挿されて、綴具を表紙体の背表紙部又は背表紙部の近くの外側面に取り付けられた、請求項４に記載の帳面。
【発明の詳細な説明】
【技術分野】
【０００１】
この発明は、手帳、ノート、帳簿、冊子等の帳面に関するものであり、特に、例えば、セルリング式ノート又は綴じ穴のあるリーフを綴じる手帳類、ファイル・バインダ等の帳面に関する。
【背景技術】
【０００２】
従来、リング状の部材を用いて、穴の開いたリーフを綴じていたノートは、そのリングの形状に沿って、３６０°リーフを広げること、すなわち開くだけでなく、リーフを折り返しノートの表面側と裏面側とを重ねることができ、１８０度しか開かないノートと比して半分のスペースで活用することができた。しかし、このセルリング式ノートは、リーフの差し替えができない欠点があった。
一方、特許第３４４０３５６号及び実開平７−１７５７８号の綴具を用いたノート並びに米国特許公開２００６／００２４１２４号のバインダ、すなわちリーフを綴じる綴杆部が開閉可能なノートやバインダは、リーフの差し替えが可能である。
【先行技術文献】
【特許文献】
【０００３】
【特許文献１】特許第３４４０３５６号
【特許文献２】実開平７−１７５７８号
【特許文献３】米国特許公開２００６／００２４１２４号
【発明の概要】
【発明が解決しようとする課題】
【０００４】
しかしながら、特許第３４４０３５６号の綴具は、複数の櫛部（２）を有する２本の主部材（１）からなる綴具であって、主部材（１ａ）の先端（７ａ）にスライド可能なリング部材（４）を設け、かつ、このリング部材（４）の内側の形状は主部材（１ａ）と主部材（１ｂ）とを一体に合わせた外形とほぼ同一もしくは少し小さなものであり、リーフの差し換えのために、２本の主部材を分離した後に、複数の櫛部の先端の嵌合手段を嵌合するときに、多くの櫛部を嵌合するために比較的手間がかかった。
また、実開平７−１７５７８号の綴具は、複数の綴環を起立した第１部材と第２部材とを共通の軸線で枢着している。したがって、第１部材と第２部材とは分離しないが、綴環１５，１７の基部に複数の綴環を連結する棒状の連結部を形成し、その連結部の内側面から張出部２３を突設しているために、例えば、机の上に置いて綴具を開こうとしても、綴環の基部の外側が机の面に突き出たり、綴環が充分開かず、リーフの出し入れが比較的困難である。また、合成樹脂による一体成形は、製造用金型が複雑な構造となり、困難である。
また、米国特許公開２００６／００２４１２４号の綴具及び表紙は、構造が複雑で大きく、リーフの差し換えも容易とは言えない。
それゆえに、この発明の主たる目的は、製造が容易で、比較的薄くでき、表紙とリーフとを略３６０度折り返しができ、リーフの差し換えをし易い帳面を提供することである。
【課題を解決するための手段】
【０００５】
この発明にかかる帳面は、表表紙部、裏表紙部及び表表紙部と裏表紙部との間に介在する背表紙部を有する表紙体と、複数の綴杆部、前記綴杆部を連結するための連結領域、前記綴杆部を構成する綴杆を開閉させるときの中心となる枢結領域を備える綴具と、前記綴具を表紙体の内側に取り付けるための取付部材とを備え、前記連結領域は、表表紙部及び／又は裏表紙部並びに綴杆部に綴じられたリーフを綴杆に沿って捲り、略３６０度捲りかえし、閉じたときに両端にあるリーフの表側と裏側とが連結領域を挟んで向かい合うことができるように、綴杆の基部と近接した位置に連結領域を連設され、前記取付部材は、表紙体に固定されるための定形部と変形部とを備え、綴杆の綴杆係止部を連結領域の長手方向に移動させて脱係できるように、綴杆部及び／又は連結領域及び／又は枢結領域を変形部の貫挿孔に回動自在に貫挿され、前記表紙体は、略３６０度捲りかえすことができるように、前記綴杆部を構成する綴杆を開閉させるときの中心となる連結領域の長手方向に沿って手前側から向こう側に亘って連続して形成された、山折り又は谷折りに折り曲げるための折曲部を備え、前記綴具の連結領域及び取付部材の定形部は、前記折曲部の近傍に位置して、綴杆部に綴じられたリーフを綴杆に沿って捲り、略３６０度捲りかえすことができるように構成された、帳面である。
この発明の請求項２にかかる帳面においては、前記表紙体は、背表紙部の幅方向における略中央に背表紙部の長手方向にのびる折曲部及び／又は屈曲部を形成され、あるいは、表表紙部又は裏表紙部において、背表紙部に近い位置に、表表紙部又は裏表紙部の長手方向にのびる折曲部及び／又は屈曲部を形成され、前記取付部材の貫挿孔は、貫挿孔に緩挿された綴具が背表紙部の近くに位置し且つ表紙体をヒンジ部及び／又は折曲部において略３６０度捲りかえしたときに折曲部の近くに位置するように綴具を取り付けられる部位に形成されるとともに、折曲部及び／又は屈曲部との間に綴具の連結領域及び／又は枢結領域の幅以上の間隔をおいて、表紙体を閉じたときには綴具が表紙体の内面に位置し、表紙体を開いたときには、綴具が表紙体の内面から離れて折り曲げられた折曲部の近くに位置するように形成され、前記綴具は、連結領域及び／又は枢結領域を、表紙体を閉じたときに表紙体の内側の近くに位置し、且つ表紙体を開いたときに表紙体の内側から外れた外側で折曲部の近くに位置するように、取付部材の変形部に取り付けられた、請求項１に記載の帳面である。
この発明の請求項３にかかる帳面においては、前記取付部材の変形部は、固定部との境界から、内方に向けて立ち上げられた平板状体又は筒状体により構成され、立ち上げられた領域に貫挿孔を形成され、綴具の綴杆部及び／又は連結領域及び／又は枢結領域を開閉自在に貫挿され、立ち上げられた変形部の高い領域が綴杆部の内側に至り、綴具が表紙体の背表紙部又は背表紙部の近くの内側面に取り付けられた、請求項１に記載の帳面である。
この発明の請求項４にかかる帳面は、表表紙部、裏表紙部及び表表紙部と裏表紙部との間に介在する背表紙部を有する表紙体と、複数の綴杆部、前記綴杆部を連結するための連結領域、前記綴杆部を構成する綴杆を開閉させるときの中心となる枢結領域を備える綴具と、前記綴具を表紙体の内側に取り付けるための取付部とを備え、前記綴杆部を構成する綴杆は、一対の綴杆が向き合うように、一対の連結領域の各々にその長手方向に適宜な間隔をおいて、連結領域の外側部ないし上側部から突設され、綴杆係止部が連結領域の長手方向に移動して開閉するように形成され、前記連結領域は、表表紙部及び／又は裏表紙部並びに綴杆部に綴じられたリーフを綴杆に沿って捲り、略３６０度捲りかえし、閉じたときに両端にあるリーフの表側と裏側とが連結領域を挟んで向かい合うことができるように、綴杆の基部と近接した位置に連結領域を連設され、前記表紙体は、背表紙部と表表紙部との間及び背表紙部と裏表紙部との間にヒンジ部を形成され、背表紙部の内側で該ヒンジ部から離れた位置において、表表紙部、裏表紙部及び背表紙部のうちいずれか１つに綴具を取り付けるための取付部を形成され、前記表紙体に形成された取付部は、変形部を備え、該変形部は、綴杆部に綴じられたリーフを略３６０度捲りかえすことができるように、前記綴杆部を構成する綴杆を開閉させるときの中心となる連結領域の長手方向に沿って手前側から向こう側に亘って連続して形成された、山折り又は谷折りに折り曲げるための折曲部を、屈曲部から表紙体の内方に向けて立ち上げて形成され、又は、屈曲部を折曲部として、綴杆部に綴じられたリーフを略３６０度捲りかえすことができるように、前記綴杆部を構成する綴杆を開閉させるときの中心となる連結領域の長手方向に沿って手前側から向こう側に亘って連続して形成された、山折り又は谷折りに折り曲げるための折曲部を、表紙体の内方に向けて立ち上げて形成され、前記変形部は、綴杆の綴杆係止部を連結領域の長手方向に移動させて脱係できるように、綴具の綴杆部を回動自在に貫挿させる貫挿孔を形成され、前記取付部の貫挿孔に貫挿された綴具の連結領域は、前記折曲部及び／又は屈曲部の近傍に位置させて、前記綴杆の先端を合わせて閉鎖するとき及び綴杆の先端の綴杆係止部を離間させ、表表紙部及び／又は裏表紙部並びに綴杆部に綴じられたリーフを綴杆に沿って捲り、略３６０度捲りかえすことができるように構成された、帳面である。
この発明の請求項５にかかる帳面においては、前記表紙体は、背表紙部の幅方向における略中央に背表紙部の長手方向にのびる折曲部及び／又は屈曲部を形成され、あるいは、表表紙部又は裏表紙部において、背表紙部に近い位置に、表表紙部又は裏表紙部の長手方向にのびる折曲部及び／又は屈曲部を形成され、前記取付部の貫挿孔は、表紙体をヒンジ部及び／又は折曲部において略３６０度捲りかえしたときに対向する表表紙部及び裏表紙部の間であって折曲部の近くに位置するように、綴具を取り付けられる部位に形成され、且つ前記折曲部及び／又は屈曲部との間に綴具の連結領域及び／又は枢結領域の幅以上の間隔をおいて形成され、前記綴具は、表紙体の外側であって背表紙部に近い位置に位置して、第１綴具部材及び第２綴具部材の一方又は両方において前記貫挿孔に緩挿されて、取付部に取り付けられ、表紙体を閉じたときには、綴具の綴杆部が表紙体の内面に位置し、表紙体を開いたときには、綴具の綴杆部が表紙体の内面から離れて折り曲げられた折曲部の近くに位置するように形成された、請求項４に記載の帳面である。
この発明の請求項６にかかる帳面においては、前記取付部は、表紙体に形成された屈曲部において、一部を内方に向けて立ち上げられて構成され、立ち上げられた領域に貫挿孔を形成され、立ち上げられた取付部の高い領域が綴杆の内側に至り、綴具の綴杆部を開閉自在に貫挿されて、綴具を表紙体の背表紙部又は背表紙部の近くの外側面に取り付けられた、請求項４に記載の帳面である。
【発明の効果】
【０００６】
請求項１の発明によれば、表表紙部、裏表紙部及び表表紙部と裏表紙部との間に介在する背表紙部を有する表紙体と、複数の綴杆部、前記綴杆部を連結するための連結領域、前記綴杆部を構成する綴杆を開閉させるときの中心となる枢結領域を備える綴具と、前記綴具を表紙体の内側に取り付けるための取付部材とを備え、前記連結領域は、表表紙部及び／又は裏表紙部並びに綴杆部に綴じられたリーフを綴杆に沿って捲り、略３６０度捲りかえし、閉じたときに両端にあるリーフの表側と裏側とが連結領域を挟んで向かい合うことができるように、綴杆の基部と近接した位置に連結領域を連設され、前記取付部材は、表紙体に固定されるための定形部と変形部とを備え、綴杆の綴杆係止部を連結領域の長手方向に移動させて脱係できるように、綴杆部及び／又は連結領域及び／又は枢結領域を変形部の貫挿孔に回動自在に貫挿され、前記表紙体は、略３６０度捲りかえすことができるように、前記綴杆部を構成する綴杆を開閉させるときの中心となる連結領域の長手方向に沿って手前側から向こう側に亘って連続して形成された、山折り又は谷折りに折り曲げるための折曲部を備え、前記綴具の連結領域及び取付部材の定形部は、前記折曲部の近傍に位置して、綴杆部に綴じられたリーフを綴杆に沿って捲り、略３６０度捲りかえすことができるように構成されているので、製造が容易で、比較的薄くでき、表紙とリーフとを略３６０度折り返しができ、リーフの差し換えをし易い帳面を提供することができる。
請求項２の発明によれば、前記表紙体は、背表紙部の幅方向における略中央に背表紙部の長手方向にのびる折曲部及び／又は屈曲部を形成され、あるいは、表表紙部又は裏表紙部において、背表紙部に近い位置に、表表紙部又は裏表紙部の長手方向にのびる折曲部及び／又は屈曲部を形成され、前記取付部材の貫挿孔は、貫挿孔に緩挿された綴具が背表紙部の近くに位置し且つ表紙体をヒンジ部及び／又は折曲部において略３６０度捲りかえしたときに折曲部の近くに位置するように綴具を取り付けられる部位に形成されるとともに、折曲部及び／又は屈曲部との間に綴具の連結領域及び／又は枢結領域の幅以上の間隔をおいて、表紙体を閉じたときには綴具が表紙体の内面に位置し、表紙体を開いたときには、綴具が表紙体の内面から離れて折り曲げられた折曲部の近くに位置するように形成され、前記綴具は、連結領域及び／又は枢結領域を、表紙体を閉じたときに表紙体の内側の近くに位置し、且つ表紙体を開いたときに表紙体の内側から外れた外側で折曲部の近くに位置するように、取付部材の変形部に取り付けられているので、表表紙部及び／又は裏表紙部並びに綴杆部に綴じられたリーフを綴杆に沿って捲り、略３６０度捲りかえすことができる。
請求項３の発明によれば、前記取付部材の変形部は、固定部との境界から、内方に向けて立ち上げられた平板状体又は筒状体により構成され、立ち上げられた領域に貫挿孔を形成され、綴具の綴杆部及び／又は連結領域及び／又は枢結領域を開閉自在に貫挿され、立ち上げられた変形部の高い領域が綴杆部の内側に至り、綴具が表紙体の背表紙部又は背表紙部の近くの内側面に取り付けられているので、表紙体を折り返したとき、その外側に取付部材を位置させることができる。
請求項４の発明によれば、表表紙部、裏表紙部及び表表紙部と裏表紙部との間に介在する背表紙部を有する表紙体と、複数の綴杆部、前記綴杆部を連結するための連結領域、前記綴杆部を構成する綴杆を開閉させるときの中心となる枢結領域を備える綴具と、前記綴具を表紙体の内側に取り付けるための取付部とを備え、前記綴杆部を構成する綴杆は、一対の綴杆が向き合うように、一対の連結領域の各々にその長手方向に適宜な間隔をおいて、連結領域の外側部ないし上側部から突設され、綴杆係止部が連結領域の長手方向に移動して開閉するように形成され、前記連結領域は、表表紙部及び／又は裏表紙部並びに綴杆部に綴じられたリーフを綴杆に沿って捲り、略３６０度捲りかえし、閉じたときに両端にあるリーフの表側と裏側とが連結領域を挟んで向かい合うことができるように、綴杆の基部と近接した位置に連結領域を連設され、前記表紙体は、背表紙部と表表紙部との間及び背表紙部と裏表紙部との間にヒンジ部を形成され、背表紙部の内側で該ヒンジ部から離れた位置において、表表紙部、裏表紙部及び背表紙部のうちいずれか１つに綴具を取り付けるための取付部を形成され、前記表紙体に形成された取付部は、変形部を備え、該変形部は、綴杆部に綴じられたリーフを略３６０度捲りかえすことができるように、前記綴杆部を構成する綴杆を開閉させるときの中心となる連結領域の長手方向に沿って手前側から向こう側に亘って連続して形成された、山折り又は谷折りに折り曲げるための折曲部を、屈曲部から表紙体の内方に向けて立ち上げて形成され、又は、屈曲部を折曲部として、綴杆部に綴じられたリーフを略３６０度捲りかえすことができるように、前記綴杆部を構成する綴杆を開閉させるときの中心となる連結領域の長手方向に沿って手前側から向こう側に亘って連続して形成された、山折り又は谷折りに折り曲げるための折曲部を、表紙体の内方に向けて立ち上げて形成され、前記変形部は、綴杆の綴杆係止部を連結領域の長手方向に移動させて脱係できるように、綴具の綴杆部を回動自在に貫挿させる貫挿孔を形成され、前記取付部の貫挿孔に貫挿された綴具の連結領域は、前記折曲部及び／又は屈曲部の近傍に位置させて、前記綴杆の先端を合わせて閉鎖するとき及び綴杆の先端の綴杆係止部を離間させ、表表紙部及び／又は裏表紙部並びに綴杆部に綴じられたリーフを綴杆に沿って捲り、略３６０度捲りかえすことができるように構成されているので、製造が容易で、比較的薄くでき、表紙とリーフとを略３６０度折り返しができ、リーフの差し換えをし易い帳面を提供することができる。
請求項５の発明によれば、前記表紙体は、背表紙部の幅方向における略中央に背表紙部の長手方向にのびる折曲部及び／又は屈曲部を形成され、あるいは、表表紙部又は裏表紙部において、背表紙部に近い位置に、表表紙部又は裏表紙部の長手方向にのびる折曲部及び／又は屈曲部を形成され、前記取付部の貫挿孔は、表紙体をヒンジ部及び／又は折曲部において略３６０度捲りかえしたときに対向する表表紙部及び裏表紙部の間であって折曲部の近くに位置するように、綴具を取り付けられる部位に形成され、且つ前記折曲部及び／又は屈曲部との間に綴具の連結領域及び／又は枢結領域の幅以上の間隔をおいて形成され、前記綴具は、表紙体の外側であって背表紙部に近い位置に位置して、第１綴具部材及び第２綴具部材の一方又は両方において前記貫挿孔に緩挿されて、取付部に取り付けられ、表紙体を閉じたときには、綴具の綴杆部が表紙体の内面に位置し、表紙体を開いたときには、綴具の綴杆部が表紙体の内面から離れて折り曲げられた折曲部の近くに位置するように形成されているので、表表紙部及び／又は裏表紙部並びに綴杆部に綴じられたリーフを綴杆に沿って捲り、略３６０度捲りかえすことができる。
請求項６の発明によれば、前記取付部は、表紙体に形成された屈曲部において、一部を内方に向けて立ち上げられて構成され、立ち上げられた領域に貫挿孔を形成され、立ち上げられた取付部の高い領域が綴杆の内側に至り、綴具の綴杆部を開閉自在に貫挿されて、綴具を表紙体の背表紙部又は背表紙部の近くの外側面に取り付けられているので、表紙体を折り返したとき、その外側に取付部材を位置させることができる。
【０００７】
この発明の上述の目的，その他の目的，特徴及び利点は、図面を参照して行う以下の発明を実施するための最良の形態の説明から一層明らかとなろう。
【図面の簡単な説明】
【０００８】
【図１】この発明にかかる綴具を用いたノートの斜視図解図である。
【図２】この発明にかかる綴具の斜視図解図であり、（Ａ）は全体の図で、（Ｂ）は部分的に拡大した図である。
【図３】この発明にかかる綴具の斜視図解図であり、（Ａ）は全体の図で、（Ｂ）は部分的に拡大した図であり、（Ｃ）（Ｄ）は半割杆の図である。
【図４】第１綴具部材の斜視図解図である。
【図５】第２綴具部材の斜視図解図である。
【図６】この発明にかかる綴具を分解した状態における斜視図解図である。
【図７】閉じた状態における綴具の正面図解図である。
【図８】閉じた状態における綴具の背面図解図である。
【図９】図７Ａ−Ａ断面図解図である。
【図１０】図７Ｂ−Ｂ断面図解図である。
【図１１】開き始めた状態における綴具の正面図解図である。
【図１２】開き始めた状態における綴具の背面図解図である。
【図１３】開いた状態における綴具の正面図解図である。
【図１４】開いた状態における綴具の背面図解図である。
【図１５】図１３Ａ−Ａ断面図解図である。
【図１６】図１３Ｂ−Ｂ断面図解図である。
【図１７】ノートのリーフの開き方を示す断面図解図であり、（Ａ）は閉じた状態の図で、（Ｂ）は表紙体及びリーフを捲った状態の図である。
【図１８】表紙体を開いた状態の平面図解図である。
【図１９】別の取付部材を示す断面図解図である。
【図２０】別の取付部材を示す表紙体及び取付部材を示す平面図解図である。
【図２１】別の取付部材を示す断面図解図である。
【図２２】別の取付部材を示す表紙体及び取付部材を示す平面図解図である。
【図２３】貫挿孔の側を示す平面図解図である。
【図２４】別の取付部材を示す断面図解図である。
【図２５】別の取付部材を示す表紙体及び取付部材を示す平面図解図である。
【図２６Ａ】別の取付部材を示す断面図解図である。
【図２６Ｂ】別の取付部材を示す断面図解図である。
【図２７Ａ】別の取付部材を示す表紙体及び取付部材を示す平面図解図である。
【図２７Ｂ】別の取付部材を示す表紙体及び取付部材を示す平面図解図である。
【図２８Ａ】別の弾発部材及びその弾発部材を第１及び第２綴具部材に取り付けられた状態における平面図解図である。
【図２８Ｂ】図２８Ａ図示綴具の断面図解図であり、（Ａ）は閉じた状態の断面図解図であり、（Ｂ）は開いた状態の断面図解図である。
【図２８Ｃ】更に別の弾発部材の正面図解図である。
【図２９Ａ】図２８Ａ図示綴具の開き始めた状態における正面図解図である。
【図２９Ｂ】図２８Ａ図示綴具の開いた状態における正面図解図である。
【図３０】この発明にかかる綴具を用いた手帳の斜視図解図である。
【図３１Ａ】この発明にかかる綴具の全体の斜視図解図である。
【図３１Ｂ】この発明にかかる綴具の斜視図解図である。
【図３２】この発明にかかる綴具の斜視図解図であり、（Ａ）は全体の図で、（Ｂ）（Ｃ）は半割杆の図である。
【図３３】第１綴具部材の斜視図解図であり、（Ａ）は右側の図であり、（Ｂ）は左側の図である。
【図３４】第２綴具部材の斜視図解図であり、（Ａ）は右側の図であり、（Ｂ）は左側の図である。
【図３５】この発明にかかる綴具を分解した状態における斜視図解図である。
【図３６】第１綴具部材と第２綴具部材とを結合する方法を示す斜視図解図である。
【図３７】閉じた状態における綴具の正面図解図である。
【図３８】閉じた状態における綴具の背面図解図である。
【図３９Ａ】開いた状態における図３７Ａ−Ａ部分断面図解図である。
【図３９Ｂ】開いた状態における図３７Ｂ−Ｂ断面図解図である。
【図３９Ｃ】開いた状態における図３７Ｃ−Ｃ断面図解図である。
【図４０】開き始めた状態における綴具の正面図解図である。
【図４１】開き始めた状態における綴具の背面図解図である。
【図４２Ａ】図４０Ａ−Ａ部分断面図解図である。
【図４２Ｂ】図４０Ｂ−Ｂ断面図解図である。
【図４２Ｃ】図４０Ｃ−Ｃ断面図解図である。
【図４３】手帳の断面図解図であり、（Ａ）は閉じた状態の図で、（Ｂ）は３６０度捲った状態の図である。
【図４４】表紙体を開いた平面図解図である。
【図４５】別の取付部を示す断面図解図である。
【図４６】別の取付部を示す表紙体の平面図解図である。
【図４７】別の取付部を示す断面図解図である。
【図４８】別の取付部を示す表紙体の平面図解図である。
【図４９】別の取付部を示す断面図解図である。
【図５０】別の取付部を示す表紙体の平面図解図である。
【図５１】別の取付部を示す断面図解図である。
【図５２】別の取付部を示す表紙体の平面図解図である。
【図５３】別の取付部を示す断面図解図である。
【図５４】別の取付部を示す表紙体の平面図解図である。
【図５５】別の取付部を示す断面図解図である。
【図５６】別の取付部を示す表紙体の平面図解図である。
【図５７】綴具の変形例を示す斜視図解図である。
【図５８】貫挿孔の変形例を示す平面図解図である。
【図５９】綴具の説明図である。
【図６０】ノートの説明図であり、（Ａ）は全体の図であり、（Ｂ）はリーフの図である。
【発明を実施するための形態】
【０００９】
この発明にかかる帳面の一種であるノート１０００は、表表紙部１０１２と、裏表紙部１０１４と、表表紙部１０１２と裏表紙部１０１４との間に介在する背表紙部１０１６とを有する表紙体１０１０と、複数の綴杆部１２、前記綴杆部１２を連結するための連結部１４、前記綴杆部１２を構成する綴杆を開閉させるときの中心となる枢結部１６を備える綴具１０と、背表紙部１０１６の内側に取り付けるための取付部材１４０とを備える。
【００１０】
表紙体１０１０は、表表紙部１０１２と背表紙部１０１６との間に第１ヒンジ部１０２２を形成され、且つ裏表紙部１０１４と背表紙部１０１６との間に第２ヒンジ部１０２４を形成されている。
前記背表紙部１０１６は、表紙体１０１０及び綴杆部１２に綴じられたリーフ１１１０を綴杆に沿って捲り、略３６０度捲りかえすことができるように、前記綴杆部１２を構成する綴杆を開閉させるときの中心となる枢結部１６に沿って手前側から向こう側に亘って（高さ方向に）連続して形成された外側に折り曲げるための折曲部１０２０を備える。
第１ヒンジ部１０２２と第２ヒンジ部１０２４とは平行であり、第１ヒンジ部１０２２と折曲部１０２０とは平行である。
【００１１】
表紙体１０１０に取り付けられる綴具１０は、複数の綴杆部１２と、前記綴杆部１２を連結するための連結部１４と、前記綴杆部１２を構成する綴杆を開閉させるときの中心となる枢結部１６とを備える綴具１０であって、綴杆部１２を捩って閉じている綴杆部１２を開くことができるように構成されている。
この綴具１０は、綴具１０の綴杆部１２に沿ってリーフ１１１０を回転させて略３６０度広げること、すなわち綴杆部１２に綴じられたリーフ１１１０を綴杆に沿って捲り、略３６０度捲りかえし、閉じたときに両端にあるリーフ１１１０の表側と裏側とが枢結部１６を挟んで向かい合うことができるように、構成されている。
【００１２】
前記綴杆を開閉させるときの中心ののびる方向における一端又は両端の領域には、綴杆部１２を構成する綴杆のうち対向する一方の複数の綴杆を、対向する他方の複数の綴杆の係止部から脱係させるために、同時に、中心ののびる方向に変位させる、押圧部１１０が突設されている。
この実施の形態においては、押圧部１１０は、連結部１４の手前側に突設された円柱状体である。
【００１３】
前記綴杆部１２を構成する綴杆は、一対の綴杆が向き合うように、前記連結部１４を構成する一対の連結部１４の各々にその長手方向に適宜な間隔をおいて、連結部１４の外側部ないし上側部から突設され、前記綴杆部１２は、前記枢結部１６を中心にして左右に分かれた、対称形である第１綴杆２０及び第２綴杆３０を備える。
連結領域は、第１綴杆２０及び第２綴杆３０を構成する半割杆２０Ａ及び半割杆３０Ａを、隣接する半割杆２０Ａと半割杆２０Ａ及び半割杆３０Ａと半割杆３０Ａとの間に適宜な間隔をおいて並列して形成するように、半割杆２０Ａの間及び半割杆３０Ａの間に跨って形成されている。
前記連結部１４は、前記枢結部１６を中心にして左右に分かれた、対称形である第１連結部５０及び第２連結部６０を備え、第１連結部５０及び第２連結部６０は、向こう側から手前側に連続して長手方向に直線状にのびる略柱状である。
【００１４】
この実施の形態においては、第１綴杆２０及び第１連結部５０は、第１綴具部材１８Ａに形成され、第２綴杆３０及び第２連結部６０は、第２綴具部材１８Ｂに形成され、第１綴具部材１８Ａと第２綴具部材１８Ｂとは、対称形に形成されている。
枢結領域は、第１綴具部材１８Ａと第２綴具部材１８Ｂとを枢結部１６を中心にして連結し、綴杆部１２を開閉するときの回転の中心となる領域として構成される。
【００１５】
前記連結部１４は、綴杆部１２に綴じられたリーフ１１１０を第１綴杆２０及び第２綴杆３０に沿って捲り、３６０度捲りかえし、閉じたときに両端にあるリーフ１１１０の表側と裏側とが枢結部１６を挟んで向かい合うことができるように、下部において第１綴杆２０の基部２０ａ及び第２綴杆３０の基部３０ａと近接した位置に枢結部１６を連設されている。
前記枢結部１６は、前記連結部１４（第１連結部５０と第２連結部６０）の長手方向にのびて一対の連結部１４（第１連結部５０と第２連結部６０と）を連結し、前記第１綴杆２０の自由端２０ｂと第２綴杆３０の自由端３０ｂとを合わせて閉鎖するとき及び第１綴杆２０の自由端２０ｂと第２綴杆３０の自由端３０ｂとを離間させるときに回転中心となり、綴杆部１２に綴じられたリーフ１１１０を第１綴杆２０及び第２綴杆３０に沿って捲り、３６０度捲りかえすことができるように構成されている。
【００１６】
綴杆部１２は、第１綴杆２０及び第２綴杆３０の連結部１４に連設された基部２０ａ及び基部３０ａとは反対側の自由端２０ｂ及び自由端３０ｂに、第１綴杆２０及び第２綴杆３０を閉鎖したときに係止するための綴杆係止部を形成されている。すなわち、第１綴杆２０は、基部２０ａとは反対側の頂部である自由端２０ｂに第１綴杆の綴杆係止部２２を形成され、第２綴杆３０は、基部３０ａとは反対側の頂部である自由端３０ｂに第２綴杆の綴杆係止部３２を形成されている。
綴杆部１２は、基部２０ａ及び基部３０ａから頂部に至る高さ方向（垂直方向）と、第１綴杆２０の外周部（外側部）から第２綴杆３０の外周部（外側部）に至る幅方向（水平方向）とを備え、第１綴杆２０及び第２綴杆３０の厚さ（外周部と内周部との間の長さ）よりも、綴具の長さ方向における第１綴杆２０及び第２綴杆３０の幅の方が長い、断面長方形状である。そして、第１綴杆２０及び第２綴杆３０は、基部２０ａ及び基部３０ａから頂部に至るまで、リーフ１１１０を捲ることができるように、リーフ１１１０の綴じ穴１１１２に貫挿される形状に構成されている。
前記第１綴杆の綴杆係止部２２及び第２綴杆の綴杆係止部３２は、係止する第１綴杆２０及び第２綴杆３０の回転方向と交差する方向に、すなわち枢結部１６の長手方向に第１綴杆２０及び第２綴杆３０を相対移動して、第１綴杆２０及び第２綴杆３０の先端を合わせて閉鎖するときに係止し又は第１綴杆２０及び第２綴杆３０の先端を離間させるときに脱係するように形成されている。
すなわち、第１綴杆の綴杆係止部２２及び第２綴杆の綴杆係止部３２が、枢結部１６の長手方向に移動して開閉するように形成されている。
【００１７】
第１綴杆２０は、閉じたときに略円環状の綴杆となるように、半円弧状の半割杆２０Ａから構成され、第２綴杆３０は、閉じたときに略円環状の綴杆となるように、半円弧状の半割杆３０Ａから構成されている。
そして、リーフ１１１０に予め穿設された綴じ穴１１１２に挿通して、リーフ１１１０を綴じることができるように、半割杆２０Ａと半割杆３０Ａとの先端、すなわち第１綴杆２０及び第２綴杆３０の頂部において、綴杆係止部２２，３２が形成されている。
第１綴杆２０を構成する半割杆２０Ａと第２綴杆３０を構成する半割杆３０Ａとは、半割杆２０Ａの第１綴杆の綴杆係止部２２と、半割杆３０Ａの第２綴杆の綴杆係止部３２とを係止することにより、略円環状に連結される。
綴杆部１２を閉じるときにおいては、第１綴杆２０の第１綴杆の綴杆係止部２２と第２綴杆３０の第２綴杆の綴杆係止部３２とを係合させて、略円環状となるように構成されている。
そして、綴杆部１２を開くときにおいては、第１綴杆２０と第２綴杆３０とは、連結部１４の長さ方向に第１綴杆２０または第２綴杆３０を変位させる。すなわち、第１綴杆２０と第２綴杆３０とは、第１綴杆の綴杆係止部２２及び第２綴杆の綴杆係止部３２を脱係させるための押圧部１１０を指で押すことにより、連結部１４の長さ方向において手前側から向こう側に相対移動させ、更に押圧部１１０を第１綴杆２０から第２綴杆３０の先端が離れる方向、すなわち裏表紙部１０１４の方向に回転させることにより、係止された第１綴杆の綴杆係止部２２及び第２綴杆の綴杆係止部３２を外すことができるように構成されている。
【００１８】
第１綴杆２０を構成する半割杆２０Ａの先端に形成された第１綴杆の綴杆係止部２２を構成する先端の第１綴杆の凸部２４及びその第１綴杆の凸部２４に続く第１綴杆の凹部２６と、第２綴杆３０を構成する半割杆３０Ａの第２綴杆の綴杆係止部３２を構成する先端の第２綴杆の凸部３４及びその先端の第２綴杆の凸部３４に続く第２綴杆の凹部３６とは、第１綴杆２０と第２綴杆３０とを閉じたとき係合するように逆方向に向けて突き出しあるいは凹み形成されている。
すなわち、第１綴杆２０を構成する半割杆２０Ａの先端に形成された第１綴杆の綴杆係止部２２を構成する第１綴杆の凸部２４は、手前側に向けて突き出されている。そして、その第１綴杆の凸部２４に続く第１綴杆の凹部２６は、向こう側に向けて凹んでいる。半割杆３０Ａの先端に形成された第２綴杆の綴杆係止部３２を構成する第２綴杆の凸部３４は、向こう側に向けて突き出されている。そして、その先端の第２綴杆の凸部３４に続く第２綴杆の凹部３６は、手前側に向けて凹んでいる。
第１綴杆２０と第２綴杆３０とを閉じたとき係合するように、第１綴杆の凸部２４及び第１綴杆の凹部２６と第２綴杆の凸部３４及び第２綴杆の凹部３６とは、逆方向に向けて突き出しあるいは凹み形成されている。
半割杆２０Ａの第１綴杆の綴杆係止部２２を構成する第１綴杆の凸部２４と半割杆３０Ａの第２綴杆の綴杆係止部３２を構成する第２綴杆の凸部３４とは、反対方向に向けて突き出し設けられている。
また、半割杆２０Ａの第１綴杆の綴杆係止部２２を構成する第１綴杆の凹部２６と半割杆３０Ａの第２綴杆の綴杆係止部３２を構成する第２綴杆の凹部３６とは、反対方向に向けて凹み形成されている。
【００１９】
前記第１綴杆の綴杆係止部２２及び第２綴杆の綴杆係止部３２は、第１綴杆２０及び第２綴杆３０の回転方向と交差する方向に脱係しないように、第１綴杆２０及び第２綴杆３０の回転方向にのびる脱係防止部２８及び脱係防止部３８が形成されている。
脱係防止部２８は、頂部側において手前側に向けて突き出る鉤鼻状係止凸部２８ａと、基部２０ａ側において向こう側に向けて凹む係止凹部２８ｂとを有し、自由端側の係止凸部２８ａから続いて基部２０ａ側に係止凹部２８ｂが形成されている。
脱係防止部３８は、頂部側において向こう側に向けて突き出る鉤鼻状係止凸部３８ａと、基部３０ａ側において手前側に向けて凹む係止凹部３８ｂとを有し、自由端側の係止凸部３８ａから続いて基部３０ａ側に係止凹部３８ｂが形成されている。
第１綴杆２０と第２綴杆３０とを閉じたとき、脱係防止部２８の係止凸部２８ａは脱係防止部３８の係止凹部３８ｂに嵌合され、脱係防止部３８の係止凸部３８ａは脱係防止部２８の係止凹部２８ｂに嵌合され、係止凸部２８ａと係止凸部３８ａとは、第１綴杆２０と第２綴杆３０とを回転方向に引いたときに、突き当たる。
第１綴杆の綴杆係止部２２の脱係防止部２８は、第２綴杆の綴杆係止部３２の上部に向けて突き出され、第１綴杆の綴杆係止部２２と第２綴杆の綴杆係止部３２とを係合したときに、第２綴杆３０が上方に向けて衝撃などにより移動することを防止している。
第２綴杆の綴杆係止部３２の脱係防止部３８は、第１綴杆の綴杆係止部２２の上部に向けて突き出され、第２綴杆の綴杆係止部２２と第２綴杆の綴杆係止部３２とを係合したときに、第１綴杆２０が上方に向けて衝撃などにより移動することを防止している。
このように、この実施の形態においては、押圧部１１０を指で押すことにより、第１綴具部材１８Ａの第１綴杆２０を向こう側に移動させ且つ第２綴具部材１８Ｂの第２綴杆３０を手前側に移動させて、第１綴杆２０の半割杆２０Ａの第１綴杆の綴杆係止部２２と第２綴杆３０の半割杆３０Ａの第２綴杆の綴杆係止部３２との係合を外すことができる。
なお、閉じるときにおいては、脱係防止部２８の係止凸部２８ａと脱係防止部３８の係止凸部３８ａとは、突き出たり滑りながら係止凹部３８ｂ及び係止凹部２８ｂに嵌まるように、なだらかな傾斜面が自由端から形成されている。
【００２０】
前記連結部１４を構成する第１綴具部材１８Ａの第１連結部５０は、第１連結部５０と第２連結部６０とが向き合う領域である第１連結部の対向部５６と、前記第１連結部の対向部５６と相対し第１綴杆２０が突設された第１連結部の外側部５２と、前記第１連結部の対向部５６と第１連結部の外側部５２との間において前記第１連結部の対向部５６及び第１連結部の外側部５２に交差する面で、枢結部１６が連設された第１連結部の下側部５８とを備える。
前記連結部１４を構成する第２綴具部材１８Ｂの第２連結部６０は、第１連結部５０と第２連結部６０とが向き合う領域である第２連結部の対向部６６と、前記第２連結部の対向部６６と相対し第２綴杆３０が突設された第２連結部の外側部６２と、前記第２連結部の対向部６６と第２連結部の外側部６２との間において前記第２連結部の対向部６６及び第２連結部の外側部６２に交差する面で、枢結部１６が連設された第２連結部の下側部６８とを備える。
この実施の形態においては、第１連結部５０及び第２連結部６０は、略四角柱状である。
そして、第１連結部の対向部５６と第２連結部の対向部６６とは、回転方向と直交し綴具１０を閉じたときに垂直にすなわち高さ方向にのびる平面であって、図９及び図１０に示すように綴具１０を閉じたときに密着するように形成されている。
【００２１】
前記連結部１４は、その側面に、第１綴杆２０及び第２綴杆３０の開き角度をリーフ１１１０の挿入し易い角度、例えば約６０〜７０度に規制するための開き角規制部７０及び開き角規制部７２を形成されている。
第１綴具部材１８Ａの開き角規制部７０は、第１連結部５０の第１連結部の下側部５８の第１受け部８０に連続して形成された断面略半円弧状であり、第１連結部の下側部５８から下方に向けてのびる接合面７０ａを備え、一方、第２綴具部材１８Ｂの開き角規制部７２は、第２連結部６０の第２連結部の下側部６８の第２受け部９０に連続して形成された断面略半円弧状であり、第２連結部の下側部６８から下方に向けてのびる接合面７２ａを備える。
そして、綴杆部１２を閉じたときに、開き角規制部７０の接合面７０ａと開き角規制部７２の接合面７２ａとは、図９において示すように、略７０度開いた傾斜面であって対向しており、綴杆部１２を開いたときに、開き角規制部７０の接合面７０ａと開き角規制部７２の接合面７２ａとは、図１５において示すように、接し合い、半割杆２０Ａと半割杆３０Ａの開き角度を、リーフ１１１０の挿入しや易い角度に規制する。
【００２２】
前記枢結部１６は、シャフト部１００の受け部とシャフト部１００とを備える。
受け部は、第１連結部５０に連設された第１受け部８０と第２連結部６０に連設された第２受け部９０とから構成され、前記シャフト部１００は、前記連結部１４の長手方向に沿って、向こう側から手前側に連続してのび、第１綴具部材１８Ａと第２綴具部材１８Ｂとを連結する。
前記第１受け部８０及び第２受け部９０は、前記綴杆部１２及び／又は連結部１４に連設され、シャフト部１００を装填するための開口部（第１受け部８０の開口部８４及び第２受け部９０の開口部９４）を側面に形成され、前記半割杆２０Ａ及び半割杆３０Ａの先端を合わせて閉鎖するとき及び半割杆２０Ａ及び半割杆３０Ａの先端を離間させるときに回転中心となり、第１綴杆２０及び第２綴杆３０に綴じられたリーフ１１１０を第１綴杆２０及び第２綴杆３０に沿って捲り、３６０度捲りかえすことができるように構成されている。
【００２３】
前記第１受け部８０及び第２受け部９０は、前記連結部１４の長手方向に間欠的に形成され、半割杆２０Ａ及び半割杆３０Ａが前記シャフト部１００を中心にして回転し且つ第１綴杆２０及び第２綴杆３０を開閉するときに長手方向に相対変移するように形成されている。
【００２４】
前記シャフト部１００は、断面円形の棒状の金属棒である。それに対応して、前記第１受け部８０及び第２受け部９０は、全体が弧状で、その内側の円弧部８６及び円弧部９６に前記シャフト部１００を装填され、且つその外側の上部において、前記半割杆２０Ａ及び半割杆３０Ａの張り出し方向とは反対方向に張り出すように、前記連結部１４が連設されている。
この実施の形態においては、シャフト部１００と第１受け部８０及び第２受け部９０とは別部材であり、第１受け部８０は、合成樹脂により、第１綴具部材１８Ａと一体に形成され、第２受け部９０は、合成樹脂により、第２綴具部材１８Ｂと一体に形成されている。
そして、シャフト部１００は、第１綴具部材１８Ａの最も向こう側の第１受け部８０から、第２綴具部材１８Ｂの最も手前側の第２受け部９０に至るように、形成されている。
【００２５】
第１綴具部材１８Ａ側の第１受け部８０は、シャフト部１００に装填されたときに、隣接する第１受け部８０の間に、第１収容部８２を間欠的に形成され、第２綴具部材１８Ｂ側の第２受け部９０は、シャフト部１００に装填されたときに、隣接する第２受け部９０の間に、第２収容部９２を間欠的に形成されている。
そして、第１綴杆２０と第２綴杆３０とを閉鎖したときに、枢結部１６の軸線上において、第１綴具部材１８Ａは、第１収容部８２に第２綴具部材１８Ｂの第２受け部９０を収容させ、且つ、第２綴具部材１８Ｂは、第２収容部９２に第１綴具部材１８Ａの第１受け部８０を収容させて、隣接する第１綴具部材１８Ａの第１受け部８０と第２綴具部材１８Ｂの第２受け部９０との間及び隣接する第２綴具部材１８Ｂの第２受け部９０と第１綴具部材１８Ａの第１受け部８０との間に適宜な間隔をあけて整列される。隣接する第１綴具部材１８Ａの第１受け部８０と第２綴具部材１８Ｂの第２受け部９０との間及び隣接する第２綴具部材１８Ｂの第２受け部９０と第１綴具部材１８Ａの第１受け部８０との間における適宜な間隔とは、第１綴杆２０と第２綴杆３０とを連結部１４の長手方向すなわち手前側及び向こう側に向けて相対移動させて、第１綴杆の綴杆係止部２２と第２綴杆の綴杆係止部３２とを脱係させるに必要な長さをいう。
それとともに、第１綴具部材１８Ａと第２綴具部材１８Ｂとは、第１綴杆２０と第２綴杆３０とを開閉するときに半割杆２０Ａと半割杆３０Ａとを相対変移するように、前記シャフト部１００に摺動自在に装填されている。
この実施の形態においては、第１綴具部材１８Ａの第１綴杆２０を向こう側に移動させ且つ第２綴具部材１８Ｂの２綴杆３０を手前側に移動させて、閉じていた第１綴杆２０と第２綴杆３０とを開く。
この実施の形態においては、第１綴具部材１８Ａの向こう側の第１受け部８０の開口部８４は、向こう側が塞がれている。又、第２綴具部材１８Ｂの手前側の第２受け部９０の開口部９４は、手前側が塞がれている。従って、シャフト部１００の向こう側端は向こう側の第１受け部８０により抜け出ることを防止され、シャフト部１００の手前側端は手前側の第２受け部９０により抜け出ることを防止される。
【００２６】
半割杆２０Ａの基部２０ａの外周部及び半割杆３０Ａの基部３０ａの外周部は、連結部１４の下部と同じ位置に、その下部が位置するように形成され、枢結部１６の第１受け部８０の外側及び第２受け部９０の外側は、連結部１４の下部と同じ位置に、その上部が位置するように形成されている。
この実施の形態においては、枢結部１６の第１受け部８０は、開口部８４が半割杆２０Ａの外周部に接し、枢結部１６の第２受け部９０は、開口部９４が半割杆３０Ａの外周部に接し、第１連結部５０は、半割杆２０Ａの内周部から第１受け部８０の開口部８４までの間の高さを有し、第２連結部６０は、半割杆３０Ａの内周部から第２受け部９０の開口部９４までの間の高さを有している。
【００２７】
前記連結部１４の幅（幅方向における）は、枢結部１６の第１受け部８０又は枢結部１６の第２受け部９０の幅（幅方向における）の２分の１以下である。これは、第１連結部５０の幅と第２連結部６０の幅とを合わせた幅が、枢結部１６の第１受け部８０及び枢結部１６の第２受け部９０の幅と同等又はそれ以下の方が、リーフ１１１０を３６０度捲りかえして、枢結部１６を挟んでリーフ１１１０の表面と裏面とを比較的間隔をあけずに接し合わせることができるようにするためである。
【００２８】
前記第１連結部５０の中央あたりに存する前記第１綴具部材１８Ａの第１収容部８２と前記第２連結部６０の中央あたりに存する第２綴具部材１８Ｂの第２収容部９２との間に、前記シャフト部１００の長手方向にテンション（引張力又は圧縮力）をかける弾発部材１０２が、圧縮された状態で介装されている。弾発部材１０２は、鋼線をコイル形に巻いて作られたコイルバネにより形成され、筒形のコイルバネの輪の中にシャフト部１００を挿通されている。
そして、弾発部材１０２は、その向こう側端が第２綴具部材１８Ｂの第２受け部９０の手前側端に接し、その手前側端が第１綴具部材１８Ａの第１受け部８０の向こう側端に接して、復元力（均一な）によって第１綴具部材１８Ａを手前側に押し下げ且つ第２綴具部材１８Ｂを向こう側に押し上げるように構成されている。
而して、弾発部材１０２は、綴杆部１２を閉じているときには、第１綴杆の綴杆係止部２２と第２綴杆の綴杆係止部３２とを係合させる方向に作用している。
押圧部１１０を指で押すことにより、係止された第１綴杆の綴杆係止部２２及び第２綴杆の綴杆係止部３２を外すときには、弾発部材１０２の弾発力に抗して第１綴具部材１８Ａの第１綴杆２０を向こう側に移動させ且つ第２綴具部材１８Ｂの２綴杆３０を手前側に移動させて、閉じていた第１綴杆２０と第２綴杆３０とを開く。
【００２９】
取付部材１４０は、表紙体１０１０に固定される定形部１４２と、綴具１０を取り付ける領域となる変形部１４４とを備え、熱溶着可能な熱可塑性樹脂で一体成形されている。
定形部１４２は、裏表紙部１０１４の長さと略同じかそれより僅かに短い長さと、熱溶着されるに適する短い幅とを備える、薄板状である。
【００３０】
前記定形部１４２は、裏表紙部１０１４に形成された折曲部１０２０に沿って、前記定形部１４２の固定面を裏表紙部１０１４の内側面に、熱溶着により固着されている。定形部１４２と変形部１４４との境界１４６は、直線状であり、折曲部１０２０に平行になるように形成されている。
【００３１】
変形部１４４は、定形部１４２の幅方向に突設されている。
変形部１４４は、折曲部１０２０から綴具１０の綴杆部１２の中央に至る幅を備え、その中央に綴杆部１２を貫挿するための貫挿孔１４８を穿設されている。
変形部１４４は、屈曲部１５０を構成する境界１４６から表紙体１０１０の内方に向けて立ち上げて、境界１４６とは離れた領域すなわち貫挿孔１４８より離れた側を、第１綴杆２０と第２綴杆３０との間で連結部１４及び枢結部１６の上方に位置させる。
変形部１４４は、綴具１０の綴杆部１２の数に対応した数の貫挿孔１４８を、並列された綴杆部１２の間隔に対応して穿設され、背表紙部１０１６とは離れた側に位置する第２綴杆３０の半割杆３０Ａを貫挿される。
【００３２】
定形部１４２は、綴具１０の表表紙部１０１２及び裏表紙部１０１４の自由端側（背表紙部１０１６に連設された側とは反対側）すなわち背表紙部１０１６より遠い側に位置して裏表紙部１０１４の内面に固定され、変形部１４４は、背表紙部１０１６側に向けて斜め上方に伸びる。
そして、貫挿孔１４８は、定形部１４２に近い側に位置した第２綴杆３０に貫挿されて、綴具１０を表紙体１０１０に取り付ける。
而して、綴具１０は、背表紙部１０１６の内側において、枢結部１６を背表紙部１０１６に沿わせて取り付けられ、定形部１４２が綴具１０の第２綴具部材１８Ｂの第２綴杆３０の側部に並列される。
【００３３】
貫挿孔１４８は、第１綴具部材１８Ａの第１綴杆２０を向こう側に移動させ、第１綴杆２０の半割杆２０Ａの第１綴杆の綴杆係止部２２と第２綴杆３０の半割杆３０Ａの第２綴杆の綴杆係止部３２との係合を外すことができるように、変形部１４４の長手方向（すなわち枢結部１６の長手方向）におけるその長さを形成されている。
貫挿孔１４８は、平面方形状又は平面視略Ｌ字状に形成される。
平面視略Ｌ字状の貫挿孔１４８は、表紙体１０１０を閉じたときには細い第１綴杆２０（又は第２綴杆３０）に位置する領域を狭い幅の孔で形成され、表紙体１０１０を開いたときには太い枢結部１６（又は連結部１４）に位置する領域を、広い幅の孔で形成される。
【００３４】
前記貫挿孔１４８は、第１綴杆２０及び第２綴杆３０の第１綴杆の綴杆係止部２２及び第２綴杆の綴杆係止部３２を枢結部１６のシャフト部１００の長手方向に移動させて脱係できるように、隣接する貫挿孔１４８と貫挿孔１４８との間に間隙を設けて並んで、綴具１０の綴杆部１２を枢結部１６を中心にして開閉自在に貫挿している。
境界１４６と貫挿孔１４８との間隔は、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具１０の枢結部１６が位置できる長さに構成されている。
又、変形部１４４の長さは、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具１０の枢結部１６が位置できる長さに構成されている。
綴具１０は、表紙体１０１０の内側であって背表紙部１０１６に近い位置に取り付けられ、綴具１０の連結領域及び枢結領域を変形部１４４の下方であって裏表紙部１０１４の内側と変形部１４４の下側面との間に位置させ、第２綴具部材１８Ｂの第２綴杆３０を背表紙部１０１６に近い側に位置させて、裏表紙部１０１４に取り付けられている。
【００３５】
この実施の形態においては、前記表紙体１０１０は、裏表紙部１０１４において、背表紙部１０１６に近い位置に、裏表紙部１０１４の高さ方向（長手方向）にのびる折曲部１０２０を形成されている。
前記取付部材１４０の貫挿孔１４８は、貫挿孔１４８に緩挿された綴具１０が背表紙部１０１６の近くに位置し且つ表紙体１０１０を折曲部１０２０において略３６０度捲りかえしたときに折曲部１０２０の近くに位置するように綴具１０を取り付けられる部位に形成されるとともに、屈曲部１５０を構成する境界１４６との間に綴具１０の連結領域及び／又は枢結領域の幅以上の間隔をおいて、表紙体１０１０を閉じたときには綴具１０が表紙体１０１０の内面に位置し、表紙体１０１０を開いたときには、綴具１０が表紙部（表表紙部１０１２、裏表紙部１０１４及び背表紙部１０１６）の内面から離れて折り曲げられた折曲部１０２０の近くに位置するように形成されている。
前記綴具１０は、連結領域及び／又は枢結領域を、表紙体１０１０を閉じたときに表紙体１０１０の内側の近くに位置し、且つ表紙体１０１０を開いたときに表紙体１０１０の内側から外れた外側で折曲部１０２０の近くに位置するように、取付部材１４０の変形部１４４に取り付けられている。
変形部１４４は、開かれて平板状態にされた表紙体１０１０の折れ曲がった端縁の外側で、平板状態にされた表紙体１０１０の延長線、もしくは延長面の上において、平板状態の表紙体１０１０とほぼ平行にないしは斜交して外方に伸びる。
綴具１０は、その枢結部１６が表紙体１０１０の近くで、綴杆部１２の第１綴杆の綴杆係止部２２及び第２綴杆の綴杆係止部３２が遠くで、開かれて平板状態にされた表紙体１０１０の折れ曲がった端縁の外側で、平板状態にされた表紙体１０１０の延長線、もしくは延長面の上において、並ぶ。
【００３６】
綴具１０に綴じられたリーフ１１１０及び表紙体１０１０の表表紙部１０１２は、図１７において示すように、枢結部１６側に向けて捲りかえされ、閉じられて積層されていたときのリーフの表側１１１０ａとリーフの裏側１１１０ｂとを枢結部１６を挟んで向かい合わせるようにして、筆記等に用いることができる。
【００３７】
取付部材２２４０は、次のように構成してもよい。
図１９は、別の取付部材を示す断面図解図であり、図２０は、別の取付部材を示す表紙体及び取付部材を示す平面図解図である。
取付部材２２４０は、表紙体１０１０に固定される定形部２２４２と、綴具１０を取り付ける領域となる変形部２２４４とを備え、熱溶着可能な熱可塑性樹脂で一体成形されている。
定形部２２４２は、裏表紙部１０１４の長さと略同じかそれより僅かに短い長さと、熱溶着されるに適する短い幅とを備える、薄板状である。
【００３８】
前記定形部２２４２は、裏表紙部１０１４に形成された折曲部１０２０に沿って、前記定形部２２４２の固定面を裏表紙部１０１４の内側面に、熱溶着により固着されている。定形部２２４２と変形部２２４４との境界２２４６は、直線状であり、折曲部１０２０に平行になるように形成されている。
【００３９】
変形部２２４４は、定形部２２４２の幅方向に突設されている。
変形部２２４４は、折曲部１０２０から綴具１０の綴杆部１２の中央に至る幅を備え、その中央に綴杆部１２を貫挿するための貫挿孔２２４８を穿設されている。
変形部２２４４は、屈曲部２２５０を構成する境界２２４６から表紙体１０１０の内方に向けて立ち上げて、境界２２４６とは離れた領域すなわち貫挿孔２２４８より離れた側を、第１綴杆２０と第２綴杆３０との間で連結部１４及び枢結部１６の上方に位置させる。
変形部２２４４は、綴具１０の綴杆部１２の数に対応した数の貫挿孔２２４８を、並列された綴杆部１２の間隔に対応して穿設され、背表紙部１０１６とは離れた側に位置する第２綴杆３０の半割杆３０Ａを貫挿される。
【００４０】
定形部２２４２は、綴具１０の背表紙部１０１６側に位置し、裏表紙部１０１４の内面に固着され、変形部２２４４は、綴具１０の表表紙部１０１２及び裏表紙部１０１４の自由端側（背表紙部１０１６に連設された側とは反対側）に向けて斜め上方に伸びる。
折曲部１０２０は、綴具１０の連結部１４より背表紙部１０１６側に位置して形成されている。
そして、貫挿孔２２４８は、背表紙部１０１６に近い側に位置した第１綴杆２０に貫挿されて、綴具１０を表紙体１０１０に取り付ける。
而して、綴具１０は、背表紙部１０１６の内側において、枢結部１６を背表紙部１０１６に沿わせて取り付けられ、定形部２２４２が綴具１０の第１綴具部材１８Ａの第１綴杆２０の側部に並列される。
【００４１】
貫挿孔２２４８は、第１綴具部材１８Ａの第１綴杆２０を向こう側に移動させ、第１綴杆２０の半割杆２０Ａの第１綴杆の綴杆係止部２２と第２綴杆３０の半割杆３０Ａの第２綴杆の綴杆係止部３２との係合を外すことができるように、変形部２２４４の長手方向（すなわち枢結部１６の長手方向）におけるその長さを形成されている。
前記貫挿孔２２４８は、第１綴杆２０及び第２綴杆３０の第１綴杆の綴杆係止部２２及び第２綴杆の綴杆係止部３２を枢結部１６のシャフト部１００の長手方向に移動させて脱係できるように、隣接する貫挿孔２２４８と貫挿孔２２４８との間に間隙を設けて並んで、綴具１０の綴杆部１２を枢結部１６を中心にして開閉自在に貫挿している。
境界２２４６と貫挿孔２２４８との間隔は、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具１０の枢結部１６が位置できる長さに構成されている。
又、変形部２２４４の長さは、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具１０の枢結部１６が位置できる長さに構成されている。
綴具１０は、表紙体１０１０の内側であって背表紙部１０１６に近い位置に取り付けられ、綴具１０の連結領域及び枢結領域を変形部２２４４の下方であって裏表紙部１０１４の内側と変形部２２４４の下側面との間に位置させ、第２綴具部材１８Ｂの第２綴杆３０を背表紙部１０１６に近い側に位置させて、裏表紙部１０１４に取り付けられている。
【００４２】
この実施の形態においては、前記表紙体１０１０は、裏表紙部１０１４において、背表紙部１０１６に近い位置に、裏表紙部１０１４の長手方向にのびる折曲部１０２０を形成されている。
前記取付部材２２４０の貫挿孔２２４８は、貫挿孔２２４８に緩挿された綴具１０が背表紙部１０１６の近くに位置し且つ表紙体１０１０を第１ヒンジ部１０２２、第２ヒンジ部１０２４及び／又は折曲部１０２０において略３６０度捲りかえしたときに折曲部１０２０の近くに位置するように綴具１０を取り付けられる部位に形成されるとともに、屈曲部２２５０を構成する境界２２４６との間に綴具１０の連結領域及び／又は枢結領域の幅以上の間隔をおいて、表紙体１０１０を閉じたときには綴具１０が表紙体１０１０の内面に位置し、表紙体１０１０を開いたときには、綴具１０が表紙部（表表紙部１０１２、裏表紙部１０１４及び背表紙部１０１６）の内面から離れて折り曲げられた折曲部１０２０の近くに位置するように形成されている。
前記綴具１０は、連結領域及び／又は枢結領域を、表紙体１０１０を閉じたときに表紙体１０１０の内側の近くに位置し、且つ表紙体１０１０を開いたときに表紙体１０１０の内側から外れた外側で折曲部１０２０の近くに位置するように、取付部材２２４０の変形部２２４４に取り付けられている。
変形部２２４４は、開かれて平板状態にされた表紙体１０１０の折れ曲がった端縁の外側で、平板状態にされた表紙体１０１０の延長線、もしくは延長面の上において、平板状態の表紙体１０１０とほぼ平行にないしは斜交して外方に伸びる。
綴具１０は、その枢結部１６が表紙体１０１０の近くで、綴杆部１２の第１綴杆の綴杆係止部２２及び第２綴杆の綴杆係止部３２が遠くで、開かれて平板状態にされた表紙体１０１０の折れ曲がった端縁の外側で、平板状態にされた表紙体１０１０の延長線、もしくは延長面の上において、並ぶ。
【００４３】
綴具１０に綴じられたリーフ１１１０及び表紙体１０１０の表表紙部１０１２は、図１９において示すように、枢結部１６側に向けて捲りかえされ、閉じられて積層されていたときのリーフの表側１１１０ａとリーフの裏側１１１０ｂとを枢結部１６を挟んで向かい合わせるようにして、筆記等に用いることができる。
【００４４】
図２１は、別の取付部材を示す断面図解図であり、図２２は、別の取付部材を示す表紙体及び取付部材を示す平面図解図である。
取付部材２３４０は、表紙体１０１０に固定される定形部２３４２と、綴具１０を取り付ける領域となる変形部２３４４とを備え、熱溶着可能な熱可塑性樹脂で一体成形されている。
定形部２３４２は、裏表紙部１０１４の長さと略同じかそれより僅かに短い長さと、熱溶着されるに適する短い幅とを備える、薄板状である。
【００４５】
前記定形部２３４２は、裏表紙部１０１４に高さ方向において形成された折曲部１０２０に沿って、前記定形部２３４２の固定面を裏表紙部１０１４の内側面に、熱溶着により固着されている。定形部２３４２と変形部２３４４との境界２３４６は、直線状であり、折曲部１０２０に平行になるように形成されている。
【００４６】
変形部２３４４は、定形部２３４２の幅方向に突設されている。
変形部２３４４は、折曲部１０２０から綴具１０の綴杆部１２の中央に至る幅を備え、その中央に綴杆部１２を貫挿するための貫挿孔２３４８を穿設されている。
変形部２３４４は、屈曲部２３５０を構成する境界２３４６から表紙体１０１０の内方に向けて立ち上げて、境界２３４６とは離れた領域すなわち貫挿孔２３４８より離れた側を、第１綴杆２０と第２綴杆３０との間で連結部１４及び枢結部１６の上方に位置させる。
変形部２３４４は、綴具１０の綴杆部１２の数に対応した数の貫挿孔２３４８を、並列された綴杆部１２の間隔に対応して穿設され、背表紙部１０１６とは離れた側に位置する第２綴杆３０の半割杆３０Ａを貫挿される。
【００４７】
変形部２３４４は、横断面Ｌ字形に屈曲されている。
定形部２３４２は、綴具１０の表表紙部１０１２及び裏表紙部１０１４の自由端側すなわち背表紙部１０１６より遠い側に位置して裏表紙部１０１４の内面に固着される。
【００４８】
この実施の形態においては、変形部２３４４は、横断面Ｖ字形に屈曲され、背表紙部１０１６側の第１変形部２３４４Ａと定形部２３４２側の第２変形部２３４４Ｂとを形成されている。第１変形部２３４４Ａと第２変形部２３４４Ｂとの間に屈曲部２３５０を構成する第１屈曲部２３５０Ａを形成され、第２変形部２３４４Ｂと定形部２３４２との間の屈曲部（第２屈曲部２３５０Ｂ）を構成する境界２３４６は、第１屈曲部２３５０Ａと平行である。
変形部２３４４は、第１変形部２３４４Ａと第２変形部２３４４Ｂとの間に形成された第１屈曲部２３５０Ａを綴具１０の連結領域の上方に位置させ、背表紙部１０１６側の第１変形部２３４４Ａは、第１屈曲部２３５０Ａで第２変形部２３４４Ｂとの間を折り曲げられて、裏表紙部１０１４の自由端側の定形部２３４２は、境界２３４６で第２変形部２３４４Ｂとの間を折り曲げられて裏表紙部１０１４の折曲部１０２０の近傍に固着され、綴具１０を表紙体１０１０に取り付けられている。
第１変形部２３４４Ａの第１貫挿孔２３４８Ａは、背表紙部１０１６に近い側に位置した第１綴杆２０に貫挿され、第２変形部２３４４Ｂの第２貫挿孔２３４８Ｂは、裏表紙部１０１４の自由端側（背表紙部１０１６とは反対側）に近い側に位置した第２綴杆３０に貫挿される。
而して、綴具１０は、背表紙部１０１６の内側において、枢結部１６を背表紙部１０１６に沿わせて取り付けられ、定形部２３４２が綴具１０の第２綴具部材１８Ｂの第２綴杆３０の側部であって裏表紙部１０１４の自由端側（背表紙部１０１６とは反対側）に並列される。
【００４９】
貫挿孔２３４８は、第１綴具部材１８Ａ側の第１変形部２３４４Ａに穿設された第１貫挿孔２３４８Ａと第２綴具部材１８Ｂ側の第２変形部２３４４Ｂに穿設された第２貫挿孔２３４８Ｂとを備えており、第１貫挿孔２３４８Ａと第２貫挿孔２３４８Ｂとは、第１綴具部材１８Ａの第１綴杆２０を向こう側に移動させ、第１綴杆２０の半割杆２０Ａの第１綴杆の綴杆係止部２２と第２綴杆３０の半割杆３０Ａの第２綴杆の綴杆係止部３２との係合を外すことができるように、変形部２３４４の長手方向（すなわち枢結部１６の長手方向）におけるその長さを形成されている。
前記貫挿孔２３４８は、第１綴杆２０及び第２綴杆３０の第１綴杆の綴杆係止部２２及び第２綴杆の綴杆係止部３２を枢結部１６のシャフト部１００の長手方向に移動させて脱係できるように、隣接する貫挿孔２３４８と貫挿孔２３４８との間に間隙を設けて並んで、綴具１０の綴杆部１２を枢結部１６を中心にして開閉自在に貫挿している。
【００５０】
貫挿孔２３４８は、図２３において示すように、第１貫挿孔２３４８Ａと第２貫挿孔２３４８Ｂとの間において変形部２３４４の長手方向における長さを変更してもよい。第１貫挿孔２３４８Ａは、開閉時に移動する第１綴杆２０の半割杆２０Ａの移動を許容する広い幅とし、第２貫挿孔２３４８Ｂは、第１貫挿孔２３４８Ａより狭い幅とした、平面視略Ｌ字形に形成されている。
境界２３４６と第２貫挿孔２３４８Ｂとの間隔並びに屈曲部２３５０及び第１変形部２３４４Ａの自由端縁と第１貫挿孔２３４８Ａとの間隔は、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具１０の枢結部１６が位置できる長さに構成されている。
又、変形部２３４４の長さは、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具１０の枢結部１６が位置でき且つ枢結部１６の外側に第１屈曲部２３５０Ａが位置できる長さに構成されている。
綴具１０は、表紙体１０１０の内側であって背表紙部１０１６に近い位置に取り付けられ、綴具１０の連結領域及び枢結領域を変形部２３４４の第１屈曲部２３５０Ａの下方であって裏表紙部１０１４の内側と変形部２３４４の下側面との間に位置させて、裏表紙部１０１４に取り付けられている。
【００５１】
この実施の形態においては、前記表紙体１０１０は、裏表紙部１０１４において、背表紙部１０１６に近い位置に、裏表紙部１０１４の長手方向にのびる折曲部１０２０及び第２屈曲部２３５０Ｂを形成されている。
前記取付部材２３４０の貫挿孔２３４８は、貫挿孔２３４８に緩挿された綴具１０が背表紙部１０１６の近くに位置し且つ表紙体１０１０を第１ヒンジ部１０２２、第２ヒンジ部１０２４及び／又は折曲部１０２０において略３６０度捲りかえしたときに折曲部１０２０の近くに位置するように綴具１０を取り付けられる部位に形成されるとともに、屈曲部２３５０との間に綴具１０の連結領域及び／又は枢結領域の幅以上の間隔をおいて、表紙体１０１０を閉じたときには綴具１０が表紙体１０１０の内面に位置し、表紙体１０１０を開いたときには、綴具１０が表紙部（表表紙部１０１２、裏表紙部１０１４及び背表紙部１０１６）の内面から離れて折り曲げられた折曲部１０２０の近くに位置するように形成されている。
前記綴具１０は、連結領域及び／又は枢結領域を、表紙体１０１０を閉じたときに表紙体１０１０の内側の近くに位置し、且つ表紙体１０１０を開いたときに表紙体１０１０の内側から外れた外側で折曲部１０２０の近くに位置するように、取付部材２３４０の変形部２３４４に取り付けられている。
変形部２３４４は、開かれて平板状態にされた表紙体１０１０の折れ曲がった端縁の外側で、平板状態にされた表紙体１０１０の延長線、もしくは延長面の上において、平板状態の表紙体１０１０とほぼ平行にないしは斜交して外方に伸びる。
綴具１０は、その枢結部１６が表紙体１０１０の近くで、綴杆部１２の第１綴杆の綴杆係止部２２及び第２綴杆の綴杆係止部３２が遠くで、開かれて平板状態にされた表紙体１０１０の折れ曲がった端縁の外側で、平板状態にされた表紙体１０１０の延長線、もしくは延長面の上において、並ぶ。
【００５２】
綴具１０に綴じられたリーフ１１１０及び表紙体１０１０の表表紙部１０１２は、図２１において示すように、枢結部１６側に向けて捲りかえされ、閉じられて積層されていたときのリーフの表側１１１０ａとリーフの裏側１１１０ｂとを枢結部１６を挟んで接し合わせるようにして、筆記等に用いることができる。
【００５３】
図２４は、別の取付部材を示す断面図解図であり、図２５は、別の取付部材を示す表紙体及び取付部材を示す平面図解図である。
取付部材２４４０は、表紙体１０１０に固定される定形部２４４２と、綴具１０を取り付ける領域となる変形部２４４４とを備え、熱溶着可能な熱可塑性樹脂で一体成形されている。
定形部２４４２は、裏表紙部１０１４の長さと略同じかそれより僅かに短い長さと、熱溶着されるに適する短い幅とを備える、薄板状である。
【００５４】
定形部２４４２は、変形部２４４４の両端に形成されている。
前記定形部２４４２は、裏表紙部１０１４に高さ方向において形成された折曲部１０２０に沿って、前記定形部２４４２の固定面を裏表紙部１０１４の内側面に、熱溶着により固着されている。
定形部２４４２と変形部２４４４との境界２４４６は、直線状であり、折曲部１０２０に平行になるように形成されている。
【００５５】
変形部２４４４は、定形部２４４２の幅方向に突設されている。
変形部２４４４は、折曲部１０２０から綴具１０の綴杆部１２の中央に至る幅を備え、その中央に綴杆部１２を貫挿するための貫挿孔２４４８を穿設されている。
変形部２４４４は、屈曲部２４５０を構成する境界２４４６から表紙体１０１０の内方に向けて立ち上げて、境界２４４６とは離れた領域すなわち貫挿孔２４４８より離れた側を、第１綴杆２０と第２綴杆３０との間で連結部１４及び枢結部１６の上方に位置させる。
変形部２４４４は、綴具１０の綴杆部１２の数に対応した数の貫挿孔２４４８を、並列された綴杆部１２の間隔に対応して穿設され、背表紙部１０１６とは離れた側に位置する第２綴杆３０の半割杆３０Ａを貫挿される。
【００５６】
変形部２４４４は、横断面円弧状ないし楕円状の筒状に形成され、背表紙部１０１６側の第１変形部２４４４Ａと表表紙部１０１２及び裏表紙部１０１４の自由端側の第２変形部２４４４Ｂとを形成されている。
定形部２４４２は、変形部２４４４の両端に形成されている。
第１変形部２４４４Ａの自由端縁側の第１定形部２４４２Ａは、裏表紙部１０１４に直接接して溶着され、第２変形部２４４４Ｂの自由端縁側の第２定形部２４４２Ｂは、前記第１定形部２４４２Ａの表面に溶着されている。
【００５７】
この実施の形態においては、変形部２４４４は、横断面略楕円形にわん曲され、第１定形部２４４２Ａ側の第１変形部２４４４Ａと第２定形部２４４２Ｂ側の第２変形部２４４４Ｂとを形成されている。第１変形部２４４４Ａと第２変形部２４４４Ｂとの間に円弧状部を形成され、第１変形部２４４４Ａと第１定形部２４４２Ａとの間の第１境界２４４６Ａ及び第２変形部２４４４Ｂと第２定形部２４４２Ｂとの間の第２境界２４４６Ｂは、円弧状部と平行である。
変形部２４４４は、略中央部を綴具１０の連結領域の上方に位置させ、表紙体１０１０の表表紙部１０１２及び裏表紙部１０１４の自由端側の第２変形部２４４４Ｂの第２貫挿孔２４４８Ｂを第２綴杆３０に貫挿させ、表紙体１０１０の背表紙部１０１６側の第１変形部２４４４Ａの第１貫挿孔２４４８Ａを第１綴杆２０に貫挿させて、綴具１０を表紙体１０１０に取り付けられる。
而して、綴具１０は、背表紙部１０１６の内側において、枢結部１６を背表紙部１０１６に沿わせて取り付けられ、定形部２４４２が綴具１０の第２綴具部材１８Ｂの第２綴杆３０の側部に並列される。
【００５８】
貫挿孔２４４８は、第１綴具部材１８Ａ側の第１変形部２４４４Ａに穿設された第１貫挿孔２４４８Ａと第２綴具部材１８Ｂ側の第２変形部２４４４Ｂに穿設された第２貫挿孔２４４８Ｂとを備えており、第１貫挿孔２４４８Ａと第２貫挿孔２４４８Ｂとは、第１綴具部材１８Ａの第１綴杆２０を向こう側に移動させ、第１綴杆２０の半割杆２０Ａの第１綴杆の綴杆係止部２２と第２綴杆３０の半割杆３０Ａの第２綴杆の綴杆係止部３２との係合を外すことができるように、変形部２４４４の長手方向（すなわち枢結部１６の長手方向）におけるその長さを形成されている。
前記貫挿孔２４４８は、第１綴杆２０及び第２綴杆３０の第１綴杆の綴杆係止部２２及び第２綴杆の綴杆係止部３２を枢結部１６のシャフト部１００の長手方向に移動させて脱係できるように、隣接する貫挿孔２４４８と貫挿孔２４４８との間に間隙を設けて並んで、綴具１０の綴杆部１２を回動自在に嵌挿している。
境界２４４６と貫挿孔２４４８との間隔は、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具１０の枢結部１６が位置できる長さに構成されている。
又、変形部２４４４の長さは、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具１０の枢結部１６が位置でき、且つ枢結部１６の外側に変形部２４４４の中央の円弧状部が位置できる長さに構成されている。
綴具１０は、表紙体１０１０の内側であって背表紙部１０１６に近い位置に取り付けられ、綴具１０の連結領域及び枢結領域を円弧状の変形部２４４４の内側であって裏表紙部１０１４の内側と変形部２４４４の下側面との間に位置させて、裏表紙部１０１４に取り付けられている。
【００５９】
この実施の形態においては、前記表紙体１０１０は、背表紙部１０１６の幅方向における略中央に背表紙部１０１６の長手方向にのびる折曲部１０２０を形成されている。
前記取付部材２４４０の貫挿孔２４４８は、貫挿孔２４４８に緩挿された綴具１０が背表紙部１０１６の近くに位置し且つ表紙体１０１０を第１ヒンジ部１０２２、第２ヒンジ部１０２４及び／又は折曲部１０２０において略３６０度捲りかえしたときに折曲部１０２０の近くに位置するように綴具１０を取り付けられる部位に形成されるとともに、屈曲部２４５０を構成する境界２４４６との間に綴具１０の連結領域及び／又は枢結領域の幅以上の間隔をおいて、表紙体１０１０を閉じたときには綴具１０が表紙体１０１０の内面に位置し、表紙体１０１０を開いたときには、綴具１０が表紙部（表表紙部１０１２、裏表紙部１０１４及び背表紙部１０１６）の内面から離れて折り曲げられた折曲部１０２０の近くに位置するように形成されている。
前記綴具１０は、連結領域及び／又は枢結領域を、表紙体１０１０を閉じたときに表紙体１０１０の内側の近くに位置し、且つ表紙体１０１０を開いたときに表紙体１０１０の内側から外れた外側で折曲部１０２０の近くに位置するように、取付部材２４４０の変形部２４４４に取り付けられている。
変形部２４４４は、開かれて平板状態にされた表紙体１０１０の折れ曲がった端縁の外側で、平板状態にされた表紙体１０１０の延長線、もしくは延長面の上において、平板状態の表紙体１０１０とほぼ平行にないしは斜交して外方に伸びる。
綴具１０は、その枢結部１６が表紙体１０１０の近くで、綴杆部１２の第１綴杆の綴杆係止部２２及び第２綴杆の綴杆係止部３２が遠くで、開かれて平板状態にされた表紙体１０１０の折れ曲がった端縁の外側で、平板状態にされた表紙体１０１０の延長線、もしくは延長面の上において、並ぶ。
【００６０】
綴具１０に綴じられたリーフ１１１０及び表紙体１０１０の表表紙部１０１２は、図２４において示すように、枢結部１６側に向けて捲りかえされ、閉じられて積層されていたときのリーフの表側１１１０ａとリーフの裏側１１１０ｂとを枢結部１６を挟んで向かい合わせるようにして、筆記等に用いることができる。
【００６１】
図２６は、別の取付部材を示す断面図解図であり、図２７は、別の取付部材を示す表紙体及び取付部材を示す平面図解図である。
取付部材２５４０は、表紙体１０１０に固定される定形部２５４２と、綴具１０を取り付ける領域となる変形部２５４４とを備え、熱溶着可能な熱可塑性樹脂で一体成形されている。
定形部２５４２は、背表紙部１０１６の長さと略同じかそれより僅かに短い長さと、熱溶着されるに適する短い幅とを備える、柔軟性を有する薄板状である。
【００６２】
前記定形部２５４２は、変形部２５４４の両端に形成され、背表紙部１０１６側の第１定形部２５４２Ａの固定面を表表紙部１０１２の内側面で背表紙部１０１６に近い側に位置して、熱溶着により固着され、裏表紙部１０１４側の第２定形部２５４２Ｂの固定面を裏表紙部１０１４の内側面で背表紙部１０１６に近い側に位置して、熱溶着により固着されている。
定形部２５４２と変形部２５４４との境界２５４６は、直線状であり、折曲部１０２０並びに第１ヒンジ部１０２２及び第２ヒンジ部１０２４に平行になるように形成されている。
【００６３】
変形部２５４４は、定形部２５４２の幅方向に突設されている。
変形部２５４４は、変形部２５４４から綴具１０の綴杆部１２の中央に至る幅を備え、その中央に綴杆部１２を貫挿するための貫挿孔２５４８を穿設されている。
変形部２５４４は、第２屈曲部２５５０Ｂを構成する境界２５４６から表紙体１０１０の内方に向けて立ち上げて、境界２５４６とは離れた領域すなわち貫挿孔２５４８より離れた側を第１綴杆２０と第２綴杆３０との間で連結部１４及び枢結部１６の上方に位置させる。
変形部２５４４は、綴具１０の綴杆部１２の数に対応した数の貫挿孔２５４８を、並列された綴杆部１２の間隔に対応して穿設され、背表紙部１０１６とは離れた側に位置する第１綴杆２０の半割杆２０Ａ及び第２綴杆３０の半割杆３０Ａを貫挿される。
【００６４】
この実施の形態においては、変形部２５４４は、横断面Ｖ字形に屈曲され、第１定形部２５４２Ａ側の第１変形部２５４４Ａと第２定形部２５４２Ｂ側の第２変形部２５４４Ｂとを形成されている。第１変形部２５４４Ａと第２変形部２５４４Ｂとの間に屈曲部２５５０を構成する第１屈曲部２５５０Ａを形成され、第１変形部２５４４Ａと第１定形部２５４２Ａとの間の屈曲部２５５０を構成する第１境界２５４６Ａ及び第２変形部２５４４Ｂと第２定形部２５４２Ｂとの間の屈曲部２５５０を構成する第２境界２５４６Ｂは、第１屈曲部２５５０Ａと平行である。
変形部２５４４は、第１変形部２５４４Ａと第２変形部２５４４Ｂとの間に形成された第１屈曲部２５５０Ａを綴具１０の連結領域の上方に位置させ、表表紙部１０１２側の第１定形部２５４２Ａは、第１境界２５４６Ａで第１変形部２５４４Ａとの間を折り曲げられて表表紙部１０１２の第１ヒンジ部１０２２の近傍に固着され、裏表紙部１０１４側の第２定形部２５４２Ｂは、第２境界２５４６Ｂで第１変形部２５４４Ａとの間を折り曲げられて裏表紙部１０１４の第２ヒンジ部１０２４の近傍に固着され、綴具１０を表紙体１０１０に取り付けられている。
第１変形部２５４４Ａの第１貫挿孔２５４８Ａは、表表紙部１０１２側に位置した第１綴杆２０に貫挿され、第２変形部２５４４Ｂの第２貫挿孔２５４８Ｂは、裏表紙部１０１４側に位置した第２綴杆３０に貫挿される。
而して、綴具１０は、背表紙部１０１６の内側において、背表紙部１０１６に沿って取り付けられ、定形部２５４２が綴具１０の側部に並列される。
【００６５】
貫挿孔２５４８は、第１綴具部材１８Ａの第１綴杆２０を向こう側に移動させ、第１綴杆２０の半割杆２０Ａの第１綴杆の綴杆係止部２２と第２綴杆３０の半割杆３０Ａの第２綴杆の綴杆係止部３２との係合を外すことができるように、変形部２５４４の長手方向（すなわち枢結部１６の長手方向）におけるその長さを形成されている。
前記貫挿孔２５４８は、第１綴杆２０及び第２綴杆３０の第１綴杆の綴杆係止部２２及び第２綴杆の綴杆係止部３２を枢結部１６のシャフト部１００の長手方向に移動させて脱係できるように、隣接する貫挿孔２５４８と貫挿孔２５４８との間に間隙を設けて並んで、綴具１０の綴杆部１２を回動自在に嵌挿している。
境界２５４６と貫挿孔２５４８との間隔は、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具１０の枢結部１６が位置できる長さに構成されている。
又、第１変形部２５４４Ａ及び第２変形部２５４４Ｂの長さは、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具１０の枢結部１６が位置でき且つ枢結部１６の外側に第１屈曲部２５５０Ａが位置できる長さに構成されている。
綴具１０は、表紙体１０１０の内側であって背表紙部１０１６に近い位置に取り付けられ、綴具１０の連結領域及び枢結領域を変形部２５４４の下方であって背表紙部１０１６の内側と変形部２５４４の下側面との間に位置させ、且つ第１綴具部材１８Ａの第１綴杆２０を表表紙部１０１２側に位置させ、第２綴具部材１８Ｂの第２綴杆３０を裏表紙部１０１４側に位置させて、背表紙部１０１６の内方で表表紙部１０１２と裏表紙部１０１４との間に取り付けられている。
【００６６】
この実施の形態においては、前記表紙体１０１０は、背表紙部１０１６の幅方向における略中央に背表紙部１０１６の高さ方向（長手方向）にのびる折曲部１０２０を形成されている。
前記取付部材２５４０の貫挿孔２５４８は、貫挿孔２５４８に緩挿された綴具１０が背表紙部１０１６の近くに位置し且つ表紙体１０１０を第１ヒンジ部１０２２、第２ヒンジ部１０２４及び／又は折曲部１０２０において略３６０度捲りかえしたときに折曲部１０２０の近くに位置するように綴具１０を取り付けられる部位に形成されるとともに、屈曲部２５５０を構成する第１屈曲部２５５０Ａとの間に綴具１０の連結領域及び／又は枢結領域の幅以上の間隔をおいて、表紙体１０１０を閉じたときには綴具１０が表紙体１０１０の内面に位置し、表紙体１０１０を開いたときには、綴具１０が表紙部（表表紙部１０１２、裏表紙部１０１４及び背表紙部１０１６）の内面から離れて折り曲げられた折曲部１０２０の近くに位置するように形成されている。
前記綴具１０は、連結領域及び／又は枢結領域を、表紙体１０１０を閉じたときに表紙体１０１０の内側の近くに位置し、且つ表紙体１０１０を開いたときに表紙体１０１０の内側から外れた外側で折曲部１０２０の近くに位置するように、取付部材２５４０の変形部２５４４に取り付けられている。
【００６７】
前記図２６Ａ図示実施の形態においては、第１変形部２５４４Ａ及び第２変形部２５４４Ｂは、比較的硬質の合成樹脂で成形されているが、これを、図２６Ｂ図示例のように、比較的軟質の合成樹脂で形成されてもよい。
第１変形部２５４４Ａ及び第２変形部２５４４Ｂが軟質の場合、リーフ１１１０を閉じたときに、第１変形部２５４４Ａ及び第２変形部２５４４Ｂはわん曲し、綴具１０は、背表紙部１０１６に近い位置に位置される。そして、リーフ１１１０を開いたときに、第１変形部２５４４Ａ及び第２変形部２５４４Ｂは伸び、背表紙部１０１６は、折曲部１０２０を内方に向けて屈曲し、表表紙部１０１２と背表紙部１０１４とを開くことができる。
変形部２５４４は、開かれて平板状態にされた表紙体１０１０の折れ曲がった端縁の外側で、平板状態にされた表紙体１０１０の延長線、もしくは延長面の上において、平板状態の表紙体１０１０とほぼ平行にないしは斜交して外方に伸びる。
綴具１０は、その枢結部１６が表紙体１０１０の近くで、綴杆部１２の第１綴杆の綴杆係止部２２及び第２綴杆の綴杆係止部３２が遠くで、開かれて平板状態にされた表紙体１０１０の折れ曲がった端縁の外側で、平板状態にされた表紙体１０１０の延長線、もしくは延長面の上において、並ぶ。
【００６８】
綴具１０に綴じられたリーフ１１１０及び表紙体１０１０の表表紙部１０１２は、図２６において示すように、枢結部１６側に向けて捲りかえされ、閉じられて積層されていたときのリーフの表側１１１０ａとリーフの裏側１１１０ｂとを枢結部１６を挟んで向かい合わせるようにして、筆記等に用いることができる。
【００６９】
弾発部材１０２は、次のように構成してもよい。
図２８Ａは、別の弾発部材及びその弾発部材を第１及び第２綴具部材に取り付けられた状態における平面図解図であり、図２８Ｂは、図２８Ａ図示綴具の断面図解図であり、（Ａ）は閉じた状態の断面図解図であり、（Ｂ）は開いた状態の断面図解図であり、図２８Ｃは、更に別の弾発部材の正面図解図である。
図２８Ａ図示弾発部材１０２は、ねじりコイルバネからなり、巻線部１０２ａと巻線部１０２ａの両端から巻線部１０２ａの中心軸と直交ないし交差する方向に伸びる直線状の第１固定先端部１０２ｂと直線状の第２固定先端部１０２ｃとが連設され、ねじりモーメントが発生しない元の状態は、巻線部１０２ａの外方で接線方向に第１固定先端部１０２ｂと第２固定先端部１０２ｃとが突き出されている。
そして、弾発部材１０２の巻線部１０２ａの両端から延びる先端部を支持するために、前記連結部１４に支持部５０ａ及び支持部６０ａが形成されている。
前記弾発部材１０２の巻線部１０２ａの両端から延びる固定先端部は、第１綴具部材１８Ａの第１連結部５０に形成された支持部５０ａ、及び前記支持部５０ａと対向する第２綴具部材１８Ｂの第２連結部６０の支持部６０ａに係止され、支持されている。
すなわち、一方の第１固定先端部１０２ｂは、第１連結部５０の支持部５０ａに支持され、また、もう一方の第２固定先端部１０２ｃは、第１固定先端部１０２ｂと向き合うように第２連結部６０の支持部６０ａに支持されている。
押圧部１１０を指で押すことにより、係止された第１綴杆の綴杆係止部２２及び第２綴杆の綴杆係止部３２を外すとき、移動する方向とは反対側にある第１連結部５０の支持部５０ａに第１固定先端部１０２ｂは支持され、移動する方向とは反対側にある第２連結部６０の支持部６０ａにもう一方の第２固定先端部１０２ｃは、支持されている。
一方の固定先端部１０２ｂ及び他方の固定先端部１０２ｃは、元々開いた状態にあったが、第１綴杆２０と第２綴杆３０とが閉じた状態にあるときは、元々開いた状態にあったところからほぼ平行に接近させた第１固定先端部１０２ｂと第２固定先端部１０２ｃとが、連結部１４の支持部５０ａ，支持部６０ａに支持されている。すなわち、弾発部材１０２は、第１固定先端部１０２ｂが第１連結部５０の支持部５０ａに係止され且つ第２固定先端部１０２ｃが第２連結部６０の支持部６０ａに係止されてねじられた状態になる。
【００７０】
そして、弾発部材１０２は、その向こう側端が第２綴具部材１８Ｂの第２受け部９０の手前側端に接し、その手前側端が第１綴具部材１８Ａの第１受け部８０の向こう側端に接して、復元力（均一な）によって第１綴具部材１８Ａを手前側に押し下げ且つ第２綴具部材１８Ｂを向こう側に押し上げるように構成されている。
而して、弾発部材１０２は、綴杆部１２を閉じているときには、第１綴杆の綴杆係止部２２と第２綴杆の綴杆係止部３２とを係合させる方向に作用している。
押圧部１１０を指で押すことにより、係止された第１綴杆の綴杆係止部２２及び第２綴杆の綴杆係止部３２を外すときには、弾発部材１０２の弾発力に抗して第１綴具部材１８Ａの第１綴杆２０を向こう側に移動させ且つ第２綴具部材１８Ｂの２綴杆３０を手前側に移動させて、閉じていた第１綴杆２０と第２綴杆３０とを開く。
押圧部１１０を指で押して第１綴具部材１８Ａの第１連結部５０と第２綴具部材１８Ｂの第２連結部６０とをそれぞれを反対方向に相対移動させると、第１連結部５０と第２連結部６０とは、弾発部材１０２が元の状態に戻ろうとする力、すなわち一方の第１固定先端部１０２ｂと他方の第２固定先端部１０２ｃとが回転方向に回転して綴杆部１２を開くように力が働くことにより、回転方向に回転する。
このように、この実施の形態においては、第１綴杆の綴杆係止部２２および第２綴杆の綴杆係止部３２の係合を解除したとき、一方の第１固定先端部１０２ｂと他方の第２固定先端部１０２ｃとを円周方向において離れさせようとする力が働くことにより、第１綴杆２０及び第１連結部５０と第２綴杆３０及び第２連結部６０とが、開いた状態になる。
【００７１】
第１固定先端部１０２ｂ及び第２固定先端部１０２ｃは、図２８Ｃにおいて示すように、巻線部１０２ａの外方で径方向に突き出された構成としてもよい。
この変形例は、第１連結部５０と第２連結部６０とは、弾発部材１０２が元の状態に戻ろうとする力、すなわち一方の第１固定先端部１０２ｂと他方の第２固定先端部１０２ｃとが回転方向に回転して綴杆部１２を開くように、より強い力が働くことにより、回転方向に回転させることができる。
【００７２】
連結領域に形成された押圧部１１０は、第１綴杆の綴杆係止部２２及び第２綴杆の綴杆係止部３２を係止又は脱係するときに、第１綴杆２０及び第２綴杆３０を開閉させるときの中心ののびる方向である連結部１４の長手方向に、第１綴杆２０又は第２綴杆３０を変位させて第１綴杆の綴杆係止部２２及び第２綴杆の綴杆係止部３２を脱係させるために柱状又は塊状に形成されている。
押圧部１１０は、第１綴具部材１８Ａと第２綴具部材１８Ｂとを連結する連結領域を構成する連結部１４の長手方向で、第１綴杆２０及び第２綴杆３０を開閉させるときの中心ののびる方向である高さ方向における、第１連結部５０の下端部に突設された第１押圧部１１２と、第２連結部６０の上端部に突設された第２押圧部１１４とによって構成されている。
【００７３】
第１押圧部１１２は、第１連結部５０の下方の下端部から、第１綴具部材１８Ａの第１綴杆の綴杆係止部２２を脱係するときに第１連結部５０を移動させる方向とは反対側すなわち手前側（下方）に向けてのびる円柱状棒体であり、第２連結部６０の手前側にのびる大きさに形成され、押圧する面積を大きくとるように形成されている。
第２押圧部１１４は、第２連結部６０の上方の上端部から、第２綴具部材１８Ｂの第２綴杆の綴杆係止部３２を脱係するときに第１連結部５０を移動させる方向とは反対側すなわち向こう側（上方）に向けてのびる円柱状棒体であり、第１連結部５０の向こう側にのびる大きさに形成され、押圧する面積を大きくとるように形成されている。
【００７４】
そして、第１綴杆の綴杆係止部２２及び第２綴杆の綴杆係止部３２は、図２９Ａにおいて示すように、第１押圧部１１２に例えば親指を当て、また第２押圧部１１４に人差指を当て、第１押圧部１１２を向こう側（上方）に向けて、また第２押圧部１１４を手前側（下方）に向けて押して、脱係させる。そして、第１押圧部１１２と第２押圧部１１４とは、図２９Ｂにおいて示すように、第１綴杆２０及び第２綴杆３０ののびる方向において反対方向に回転させて、綴杆部１２を開く。
【００７５】
前記実施の形態によれば、綴具１０は、第１綴杆２０が表表紙部１０１２側に位置し、第２綴杆３０が裏表紙部１０１４側に位置して、背表紙部１０１６の略中央に枢結部１６が位置するように、表紙体１０１０に固定されている。
而して、表紙体１０１０は、折曲部１０２０において、表表紙部１０１２と裏表紙部１０１４とを折り返し、内面を外側にし、外面を向き合わせて、平板状にすれば、表表紙部１０１２の外側端縁と裏表紙部１０１４の外側端縁とが揃い、最小の面積にしてリーフ１１１０に筆記できる。
【００７６】
この発明の実施の形態によれば、綴杆部１２及び連結部１４は、一対の第１綴具部材１８Ａ及び第２綴具部材１８Ｂの各々に形成され、前記綴杆部１２を構成する綴杆２０，３０は、第１綴具部材１８Ａ側の第１綴杆２０と第２綴具部材１８Ｂ側の第２綴杆３０とが向き合うように、前記連結部１４の長手方向に適宜な間隔をおいて、連結部１４の外側部ないし上側部から突設されているので、綴杆部１２を開いたときに綴杆部１２の最下部が例えば表紙体１０１０の表面に接地して水平安定し易く、且つ綴杆部１２を適宜な角度に開き易い。
この発明の実施の形態によれば、綴杆部１２は、前記枢結部１６を中心にして左右に分かれた、対称形である第１綴杆２０及び第２綴杆３０を備え、前記連結部１４は、前記枢結部１６を中心にして左右に分かれた、対称形である第１連結部５０及び第２連結部６０を備えているので、同一の金型で左右の部材を成形することができ、製造がし易い。
この発明の実施の形態によれば、連結部１４は、向き合う第１連結部５０及び第２連結部６０の対向部５６，６６と、前記対向部５６，６６と相対し綴杆２０，３０が突設された外側部５２，６２と、前記対向部５６，６６と外側部５２，６２との間において前記対向部５６，６６及び外側部５２，６２に交差する面で、枢結部１６が連設された下側部５８，６８とを備えているので、第１連結部の対向部５６と第２連結部の対向部６６とは、回転方向と直交し綴具１０を閉じたときに垂直にすなわち高さ方向にのびる平面であって、綴具１０を閉じたときに密着するように形成すれば、綴具１０を閉じたときに第１綴杆の綴杆係止部２２と第２綴杆の綴杆係止部３２との係合状態を安定的に保つことができ、綴杆部１２を構成する第１綴杆２０と第２綴杆３０とにより構成される円環状の径を縮むように作用することを少なくすることができる。
この発明の実施の形態によれば、受け部８０，９０は、前記連結部１４の長手方向に間欠的に形成され、綴杆部１２が前記シャフト部１００を中心にして回転し且つ綴杆部１２を開閉するときに長手方向に相対変移するように形成されているので、複数の綴杆２０，３０で構成される綴杆部１２を一度に開閉させることができる。
この発明の実施の形態によれば、シャフト部１００は、断面円形の棒状であり、前記受け部８０，９０は、全体が弧状で、その内側の円弧部に前記シャフト部１００を装填され、且つその外側の上部において、前記綴杆２０，３０の張り出し方向とは反対方向に張り出すように、前記連結部１４が連設されているので、複数の綴杆２０，３０で構成される綴杆部１２を一度に開閉させることができ、且つ、綴杆部１２の最下部が例えば表紙体１０１０の表面に接地して水平安定し易く、且つ綴杆部１２を適宜な角度に開き易い。
この発明の実施の形態によれば、綴杆２０，３０の基部２０ａ，３０ａは、連結部１４の下部と同じ位置に、下部が位置するように形成され、枢結部１６の受け部８０，９０は、連結部１４の下部と同じ位置に、上部が位置するように形成されているので、綴杆部１２を開いたときに綴杆部１２の最下部が例えば表紙体１０１０の表面に接地して水平安定し易く、且つ綴杆部１２を適宜な角度に開き易い。
この発明の実施の形態によれば、連結部１４の幅は、枢結部１６の幅の２分の１以下であるので、枢結部１６の幅よりはみ出すことがなく、リーフ１１１０を綴杆２０，３０に沿って捲り、３６０度開いたときにリーフ１１１０の表側と裏側との間の隙間が少なく、比較的平坦となり、筆記もし易い。
この発明の実施の形態によれば、枢結部１６の受け部８０，９０は、受け部８０，９０の開口部８４，９４が綴杆２０，３０の外周部に接し、連結部１４は、綴杆２０，３０の内周部から受け部８０，９０の開口部８４，９４までの間の高さを有するので、リーフ１１１０を綴杆２０，３０に沿って捲り、３６０度開いたときにリーフの表側１１１０ａと裏側１１１０ｂとの間の隙間が少なく、比較的平坦となり、筆記もし易い。
この発明の実施の形態によれば、綴杆係止部２２，３２は、綴杆２０，３０の回転方向において係止及び脱係するように、第１綴杆２０の凸部２４及び凹部２６と第２綴杆３０の凹部３６及び凸部３４とが係合するように構成され、且つ、綴杆２０，３０の回転方向と交差する方向に脱係しないように綴杆２０，３０の回転方向にのびる脱係防止部２８，３８が形成されているので、綴杆２０，３０の回転方向と交差する方向に、閉じられた綴杆の綴杆係止部２２，３２が脱係しにくい。
【００７７】
次に、更に別の実施の形態である帳面について説明する。
図３０は、この発明にかかる綴具を用いた手帳の斜視図解図であり、図３１Ａは、この発明にかかる綴具の全体の斜視図解図であり、図３１Ｂは、この発明にかかる綴具の斜視図解図であり、図３２は、この発明にかかる綴具の斜視図解図であり、（Ａ）は全体の図で、（Ｂ）（Ｃ）は半割杆の図であり、図３３は、第１綴具部材の斜視図解図であり、（Ａ）は右側の図であり、（Ｂ）は左側の図であり、図３４は、第２綴具部材の斜視図解図であり、（Ａ）は右側の図であり、（Ｂ）は左側の図であり、図３５は、この発明にかかる綴具を分解した状態における斜視図解図であり、図３６は、第１綴具部材と第２綴具部材とを結合する方法を示す斜視図解図であり、図３７は、閉じた状態における綴具の正面図解図であり、図３８は、閉じた状態における綴具の背面図解図であり、図３９Ａは、図３７Ａ−Ａ部分断面図解図であり、図３９Ｂは、図３７Ｂ−Ｂ断面図解図であり、図３９Ｃは、図３７Ｃ−Ｃ断面図解図であり、図４０は、開き始めた状態における綴具の正面図解図であり、図４１は、開き始めた状態における綴具の背面図解図であり、図４２Ａは、図４０Ａ−Ａ部分断面図解図であり、図４２Ｂは、図４０Ｂ−Ｂ断面図解図であり、図４２Ｃは、図４０Ｃ−Ｃ断面図解図であり、図４３は、手帳の断面図解図であり、（Ａ）は閉じた状態の図で、（Ｂ）は３６０度捲った状態の図である。
【００７８】
この発明にかかる帳面の一種であるノート１０００は、複数の綴杆部４１２、前記綴杆部４１２を連結するための軸受部４１４、前記綴杆部４１２を構成する綴杆を開閉させるときの中心となる枢軸部４１６を備える綴具４１０と、表表紙部１０１２と、裏表紙部１０１４と、表表紙部１０１２と裏表紙部１０１４との間に介在する背表紙部１０１６と、背表紙部１０１６の内側に綴具４１０を取り付けるための取付部５４０とを有する表紙体１０１０とを備える。
【００７９】
表紙体１０１０は、表表紙部１０１２と背表紙部１０１６との間に第１ヒンジ部１０２２を形成され、且つ裏表紙部１０１４と背表紙部１０１６との間に第２ヒンジ部１０２４を形成されている。
前記背表紙部１０１６は、綴杆部４１２に綴じられたリーフ１１１０を綴杆に沿って捲り、略３６０度捲りかえすことができるように、前記綴杆部４１２を構成する綴杆を開閉させるときの中心となる枢軸部４１６に沿って手前側から向こう側に亘って（高さ方向に）連続して形成された外側に折り曲げるための折曲部１０２０及び屈曲部５５０を備える。
第１ヒンジ部１０２２と第２ヒンジ部１０２４とは平行であり、第１ヒンジ部１０２２と折曲部１０２０とは平行である。
【００８０】
表紙体１０１０に取り付けられる綴具４１０は、複数の綴杆部４１２と、前記綴杆部４１２を連結する連結領域である軸受部４１４と、前記綴杆部４１２を連結して前記綴杆部４１２を構成する第１綴杆４２０及び第２綴杆４３０を開閉させるときの中心となる枢結領域である枢軸部４１６とを備える綴具４１０であって、綴杆部４１２を捩って閉じている綴杆部４１２を開くことができるように構成されている。
枢結領域は、第１綴杆４２０及び第２綴杆４３０を構成する半割杆４２０Ａ及び半割杆４３０Ａを、隣接する半割杆４２０Ａと半割杆４２０Ａ及び半割杆４３０Ａと半割杆４３０Ａとの間に適宜な間隔をおいて並列して形成するように、半割杆４２０Ａの間及び半割杆４３０Ａの間に跨って形成されている
この綴具４１０は、主として、一般的にセルリング式ノートと称されるノートに類似した手帳用として構成され、綴具４１０の綴杆部４１２に沿ってリーフ１１１０を回転させて略３６０度広げること、すなわち綴杆部４１２に綴じられたリーフ１１１０を綴杆に沿って捲り、略３６０度捲りかえし、閉じたときに両端にあるリーフ１１１０の表側と裏側とが軸受部４１４及び枢軸部４１６を挟んで向かい合うことができるように、構成されている。
【００８１】
綴具４１０は、第１綴具部材４１８Ａと第２綴具部材４１８Ｂとから構成されており、第１綴具部材４１８Ａと第２綴具部材４１８Ｂとは、綴具４１０の長さ方向における中央を中心にした対称形であり、それぞれ、綴杆部４１２，軸受部４１４及び枢軸部４１６を備えている。
枢結領域は、第１綴具部材４１８Ａと第２綴具部材４１８Ｂとを枢軸部４１６を中心にして連結し、綴杆部４１２を開閉するときの回転の中心となる領域として構成される。
【００８２】
綴杆部４１２は、第１綴具部材４１８Ａの第１綴杆４２０と第２綴具部材４１８Ｂの第２綴杆４３０とを有しており、前記綴杆部４１２を構成する第１綴杆４２０及び第２綴杆４３０は、一対の第１綴具部材４１８Ａの第１綴杆４２０と第２綴具部材４１８Ｂの第２綴杆４３０とが向き合うように、前記綴杆部４１２を連結する軸受部４１４及び枢軸部４１６の各々にその長手方向に適宜な間隔をおいて、軸受部４１４及び枢軸部４１６の外側部ないし上側部から突設されている。そして、前記第１綴杆４２０及び第２綴杆４３０は、前記軸受部４１４及び枢軸部４１６を中心にして左右に分かれた、対称形である。
複数の第１綴杆４２０は、各第１綴杆４２０の間において、各第１綴杆４２０の基部４２０ａと連設された第１架設部４４２によって、適宜な間隔をおいて、綴具４１０の長手方向に並列されている。
複数の第２綴杆４３０は、各第２綴杆４３０の間において、各第２綴杆４３０の基部４３０ａと連設された第２架設部４４４によって、適宜な間隔をおいて、綴具４１０の長手方向に並列されている。
【００８３】
前記軸受部４１４は、第１綴具部材４１８Ａの第１軸受部４５０と第２綴具部材４１８Ｂの第２軸受部４６０とを有しており、第１軸受部４５０と第２軸受部４６０とは、綴具４１０の長さ方向の中央を中心にして対称形である。第１軸受部４５０及び第２軸受部４６０は、向こう側から手前側に連続して長手方向に直線状にのびる、中実半円筒状で断面略Ｃ字状であり、第１軸受部４５０は、第１綴杆４２０に連続して一体的に形成され、第２軸受部４６０は、第２綴杆４３０に連続して一体的に形成されている。
【００８４】
前記軸受部４１４は、綴杆部４１２に綴じられたリーフ１１１０を第１綴杆４２０及び第２綴杆４３０に沿って捲り、３６０度捲りかえし、閉じたときに両端にあるリーフ１１１０の表側と裏側とが軸受部４１４を挟んで向かい合うことができるように、下部において、第１綴杆４２０の基部４２０ａ及び第２綴杆４３０の基部４３０ａと近接した位置にて連設されている。
前記軸受部４１４は、綴杆ののびる方向と直交する方向にのびる長さと綴杆ののびる方向に連続する太さとを有し、綴杆部４１２に綴じられたリーフ１１１０を綴杆部４１２に沿って捲り、３６０度捲りかえし、閉じたときに両端にあるリーフ１１１０の表側と裏側とが軸受部４１４を挟んで向かい合うことができるように構成されている。すなわち、第１軸受部４５０は、第１綴杆４２０の基部４２０ａに連設され、第２軸受部４６０は、第２綴杆４３０の基部４３０ａに連設され、且つ第１軸受部４５０は、複数の第１綴杆４２０を連結するように、複数の第１綴杆４２０に架設され、第２軸受部４６０は、複数の第２綴杆４３０を連結するように、複数の第２綴杆４３０に架設されている。
第１軸受部４５０は、枢軸部４１６を装填するための第１軸受部４５０の開口部４５２を半割杆４２０Ａとは反対側の側面に形成されており、且つ第２軸受部４６０は、第２軸受部４６０の開口部４６２を半割杆４３０Ａとは反対側の側面に形成されている。そして、第１軸受部４５０は、前記開口部４５２に続く内面が円弧状の軸受凹部４５４を形成され、第２軸受部４６０は、開口部４６２に続く内面が円弧状の軸受凹部４６４を形成されている。
【００８５】
第１綴具部材４１８Ａは、第１綴杆４２０の基部４２０ａに連設された第１受け部４８０を有し、第２綴具部材４１８Ｂは、第２綴杆４３０の基部４３０ａに連設された第２受け部４９０を有している。綴杆部４１２の基部４２０ａに連設された第１受け部４８０と綴杆部４１２の基部４３０ａに連設された第２受け部４９０との間に形成された収容部４８２に、前記枢軸部４１６の長手方向に圧縮し且つ弾発力をかける弾発部材５０２が介装されている。そして、前記第１受け部４８０及び第２受け部４９０並びに弾発部材５０２は、前記第１綴杆４２０と第２綴杆４３０の先端を合わせて閉鎖するとき及び第１綴杆４２０と第２綴杆４３０の先端を離間させるときに回転中心となる。
【００８６】
前記綴杆を開閉させるときの中心ののびる方向における一端又は両端の領域には、綴杆部４１２を構成する綴杆のうち対向する一方の複数の綴杆を、対向する他方の複数の綴杆の係止部から脱係させるために、同時に、中心ののびる方向に変位させる、押圧部５１０が突設されている。
【００８７】
前記軸受部４１４並びに第１受け部４８０及び第２受け部４９０の輪郭は、略々同一で、前記第１綴杆４２０と第２綴杆４３０の先端を合わせて閉鎖するとき及び第１綴杆４２０と第２綴杆４３０の先端を離間させるときに回転中心となる。そして、軸受部４１４並びに第１受け部４８０及び第２受け部４９０は、綴杆部４１２に綴じられたリーフ１１１０を第１綴杆４２０又は第２綴杆４３０に沿って捲り、３６０度捲りかえすことができるように構成されている。
【００８８】
前記枢軸部４１６は、第１綴杆４２０及び第２綴杆４３０ののびる方向に直交する方向にのびる長さと第１綴杆４２０及び第２綴杆４３０ののびる方向に連続する太さとを有し、長手方向に連続する輪郭の一部が円弧状で、第１綴杆４２０及び第２綴杆４３０の基部４３０ａと連設され且つ複数の第１綴杆４２０及び第２綴杆４３０を連設するように複数の第１綴杆４２０及び第２綴杆４３０に架設されている。
枢軸部４１６は、第１綴具部材４１８Ａの第１軸部５２０と第２綴具部材４１８Ｂの第２軸部５３０とを有しており、第１軸部５２０と第２軸部５３０とは、綴具４１０の長さ方向の中央を中心にして対称形である。
第１軸部５２０及び第２軸部５３０は、向こう側から手前側に連続して長手方向に直線状にのびる中実柱状で断面略真円状であり、第１軸部５２０は第１綴杆４２０に連続して一体的に形成され、第２軸部５３０は第２綴杆４３０に連続して一体的に形成されている。
枢軸部４１６を構成する第１綴具部材４１８Ａの第１軸部５２０は、該円弧状の領域において、前記第２綴具部材４１８Ｂの第２軸受部４６０の開口部４６２から軸受部４１４の内面が円弧状で長手方向にのびる軸受凹部４６４に揺動自在に嵌合され、第２綴具部材４１８Ｂの第２軸部５３０は、該円弧状の領域において、前記第１綴具部材４１８Ａの第１軸受部４５０の開口部４５２から軸受部４１４の内面が円弧状で長手方向にのびる軸受凹部４５４に揺動自在に嵌合されている。
枢軸部４１６（第１軸部５２０と第２軸部５３０）は、前記軸受部４１４（第１軸受部４５０と第２軸受部４６０）の長手方向にのびて、左右に分かれた一対の第１綴具部材４１８Ａの第１軸受部４５０と第２綴具部材４１８Ｂの第２軸受部４６０とを長さ方向に直線状に並んだ状態で連結し、前記第１綴杆４２０の自由端４２０ｂと第２綴杆４３０の自由端４３０ｂとを合わせて閉鎖するとき及び第１綴杆４２０の自由端４２０ｂと第２綴杆４３０の自由端４３０ｂとを離間させるときに回転中心となり、綴杆部４１２に綴じられたリーフ１１１０を第１綴杆４２０及び第２綴杆４３０に沿って捲り、３６０度捲りかえすことができるように構成されている。
【００８９】
この実施の形態においては、第１綴杆４２０，第１軸受部４５０，第１受け部４８０及び第１軸部５２０は、第１綴具部材４１８Ａに形成され、第２綴杆４３０，第２軸受部４６０，第２受け部４９０及び第２軸部５３０は、第２綴具部材４１８Ｂに形成され、第１綴具部材４１８Ａと第２綴具部材４１８Ｂとは、綴具４１０の長さ方向の中央を中心にして対称形に形成されている。
【００９０】
第１綴具部材４１８Ａの第１軸受部４５０は、手前側の第１軸受部４５０ａと中間の第１軸受部４５０ｂとに分かれて形成されており、第１綴具部材４１８Ａの第１受け部４８０は、手前側の第１軸受部４５０ａと中間の第１軸受部４５０ｂとの間に形成されている。
第１綴具部材４１８Ａの第１軸部５２０は、向こう側の第１軸部５２０ａと中間の第１軸部５２０ｂとに分かれて形成されている。そして、向こう側の第１軸部５２０ａは、中間の第１軸受部４５０ｂから向こう側に連続して形成されており、中間の第１軸部５２０ｂは、第１受け部４８０から手前側に連続して形成されている。
第２綴具部材４１８Ｂの第２軸受部４６０は、向こう側の第２軸受部４６０ａと中間の第２軸受部４６０ｂとに分かれて形成されており、第２綴具部材４１８Ｂの第２受け部４９０は、向こう側の第２軸受部４６０ａと中間の第２軸受部４６０ｂとの間に形成されている。
第２綴具部材４１８Ｂの第２軸部５３０は、手前側の第２軸部５３０ａと中間の第２軸部５３０ｂとに分かれて形成されている。そして、手前側の第２軸部５３０ａは、中間の第２軸受部４６０ｂから手前側に連続して形成されており、第２軸部５３０ｂは、第２受け部４９０から向こう側に連続して形成されている。
【００９１】
この実施の形態においては、第１綴具部材４１８Ａは、綴杆部４１２（第１綴杆４２０），軸受部４１４（第１軸受部４５０），枢軸部４１６（第１軸部５２０）及び第１受け部４８０を合成樹脂で一体成形されてなる。また、同様に、第２綴具部材４１８Ｂは、綴杆部４１２（第２綴杆４３０），軸受部４１４（第２軸受部４６０），枢軸部４１６（第２軸部５３０）及び第２受け部４９０を合成樹脂で一体成形されてなる。
前記綴杆部４１２，第１綴杆４２０の第１架設部４４２，第２綴杆４３０の第２架設部４４４及び枢軸部４１６は、中実状で、連続して一体的に形成され、且つ、前記綴杆部４１２，第１綴杆４２０の第１架設部４４２，第２綴杆４３０の第２架設部４４４及び軸受部４１４は、中実状で、連続して一体的に形成されている。
【００９２】
この実施の形態においては、第１綴具部材４１８Ａの向こう側の第１軸部５２０ａと中間の第１軸部５２０ｂとは、長手方向に一直線状にのび、同一の太さを有する略々円柱状であり、第１綴具部材４１８Ａを構成する半割杆４２０Ａ及び第１架設部４４２と、半割杆４２０Ａ及び第１架設部４４２の下側において連続して一体的に形成されており、第２綴具部材４１８Ｂの手前側の第２軸部５３０ａと中間の第２軸部５３０ｂとは、長手方向に一直線状にのび、同一の太さを有する略々円柱状であり、第２綴具部材４１８Ｂを構成する、半割杆４３０Ａ及び第２架設部４４４と、半割杆４３０Ａ及び第２架設部４４４の下側において連続して一体的に形成されている。
第１綴具部材４１８Ａの向こう側の第１軸部５２０ａと中間の第１軸部５２０ｂとは、第２綴具部材４１８Ｂの第２軸受部４６０の軸受凹部４６４に嵌合する形状を備えており、第２綴具部材４１８Ｂの手前側の第２軸部５３０ａと中間の第２軸部５３０ｂとは、第１綴具部材４１８Ａの第１軸受部４５０の軸受凹部４５４に嵌合する形状を備えている。
【００９３】
第１綴具部材４１８Ａの第１軸受部４５０は、手前側の第１軸受部４５０ａの開口部４５２と中間の第１軸受部４５０ｂの開口部４５２とが長手方向にのびる断面同一の直線状で、長手方向に一直線状に並ぶ。
第２綴具部材４１８Ｂの第２軸受部４６０は、向こう側の第２軸受部４６０ａの開口部４６２と中間の第２軸受部４６０ｂの開口部４６２とが長手方向にのびる断面同一の直線状で、長手方向に一直線状に並ぶ。
第１綴具部材４１８Ａの向こう側の第１軸部５２０ａの向こう側の突起部４７８と第１受け部４８０の手前側の突起部４７８とは長手方向に一直線状に並び、第２綴具部材４１８Ｂの手前側の第２軸部５３０ａの手前側の突起部４７６と第２受け部４９０の向こう側の突起部４７６とは長手方向に一直線状に並ぶ。
【００９４】
綴杆部４１２は、第１綴具部材４１８Ａの第１綴杆４２０及び第２綴具部材４１８Ｂの第２綴杆４３０の軸受部４１４及び枢軸部４１６並びに第１綴具部材４１８Ａの第１受け部４８０及び第２綴具部材４１８Ｂの第２受け部４９０に連設された基部４２０ａ及び基部４３０ａとは反対側の自由端４２０ｂ及び自由端４３０ｂに、第１綴具部材４１８Ａの第１綴杆４２０及び第２綴具部材４１８Ｂの第２綴杆４３０を閉鎖したときに係止するための綴杆係止部を形成されている。
すなわち、第１綴具部材４１８Ａの第１綴杆４２０は、基部４２０ａとは反対側の頂部である自由端４２０ｂに第１綴杆の綴杆係止部４２２を形成され、第２綴具部材４１８Ｂの第２綴杆４３０は、基部４３０ａとは反対側の頂部である自由端４３０ｂに第２綴杆の綴杆係止部４３２を形成されている。
綴杆部４１２は、基部４２０ａ及び基部４３０ａから頂部に至る高さ方向（垂直方向）と、第１綴杆４２０の外周部（外側部）から第２綴杆４３０の外周部（外側部）に至る幅方向（水平方向）とを備え、第１綴杆４２０及び第２綴杆４３０の厚さ（外周部と内周部との間の長さ）よりも、綴具の長さ方向における第１綴杆４２０及び第２綴杆４３０の幅の方が長い、断面長方形状である。そして、第１綴杆４２０及び第２綴杆４３０は、基部４２０ａ及び基部４３０ａから頂部に至るまで、リーフ１１１０を捲ることができるように、リーフ１１１０の綴じ穴１１１２に貫挿される形状に構成されている。
前記第１綴具部材４１８Ａの第１綴杆の綴杆係止部４２２及び第２綴具部材４１８Ｂの第２綴杆の綴杆係止部４３２は、係止する第１綴具部材４１８Ａの第１綴杆４２０及び第２綴具部材４１８Ｂの第２綴杆４３０の回転方向と交差する方向に、すなわち枢軸部４１６の長手方向に第１綴具部材４１８Ａの第１綴杆４２０及び第２綴具部材４１８Ｂの第２綴杆４３０を相対移動して、第１綴具部材４１８Ａの第１綴杆４２０及び第２綴具部材４１８Ｂの第２綴杆４３０の先端を合わせて閉鎖するときに係止し又は第１綴具部材４１８Ａの第１綴杆４２０及び第２綴具部材４１８Ｂの第２綴杆４３０の先端を離間させるときに脱係するように形成されている。
【００９５】
第１綴具部材４１８Ａの第１綴杆４２０は、閉じたときに略円環状の綴杆となるように、半円弧状の半割杆４２０Ａから構成され、第２綴具部材４１８Ｂの第２綴杆４３０は、閉じたときに略円環状の綴杆となるように、半円弧状の半割杆４３０Ａから構成され、第１綴具部材４１８Ａの第１綴杆４２０と第２綴具部材４１８Ｂの第２綴杆４３０とは対向するように構成されている。
そして、リーフ１１１０に予め穿設された綴じ穴１１１２に挿通して、リーフ１１１０を綴じることができるように、半割杆４２０Ａと半割杆４３０Ａとの先端、すなわち第１綴杆４２０及び第２綴杆４３０の頂部において、綴杆係止部４２２，４３２が形成されている。
第１綴杆４２０を構成する半割杆４２０Ａと第２綴杆４３０を構成する半割杆４３０Ａとは、半割杆４２０Ａの第１綴杆の綴杆係止部４２２と、半割杆４３０Ａの第２綴杆の綴杆係止部４３２とを係止することにより、略円環状に連結される。
【００９６】
綴杆部４１２は、綴杆の第１架設部４４２並びに第２架設部４４４及び／又は枢軸部４１６に連設された基部４２０ａ及び基部４３０ａとは反対側の自由端４２０ｂ及び自由端４３０ｂに、綴杆を閉鎖したときに係止するための第１綴杆の綴杆係止部４２２及び第２綴杆の綴杆係止部４３２を形成され、前記第１綴杆の綴杆係止部４２２及び第２綴杆の綴杆係止部４３２は、係止する綴杆の回転方向と交差する方向に係止する綴杆を相対移動して係止又は脱係するように形成されている。
そして、前記押圧部５１０は、綴杆の脱係するときに連結領域である第１架設部４４２及び第２架設部４４４，軸受部４１４並びに枢軸部４１６の移動する方向とは反対側において、脱係するときに軸受部４１４及び枢軸部４１６を移動する方向とは反対側に向けて、綴杆及び／又は連結部４１４及び／又は枢軸部４１６に突設されている。
【００９７】
この実施の形態においては、第１綴具部材４１８Ａの半割杆４２０Ａの手前側及び第２綴具部材４１８Ｂの半割杆４３０Ａの向こう側に形成された押圧部５１０は、連結領域を構成する第１軸受部４５０の長手方向における第１綴杆４２０の手前側に突設された押し棒と、連結領域を構成する第２軸受部４６０の長手方向における第２綴杆４３０の向こう側に突設された押し棒とにより構成される。
押圧部５１０は、第１綴具部材４１８Ａと第２綴具部材４１８Ｂとを連結する連結領域を構成する軸受部４１４，枢軸部４１６，第１架設部４４２及び第２架設部４４４の長手方向で、綴杆部４１２を開閉するときの中心ののびる方向に、第１綴杆４２０又は第２綴杆４３０を変位させて、第１綴杆の綴杆係止部４２２及び第２綴杆の綴杆係止部４３２を脱係させるために柱状又は塊状に形成されている。
押圧部５１０は、第１綴具部材４１８Ａと第２綴具部材４１８Ｂとを連結する連結領域を構成する軸受部４１４，枢軸部４１６，第１架設部４４２及び第２架設部４４４の長手方向で、綴杆部４１２を開閉するときの中心ののびる方向である高さ方向における、第１綴具部材４１８Ａの半割杆４２０Ａの下端部に突設された第１押圧部５１２と、第２綴具部材４１８Ｂの半割杆４３０Ａの上端部に突設された第２押圧部５１４とによって構成されている。
【００９８】
第１押圧部５１２は、半割杆４２０Ａの基部４２０ａの下端から、第１綴具部材４１８Ａの第１綴杆の綴杆係止部４２２を脱係するときに軸受部４１４及び枢軸部４１６を移動する方向とは反対側すなわち手前側（下方）に向けてのびる円柱状棒体であり、半割杆４３０Ａの手前側にのびる大きさに形成され、押圧する面積を大きくとるように形成されている。
第２押圧部５１４は、半割杆４３０Ａの基部４３０ａの上端から、第２綴具部材４１８Ｂの第２綴杆の綴杆係止部４３２を脱係するときに軸受部４１４及び枢軸部４１６を移動する方向とは反対側すなわち向こう側（上方）に向けてのびる円柱状棒体であり、半割杆４２０Ａの向こう側にのびる大きさに形成され、押圧する面積を大きくとるように形成されている。
【００９９】
そして、第１綴杆の綴杆係止部４２２及び第２綴杆の綴杆係止部４３２は、図４０において示すように、第１押圧部５１２に例えば親指を当て、また第２押圧部５１４に人差指を当て、第１押圧部５１２を向こう側（上方）に向けて、また第２押圧部５１４を手前側（下方）に向けて押して、第１綴杆の綴杆係止部４２２と第２綴杆の綴杆係止部４３２とを脱係させる。
そして、第１押圧部５１２と第２押圧部５１４とは、図４２において示すように、第１綴杆４２０及び第２綴杆４３０ののびる方向において反対方向に回転させて、綴杆部４１２を開く。
そして、綴杆部４１２を開くときにおいては、第１綴杆４２０と第２綴杆４３０とは、押圧部５１０を指で押すことにより、係止された第１綴杆の綴杆係止部４２２及び第２綴杆の綴杆係止部４３２を外すことができるように構成されている。
【０１００】
第１綴杆４２０を構成する半割杆４２０Ａの先端に形成された第１綴杆の綴杆係止部４２２を構成する先端の第１綴杆の凸部４２４及びその第１綴杆の凸部４２４に続く第１綴杆の凹部４２６と、第２綴杆４３０を構成する半割杆４３０Ａの第２綴杆の綴杆係止部４３２を構成する先端の第２綴杆の凸部４３４及びその先端の第２綴杆の凸部４３４に続く第２綴杆の凹部４３６とは、第１綴杆４２０と第２綴杆４３０とを閉じたとき係合するように逆方向に向けて突き出しあるいは凹み形成されている。
すなわち、第１綴杆４２０を構成する半割杆４２０Ａの先端に形成された第１綴杆の綴杆係止部４２２を構成する第１綴杆の凸部４２４は、手前側に向けて突き出されている。そして、その第１綴杆の凸部４２４に続く第１綴杆の凹部４２６は、向こう側に向けて凹んでいる。半割杆４３０Ａの先端に形成された第２綴杆の綴杆係止部４３２を構成する第２綴杆の凸部４３４は、向こう側に向けて突き出されている。そして、その先端の第２綴杆の凸部４３４に続く第２綴杆の凹部４３６は、手前側に向けて凹んでいる。
第１綴杆４２０と第２綴杆４３０とを閉じたとき係合するように、第１綴杆の凸部４２４及び第１綴杆の凹部４２６と第２綴杆の凸部４３４及び第２綴杆の凹部４３６とは、逆方向に向けて突き出しあるいは凹み形成されている。
半割杆４２０Ａの第１綴杆の綴杆係止部４２２を構成する第１綴杆の凸部４２４と半割杆４３０Ａの第２綴杆の綴杆係止部４３２を構成する第２綴杆の凸部４３４とは、反対方向に向けて突き出し設けられている。
また、半割杆４２０Ａの第１綴杆の綴杆係止部４２２を構成する第１綴杆の凹部４２６と半割杆４３０Ａの第２綴杆の綴杆係止部４３２を構成する第２綴杆の凹部４３６とは、反対方向に向けて凹み形成されている。
【０１０１】
前記第１綴杆の綴杆係止部４２２及び第２綴杆の綴杆係止部４３２は、第１綴杆４２０及び第２綴杆４３０の回転方向及び回転方向と交差する方向に脱係しないように、第１綴杆４２０及び第２綴杆４３０の回転方向と交差する方向にのびる脱係防止部４２８及び脱係防止部４３８が形成されている。
脱係防止部４２８は、頂部側において手前側に向けて突き出る鉤鼻状係止凸部４２８ａと、基部４２０ａ側において向こう側に向けて凹む係止凹部４２８ｂとを有し、自由端側の係止凸部４２８ａから続いて基部４２０ａ側に係止凹部４２８ｂが形成されている。
脱係防止部４３８は、頂部側において向こう側に向けて突き出る鉤鼻状係止凸部４３８ａと、基部４３０ａ側において手前側に向けて凹む係止凹部４３８ｂとを有し、自由端側の係止凸部４３８ａから続いて基部４３０ａ側に係止凹部４３８ｂが形成されている。
第１綴杆４２０と第２綴杆４３０とを閉じたとき、脱係防止部４２８の係止凸部４２８ａは脱係防止部４３８の係止凹部４３８ｂに嵌合され、脱係防止部４３８の係止凸部４３８ａは脱係防止部４２８の係止凹部４２８ｂに嵌合され、係止凸部４２８ａと係止凸部４３８ａとは、第１綴杆４２０と第２綴杆４３０とを回転方向に引いたときに、突き当たる。
第１綴杆の綴杆係止部４２２の脱係防止部４２８は、第２綴杆の綴杆係止部４３２の上部に向けて突き出され、第１綴杆の綴杆係止部４２２と第２綴杆の綴杆係止部４３２とを係合したときに、第２綴杆４３０が上方に向けて衝撃などにより移動することを防止している。
第２綴杆の綴杆係止部４３２の脱係防止部４３８は、第１綴杆の綴杆係止部４２２の上部に向けて突き出され、第１綴杆の綴杆係止部４２２と第２綴杆の綴杆係止部４３２とを係合したときに、第１綴杆４２０が上方に向けて衝撃などにより移動することを防止している。
このように、この実施の形態においては、第１綴杆４２０の基部４２０ａに突設された第１押圧部５１２及び第２綴杆４３０の基部４３０ａに突設された第２押圧部５１４を指で押すことにより、第１綴具部材４１８Ａの第１綴杆４２０を向こう側に移動させ且つ第２綴具部材４１８Ｂの第２綴杆４３０を手前側に移動させて、第１綴杆４２０の半割杆４２０Ａの第１綴杆の綴杆係止部４２２と第２綴杆４３０の半割杆４３０Ａの第２綴杆の綴杆係止部４３２との係合を外すことができる。
なお、閉じるときにおいては、脱係防止部４２８の係止凸部４２８ａと脱係防止部４３８の係止凸部４３８ａとは、突き出たり滑りながら係止凹部４３８ｂ及び係止凹部４２８ｂに嵌まるように、なだらかな傾斜面が自由端から形成されている。
【０１０２】
第１綴具部材４１８Ａの第１架設部４４２は、第１架設部４４２と第２綴具部材４１８Ｂの第２架設部４４４とが向き合う領域である第１架設部４４２の対向部４４２ａを備える。
第２綴具部材４１８Ｂの第２架設部４４４は、第１綴具部材４１８Ａの第１架設部４４２と第２架設部４４４とが向き合う領域である第２架設部４４４の対向部４４４ａを備える。
この実施の形態においては、第１架設部４４２及び第２架設部４４４は、略四角柱状である。
そして、第１綴具部材４１８Ａの第１架設部４４２の対向部４４２ａと第２綴具部材４１８Ｂの第２架設部４４４の対向部４４４ａとは、回転方向と略々直交し綴具４１０を閉じたときに垂直にすなわち高さ方向にのびる平面であって、図３１及び図３９に示すように綴具４１０を閉じたときに密着するように形成されている。
【０１０３】
前記軸受部４１４は、その側面に、第１綴杆４２０及び第２綴杆４３０の開き角度をリーフ１１１０の挿入し易い角度、例えば約６０〜７０度に規制するための第１の開き角規制部４７０及び第２の開き角規制部４７２を形成されている。
第１の開き角規制部４７０は、第１綴具部材４１８Ａの第１軸受部４５０の開口部４５２の口縁部の接合面４５２ａと第２綴具部材４１８Ｂの第２架設部４４４の下端の接合面４４４ｂとから構成され、一方、第２の開き角規制部４７２は、第２綴具部材４１８Ｂの第２軸受部４６０の開口部４６２の口縁部の接合面４６２ａと第１綴具部材４１８Ａの第１架設部４４２の下端の接合面４４２ｂとから構成されている。
そして、綴杆部４１２を閉じたときに、第１綴具部材４１８Ａの第１の開き角規制部４７０の接合面４５２ａと第２綴具部材４１８Ｂの第１の開き角規制部４７０の接合面４４４ｂとは、図３９において示すように、略７０度開いた傾斜面であって対向しており、綴杆部４１２を開いたときに、第１綴具部材４１８Ａの第１の開き角規制部４７０の接合面４５２ａと第２綴具部材４１８Ｂの第１の開き角規制部４７０の接合面４４４ｂとは、図４２において示すように、接し合い、半割杆４２０Ａと半割杆４３０Ａの開き角度を、リーフ１１１０の挿入しや易い角度に規制する。
また、綴杆部４１２を閉じたときに、第２綴具部材４１８Ｂの第２の開き角規制部４７２の接合面４６２ａと第１綴具部材４１８Ａの第２の開き角規制部４７２の接合面４４２ｂとは、図３９において示すように、略７０度開いた傾斜面であって対向しており、綴杆部４１２を開いたときに、第２綴具部材４１８Ｂの第２の開き角規制部４７２の接合面４６２ａと第１綴具部材４１８Ａの第２の開き角規制部４７２の接合面４４２ｂとは、図４２において示すように、接し合い、半割杆４２０Ａと半割杆４３０Ａの開き角度を、リーフ１１１０の挿入しや易い角度に規制する。
【０１０４】
枢軸部４１６並びに第１受け部４８０及び第２受け部４９０は、閉じられた第１綴杆４２０及び第２綴杆４３０の開くことを阻止する軸部回転規制部４７４を端部に形成されている。
前記軸部回転規制部４７４は、第２綴具部材４１８Ｂの手前側の第２軸部５３０ａの手前側に形成された突起部４７６と第１綴具部材４１８Ａの第１軸受部４５０の手前側に切り欠き形成された規制凹部４５６及び第１綴具部材４１８Ａの向こう側の第１軸部５２０ａの向こう側に形成された突起部４７８と第２綴具部材４１８Ｂの第２軸受部４６０の向こう側に切り欠き形成された規制凹部４６６とから構成されており、第２綴具部材４１８Ｂの突起部４７６と第１綴具部材４１８Ａの規制凹部４５６と及び第１綴具部材４１８Ａの突起部４７８と第２綴具部材４１８Ｂの規制凹部４６６とは、綴杆部４１２が閉じられたときに綴杆部４１２の開く方向とは反対側の端縁に係止される面を備えている。
第１綴具部材４１８Ａの突起部４７８は、半割杆４２０Ａ側に、第２綴具部材４１８Ｂの規制凹部４６６の対向部と係止される（綴具４１０の長さ方向にのびる）平面を備えており、第１綴具部材４１８Ａの規制凹部４５６の対向部は、半割杆４２０Ａ側に、第２綴具部材４１８Ｂの突起部４７６と係止される（綴具４１０の長さ方向にのびる）平面を有している。
また、第２綴具部材４１８Ｂの突起部４７６は、半割杆４３０Ａ側に、第１綴具部材４１８Ａの規制凹部４５６の対向部と係止される（綴具４１０の長さ方向にのびる）平面を備えており、第２綴具部材４１８Ｂの規制凹部４６６の対向部は、半割杆４３０Ａ側に、第１綴具部材４１８Ａの突起部４７８と係止される（綴具４１０の長さ方向にのびる）平面を備えている。
更に、他の突起部４７６は、第２綴具部材４１８Ｂの枢軸部４１６（第２軸部５３０ｂ）の手前側と第２受け部４９０の向こう側に枢軸部４１６（第２軸部５３０ｂ）と略々同じ幅と略々同じで、中間の第１軸受部４５０ｂの規制凹部４５６よりわずかに短い長さを有して突設され、他の突起部４７８は、第１綴具部材４１８Ａの枢軸部４１６（第１軸部５２０ｂ）の向こう側と第１受け部４８０の手前側に枢軸部４１６（第１軸部５２０ｂ）と略々同じ幅と略々同じで、中間の第２軸受部４６０ｂの規制凹部４６６よりわずかに短い長さを有して突設されている。
第１受け部４８０の突起部４７８の手前側端と中間の第２軸受部４６０ｂの向こう側端とは、綴杆部４１２を閉鎖したときに隙間があいており、第２受け部４９０の突起部４７６の向こう側端と中間の第１軸受部４５０ｂの手前側端とは、綴杆部４１２を閉鎖したときに隙間があいている。
而して、綴杆部４１２を閉じたときに、第１綴具部材４１８Ａの突起部４７８及び規制凹部４５６の対向部の平面と第２綴具部材４１８Ｂの突起部４７６及び規制凹部４６６の対向部の平面と接し合い、第１綴具部材４１８Ａと第２綴具部材４１８Ｂとを幅方向に引き離す力、綴杆部４１２の径方向に引き離す力が働いても、第１綴具部材４１８Ａの半割杆４２０Ａと第２綴具部材４１８Ｂの半割杆４３０Ａとは離れない。
綴杆部４１２を開くときには、向こう側の第２軸受部４６０ａの規制凹部４６６と突起部４７８とは長さ方向に摺動し、手前側の第１軸受部４５０ａの規制凹部４５６と突起部４７６とは長さ方向に摺動して、且つ第１受け部４８０の突起部４７８と中間の第２軸受部４６０ｂの規制凹部４６６とは摺動し、第２受け部４９０の突起部４７６と中間の第１軸受部４５０ｂの規制凹部４５６とは摺動する。而して、第１綴具部材４１８Ａと第２綴具部材４１８Ｂとは、綴具４１０の長さ方向に相対移動させることができ、第１綴杆４２０と第２綴杆４３０とを綴具４１０の幅方向に開くことができる。
【０１０５】
第１綴具部材４１８Ａと第２綴具部材４１８Ｂとは、図３５に示すように対称形に形成されており、分離されている第１綴具部材４１８Ａと第２綴具部材４１８Ｂとは、図３６に示すように、第１綴具部材４１８Ａの突起部４７８の手前側に第２綴具部材４１８Ｂの向こう側の第２軸受部４６０ａの向こう側の先端を位置させ且つ第２綴具部材４１８Ｂの突起部４７６の向こう側に手前側の第１軸受部４５０ａの手前側の先端を位置させて、第１綴具部材４１８Ａの手前側の第１軸受部４５０ａの開口部４５２及び中間の第１軸受部４５０ｂの開口部４５２より第２綴具部材４１８Ｂの手前側の第２軸部５３０ａ及び中間の第２軸部５３０ｂを嵌入させ且つ第２綴具部材４１８Ｂの向こう側の第２軸受部４６０ａの開口部４６２及び中間の第２軸受部４６０ｂの開口部４６２より第１綴具部材４１８Ａの向こう側の第１軸部５２０ａ及び中間の第１軸部５２０ｂを嵌入させて、第１綴具部材４１８Ａと第２綴具部材４１８Ｂとを結合する。
それとともに、第１綴具部材４１８Ａと第２綴具部材４１８Ｂとは、第１綴杆４２０と第２綴杆４３０とを開閉するときに半割杆４２０Ａと半割杆４３０Ａとを綴具４１０の長さ方向に相対変移するように、枢軸部４１６を軸受部４１４に摺動自在に装填されている。
第１綴具部材４１８Ａ及び第２綴具部材４１８Ｂは、第１綴具部材４１８Ａ側の第１軸受部４５０に第２綴具部材４１８Ｂの第２軸部５３０を嵌合され且つ第２綴具部材４１８Ｂ側の第２軸受部４６０に第１綴具部材４１８Ａの第１軸部５２０を嵌合されたときに、対向する第１受け部４８０と第２受け部４９０との間に、収容部４８２を形成されている。
収容部４８２は、弾発部材５０２を装填され、該弾発部材５０２は、第１受け部４８０を手前側に押し且つ第２受け部４９０を向こう側に押して、第１綴具部材４１８Ａの半割杆４２０Ａと第２綴具部材４１８Ｂの半割杆４３０Ａとを強く係止させる。
【０１０６】
そして、第１綴杆４２０と第２綴杆４３０とを閉鎖したときに、枢軸部４１６の軸線上において、第１綴具部材４１８Ａは、中間の第１軸受部４５０ｂの手前側端面と第２綴具部材４１８Ｂの第２受け部４９０の向こう側端面とが接し合い、且つ、第２綴具部材４１８Ｂは、中間の第２軸受部４６０ｂの向こう側端面と第１綴具部材４１８Ａの第１受け部４８０の手前側端面とが接し合う。また、第１綴杆４２０と第２綴杆４３０との係合を外して開いたときに、第１綴杆４２０と第２綴杆４３０とを、長さ方向において適宜な位置で開くようにするために、枢軸部４１６の軸線上において、第１綴具部材４１８Ａは、中間の第１軸受部４５０ｂの手前側端面と第２綴具部材４１８Ｂの第２受け部４９０の向こう側端面とが接し合い、且つ、第２綴具部材４１８Ｂは、中間の第２軸受部４６０ｂの向こう側端面と第１綴具部材４１８Ａの第１受け部４８０の手前側端面とが接し合う。
【０１０７】
また、第１綴杆４２０と第２綴杆４３０とを閉鎖したときに、隣接する第１綴具部材４１８Ａの中間の第１軸受部４５０ｂの向こう側端縁と第２綴具部材４１８Ｂの向こう側の第２軸受部４６０ａの手前側端縁との間及び隣接する第２綴具部材４１８Ｂの中間の第２軸受部４６０ｂの手前側端縁と第１綴具部材４１８Ａの手前側の第１軸受部４５０ａの向こう側端縁との間に適宜な間隔をあけて整列される。
（第１綴杆４２０と第２綴杆４３０とを閉鎖したときにおける）隣接する第１綴具部材４１８Ａの中間の第１軸受部４５０ｂの向こう側端縁と第２綴具部材４１８Ｂの向こう側の第２軸受部４６０ａの手前側端縁との間及び隣接する第２綴具部材４１８Ｂの中間の第２軸受部４６０ｂの手前側端縁と第１綴具部材４１８Ａの手前側の第１軸受部４５０ａの向こう側端縁との間における適宜な間隔とは、第１綴杆４２０と第２綴杆４３０とを軸受部４１４の長さ方向に相対移動すなわち第２綴杆４３０を手前側に向けて及び第１綴杆４２０を向こう側に向けて相対移動させて、第１綴杆の綴杆係止部４２２と第２綴杆の綴杆係止部４３２とを脱係させるに必要な長さをいう。
【０１０８】
また、隣接する第１綴具部材４１８Ａの中間の第１軸受部４５０ｂの手前側端縁と第２綴具部材４１８Ｂの第２受け部４９０の突起部４７６の先端との間及び隣接する第２綴具部材４１８Ｂの中間の第２軸受部４６０ｂの向こう側端縁と第１綴具部材４１８Ａの第１受け部４８０の突起部４７８の先端との間に適宜な間隔をあけて整列される。
【０１０９】
この実施の形態においては、弾発部材５０２の押圧力に抗して、第１綴具部材４１８Ａの第１綴杆４２０を向こう側に移動させ且つ第２綴具部材４１８Ｂの第２綴杆４３０を手前側に移動させて、閉鎖していた第１綴杆４２０と第２綴杆４３０とを開く。
この実施の形態においては、第１綴具部材４１８Ａの手前側の第１軸受部４５０ａは、第２綴具部材４１８Ｂの突起部４７６により手前側が塞がれている。又、第２綴具部材４１８Ｂの向こう側の第２軸受部４６０ａは、第１綴具部材４１８Ａの突起部４７８により向こう側が塞がれている。従って、向こう側の第１軸部５２０ａの向こう側端は、向こう側の突起部４７８により向こう側の第２軸受部４６０ａから抜け出ることを防止され、手前側の第２軸部５３０ａの手前側端は、手前側の突起部４７６により手前側の第１軸受部４５０ａから抜け出ることを防止される。
【０１１０】
前記軸受部４１４，第１受け部４８０及び第２受け部４９０の幅（幅方向における）は、第１綴具部材４１８Ａの第１架設部４４２と第２綴具部材４１８Ｂの第２架設部４４４とを合わせた幅（幅方向における）と同等又はそれ以下である。又、軸部回転規制部４７４の領域の幅、すなわち、手前側の第１軸受部４５０ａの対向部領域の幅と突起部４７６との幅の和及び向こう側の第２軸受部４６０ａの対向部領域の幅と突起部４７８の幅との和は、第１架設部４４２の幅と第２架設部４４４の幅を合わせた幅と同様又はそれ以下である。
これは、軸受部４１４及び軸部回転規制部４７４の幅が、第１架設部４４２の幅と第２架設部４４４の幅とを合わせた幅と同等又はそれ以下の方が、リーフ１１１０を３６０度捲りかえして、枢軸部４１６及び軸部回転規制部４７４を挟んでリーフ１１１０の表面と裏面とを比較的間隔をあけずに接し合わせることができるようにするためである。
【０１１１】
綴具４１０の中央あたりに存する前記第１綴具部材４１８Ａの第１受け部４８０と第２綴具部材４１８Ｂの第２受け部４９０との間に形成された収容部４８２に、前記枢軸部４１６の長手方向にテンションをかける弾発部材５０２が、圧縮された状態で介装されている。弾発部材５０２は、鋼線をコイル形に巻いて作られたコイルバネにより形成され、筒形のコイルバネの輪の中に第１受け部４８０から収容部４８２側に突設された弾発部材固定凸部４８４と第２受け部４９０から収容部４８２側に突設された弾発部材固定凸部４９４とを挿通されている。
そして、弾発部材５０２は、その向こう側端が第２綴具部材４１８Ｂの第２受け部４９０の手前側端に接し、その手前側端が第１綴具部材４１８Ａの第１受け部４８０の向こう側端に接して、復元力（均一な）によって第１綴具部材４１８Ａを手前側に押し下げ且つ第２綴具部材４１８Ｂを向こう側に押し上げるように構成されている。
而して、弾発部材５０２は、綴杆部４１２を閉じているときには、第１綴杆の綴杆係止部４２２と第２綴杆の綴杆係止部４３２とを係合させる方向に作用している。
第１押圧部５１２及び第２押圧部５１４を指で押すことにより、係止された第１綴杆の綴杆係止部４２２及び第２綴杆の綴杆係止部４３２を外すときには、弾発部材５０２の弾発力に抗して第１綴具部材４１８Ａの第１綴杆４２０を向こう側に移動させ且つ第２綴具部材４１８Ｂの２綴杆４３０を手前側に移動させて、閉じていた第１綴杆４２０と第２綴杆４３０とを開く。更に、第１綴杆４２０と第２綴杆４３０とは、幅方向において外側に（すなわち、第１綴杆４２０を左側（表側）に回転させ、且つ第２綴杆４３０を右側（裏側）に）、回転させて、リーフ１１１０を綴じたり外したりし易くすることができる。
【０１１２】
前記表紙体１０１０は、表表紙部１０１２、裏表紙部１０１４及び背表紙部１０１６のうちいずれか１つに綴具４１０を取り付けるための取付部５４０を形成されている。
前記表紙体１０１０は、綴杆部４１２に綴じられたリーフ１１１０を第１綴杆４２０及び第２綴杆４３０に沿って捲り、３６０度捲りかえすことができるように、前記綴杆部４１２を構成する第１綴杆４２０及び第２綴杆４３０を開閉させるときの中心となる連結領域の長手方向に沿って手前側から向こう側に亘って連続して形成された、山折り又は谷折りに折り曲げるための折曲部１０２０を備える。
【０１１３】
表紙体１０１０に形成された取付部５４０は、変形部５４４を備え、変形部５４４は、横断面Ｖ字形に屈曲され、第１綴杆の綴杆係止部４２２及び第２綴杆の綴杆係止部４３２を連結領域の長手方向に移動させて脱係できるように、綴具４１０の綴杆部４１２を回動自在に嵌挿させる貫挿孔５４８を形成されている。
変形部５４４は、裏表紙部１０１４の背表紙部１０１６に近い位置に形成されており、第２ヒンジ部１０２４より離れた位置において折曲部１０２０を形成され、その両脇すなわち、背表紙部１０１６側と表紙体１０１０の表表紙部１０１２の自由端側とに屈曲部５５０を形成され、綴具４１０の連結領域より上に位置させるように、屈曲部５５０より折曲部１０２０を立ち上げてなる。
変形部５４４は、表紙体１０１０の一部を切り欠かれて、切り欠き部により囲繞された領域を表紙体１０１０の内方に向けて立ち上げて形成され、屈曲部５５０から綴具４１０の綴杆部４１２の中央に至る幅を備え、且つ、第１綴杆４２０と第２綴杆４３０との間隔よりも広い幅を備えている。
【０１１４】
この実施の形態においては、変形部５４４は、背表紙部１０１６側の第１変形部５４４Ａと裏表紙部１０１４の自由端側（背表紙部１０１６に連設された側とは反対側）の第２変形部５４４Ｂとを備える。
屈曲部５５０は、折曲部１０２０より第２変形部５４４Ｂの幅の長さ分を離れて裏表紙部１０１４の自由端側に形成された第２屈曲部５５０Ｂと、折曲部１０２０より第１変形部５４４Ａの幅の長さ分を離れて背表紙部１０１６側に形成された第１屈曲部５５０Ａとを備える。
折曲部１０２０と屈曲部５５０と第１ヒンジ部１０２２及び第２ヒンジ部１０２４とは、平行に形成されている。
変形部５４４は、第１屈曲部５５０Ａ及び第２屈曲部５５０Ｂを谷折りし、折曲部１０２０を山折りして、第１変形部５４４Ａ及び第２変形部５４４Ｂを横断面Ｖ字形に立ち上げられて形成される。
【０１１５】
変形部５４４は、第１変形部５４４Ａ及び第２変形部５４４Ｂの中央に綴杆部４１２を貫挿するための貫挿孔５４８を穿設されている。
変形部５４４は、綴具４１０の綴杆部４１２の数に対応した数の貫挿孔５４８を、並列された綴杆部４１２の間隔に対応して穿設され、背表紙部１０１６とは離れた側に位置する第２綴杆４３０の半割杆４３０Ａを貫挿される。
変形部５４４は、折曲部１０２０とは反対側の貫挿孔５４８より内側すなわち変形部５４４の中央領域を第１綴杆４２０と第２綴杆４３０との間で軸受部４１４及び枢軸部４１６の上方に位置させる。
変形部５４４は、屈曲部５５０から表紙体１０１０の内方に向けて立ち上げて、屈曲部５５０とは離れた領域すなわち貫挿孔５４８より離れた側を第１綴杆４２０と第２綴杆４３０との間で軸受部４１４及び枢軸部４１６の上方に位置させる。
【０１１６】
貫挿孔５４８は、第１綴具部材４１８Ａの第１綴杆４２０を向こう側に移動させ、第１綴杆４２０の半割杆４２０Ａの第１綴杆の綴杆係止部４２２と第２綴杆４３０の半割杆４３０Ａの第２綴杆の綴杆係止部４３２との係合を外すことができるように、変形部５４４の長手方向（すなわち枢軸部４１６の長手方向）におけるその長さを形成されている。
貫挿孔５４８は、平面方形状又は平面視略Ｌ字状に形成される。
平面視略Ｌ字状の貫挿孔５４８は、表紙体１０１０を閉じたときには、細い第１綴杆４２０（又は第２綴杆４３０）に位置する領域は狭い幅の孔で形成され、表紙体１０１０を開いたときには、太い枢軸部４１６（又は軸受部４１４）に位置する領域は、広い幅の孔で形成される。
【０１１７】
前記貫挿孔５４８は、第１綴杆４２０及び第２綴杆４３０の第１綴杆の綴杆係止部４２２及び第２綴杆の綴杆係止部４３２を枢軸部４１６の長手方向に移動させて脱係できるように、隣接する貫挿孔５４８と貫挿孔５４８との間に間隙を設けて並んで、綴具４１０の綴杆部４１２を枢軸部４１６を中心にして開閉自在に貫挿している。
屈曲部５５０（第１屈曲部５５０Ａ及び第２屈曲部５５０Ｂ）及び折曲部１０２０と貫挿孔５４８との間隔は、第１ヒンジ部１０２２並びに第２ヒンジ部１０２４及び第１屈曲部５５０Ａ並びに第２屈曲部５５０Ｂにおいて、表表紙部１０１２と裏表紙部１０１４とを折り返し、表紙体１０１０を、内面を外側にし、外面を向き合わせて、平板状にしたときに、折曲部１０２０の外側に綴具４１０の枢軸部４１６が位置できる長さに構成されている。
又、第１変形部５４４Ａ及び第２変形部５４４Ｂの長さは、折曲部１０２０において、表表紙部１０１２と裏表紙部１０１４とを折り返し、表紙体１０１０を、内面を外側にし、外面を向き合わせて、平板状にしたときに、屈曲部５５０の外側に綴具４１０の枢軸部４１６が位置でき、且つ折曲部１０２０が枢軸部４１６の外側に位置できる長さに構成されている。
この実施の形態においては、折曲部１０２０の一方側に形成された第１変形部５４４Ａの第１貫挿孔５４８Ａを第１綴杆４２０に貫挿させ、折曲部１０２０の他方側に形成された第１変形部５４４Ａの第２貫挿孔５４８Ｂを第２綴杆４３０に貫挿させて、第１屈曲部５５０Ａより立ち上がった第１変形部５４４Ａと第２屈曲部５５０Ｂより立ち上がった第２変形部５４４Ｂの中間の折曲部１０２０を軸受部４１４及び枢軸部４１６の上方に位置させて、綴具４１０を表紙体１０１０に取り付けられている。
綴具４１０は、表紙体１０１０の内側であって背表紙部１０１６に近い位置に取り付けられ、綴具４１０の連結領域及び枢結領域を変形部５４４の下方であって裏表紙部１０１４の外側と変形部５４４の下側面との間に位置させ且つ第１変形部５４４Ａの外側と第２変形部５４４Ｂの外側との間に位置させて、裏表紙部１０１４に取り付けられている。
【０１１８】
この実施の形態においては、前記表紙体１０１０は、裏表紙部１０１４において、背表紙部１０１６に近い位置に、裏表紙部１０１４の高さ方向（長手方向）にのびる折曲部１０２０及び／又は屈曲部５５０を形成されている。
前記取付部５４０の貫挿孔５４８は、表紙体１０１０を第１ヒンジ部１０２２、第２ヒンジ部１０２４及び／又は屈曲部５５０において略３６０度捲りかえしたときに対向する表紙部（表表紙部１０１２、裏表紙部１０１４及び背表紙部１０１６）の間であって折曲部１０２０の近くに位置するように、綴具４１０を取り付けられる部位に形成され、屈曲部５５０との間に綴具４１０の連結領域及び／又は枢結領域の幅以上の間隔をおいて形成されている。
前記綴具４１０は、表紙部（表表紙部１０１２、裏表紙部１０１４及び背表紙部１０１６）の外側であって背表紙部１０１６に近い位置に位置して、第１綴具部材４１８Ａ及び第２綴具部材４１８Ｂの一方又は両方において前記貫挿孔５４８に緩挿されて、取付部５４０に取り付けられ、表紙体１０１０を閉じたときには、綴具４１０の綴杆部４１２が表紙部（表表紙部１０１２、裏表紙部１０１４及び背表紙部１０１６）の内面に位置し、表紙体１０１０を開いたときには、綴具４１０の綴杆部４１２が表紙部（表表紙部１０１２、裏表紙部１０１４及び背表紙部１０１６）の内面から離れて折り曲げられた折曲部１０２０の近くに位置するように形成されている。
【０１１９】
綴具４１０は、軸受部４１４が裏表紙部１０１４側に位置し、半割杆４２０Ａの自由端４２０ｂ及び半割杆４３０Ａの自由端４３０ｂ側が表表紙部１０１２側に位置し、第１綴具部材４１８Ａが背表紙部１０１６側に位置して、表紙体１０１０を閉じたときは、リーフ１１１０が第２綴杆４３０側に位置するように構成されている。
変形部５４４は、開かれて平板状態にされた表紙体１０１０の折れ曲がった第１ヒンジ部１０２２，第２ヒンジ部１０２４，第１屈曲部５５０Ａ及び第２屈曲部５５０Ｂの外側で、平板状態にされた表紙体１０１０の延長線、もしくは延長面の上において、平板状態の表紙体１０１０とほぼ平行にないしは斜交して外方に伸びる。
綴具４１０は、その枢軸部４１６が表紙体１０１０の近くで、綴杆部４１２の第１綴杆の綴杆係止部４２２及び第２綴杆の綴杆係止部４３２が遠くで、第１綴杆４２０及び第２綴杆４３０が開かれて平板状態にされた表紙体１０１０の折れ曲がった端縁の外側で、平板状態にされた表紙体１０１０の延長線、もしくは延長面の上において、並ぶ。
【０１２０】
綴具４１０に綴じられたリーフ１１１０及び表紙体１０１０の表表紙部１０１２は、図４３において示すように、枢軸部４１６側に向けて捲りかえされ、閉じられて積層されていたときのリーフの表側１１１０ａとリーフの裏側１１１０ｂとを枢軸部４１６を挟んで向かい合わせるようにして、筆記等に用いることができる。
【０１２１】
綴具４１０は、第１綴杆４２０及び第２綴杆４３０に、リーフ１１１０の高さ方向に適宜な間隔をあけて連続して設けられた綴じ穴１１１２を貫挿し、リーフ１１１０の高さ方向にのびる綴じ代側端縁５１４の側に枢軸部４１６を位置させ、綴じ穴１１１２と綴じ代側端縁５１４との間に第１綴杆４２０及び第２綴杆４３０が架け渡されるようにして、リーフ１１１０を綴じ、手帳を形成する。
綴具４１０は、綴具４１０の長さ方向が、幅方向にのびる端縁に綴じ穴１１１２を形成したリーフ１１１０の幅方向にのびるように、リーフ１１１０を綴じて、手帳を形成してもよい。
【０１２２】
表紙体及び取付部は、次のように構成してもよい。
図４５は、別の取付部を示す断面図解図であり、図４６は、別の取付部を示す表紙体の平面図解図である。
前記表紙体１０１０は、表表紙部１０１２、裏表紙部１０１４及び背表紙部１０１６のうちいずれか１つに綴具４１０を取り付けるための取付部３１４０を形成され、前記表紙体１０１０は、綴杆部４１２に綴じられたリーフ１１１０を第１綴杆４２０及び第２綴杆４３０に沿って捲り、３６０度捲りかえすことができるように、前記綴杆部４１２を構成する第１綴杆４２０及び第２綴杆４３０を開閉させるときの中心となる連結領域の長手方向に沿って手前側から向こう側に亘って連続して形成された、山折り又は谷折りに折り曲げるための折曲部１０２０及び屈曲部３１５０を備える。
【０１２３】
表紙体１０１０に形成された取付部３１４０は、変形部３１４４を備え、変形部３１４４は、横断面Ｌ字形に屈曲され、第１綴杆の綴杆係止部４２２及び第２綴杆の綴杆係止部４３２を連結領域の長手方向に移動させて脱係できるように、綴具４１０の綴杆部４１２を回動自在に嵌挿させる貫挿孔３１４８を形成されている。
変形部３１４４は、裏表紙部１０１４の背表紙部１０１６に近い位置に形成されており、第２ヒンジ部１０２４より離れた位置において折曲部１０２０を形成され、その両脇すなわち、背表紙部１０１６側と表紙体１０１０の表表紙部１０１２の自由端側とに屈曲部３１５０を形成され、綴具４１０の連結領域より上に位置させるように、屈曲部３１５０より折曲部１０２０を立ち上げてなる。
変形部３１４４は、表紙体１０１０の一部を切り欠かれて、切り欠き部により囲繞された領域を表紙体１０１０の内方に向けて立ち上げて形成され、屈曲部３１５０から綴具４１０の綴杆部４１２の中央に至る幅を備え、且つ、第１綴杆４２０と第２綴杆４３０との間隔よりも広い幅を備えている。
【０１２４】
この実施の形態においては、折曲部１０２０は、第２ヒンジ部１０２４より離れた位置において形成された、２条の折曲部（第１折曲部１０２０Ａ及び第２折曲部１０２０Ｂ）により形成される。
変形部３１４４は、背表紙部１０１６側の第１変形部３１４４Ａと裏表紙部１０１４の自由端側（背表紙部１０１６に連設された側とは反対側）の第２変形部３１４４Ｂとを備える。
屈曲部３１５０は、第１折曲部１０２０Ａより第１変形部３１４４Ａの幅の長さ分を離れて背表紙部１０１６側に形成された第１屈曲部３１５０Ａと、第２折曲部１０２０Ｂより第２変形部３１４４Ｂの幅の長さ分を離れて裏表紙部１０１４の自由端側に形成された第２屈曲部３１５０Ｂとを備える。
折曲部１０２０と屈曲部３１５０と第１ヒンジ部１０２２及び第２ヒンジ部１０２４とは、平行に形成されている。
変形部３１４４は、第１屈曲部３１５０Ａ及び第２屈曲部３１５０Ｂを谷折りし、第１折曲部１０２０Ａ及び第２折曲部１０２０Ｂを山折りして、第１変形部３１４４Ａ及び第２変形部３１４４Ｂを横断面略Ｕ字形に立ち上げられて形成される。
【０１２５】
変形部３１４４は、第１変形部３１４４Ａ及び第２変形部３１４４Ｂの中央に綴杆部４１２を貫挿するための貫挿孔３１４８を穿設されている。
変形部３１４４は、折曲部１０２０とは反対側の貫挿孔３１４８より内側すなわち変形部３１４４の中央領域を第１綴杆４２０と第２綴杆４３０との間で軸受部４１４及び枢軸部４１６の上方に位置させる。
変形部３１４４は、屈曲部３１５０から表紙体１０１０の内方に向けて立ち上げて、第１変形部３１４４Ａ及び第２変形部３１４４Ｂとは離れた領域すなわち貫挿孔３１４８より離れた側を第１綴杆４２０と第２綴杆４３０の間で軸受部４１４及び枢軸部４１６の上方に位置させる。
変形部３１４４は、綴具４１０の綴杆部４１２の数に対応した数の貫挿孔３１４８を、並列された綴杆部４１２の間隔に対応して穿設され、背表紙部１０１６とは離れた側に位置する第２綴杆４３０の半割杆４３０Ａを貫挿される。
【０１２６】
貫挿孔３１４８は、第１綴具部材４１８Ａの第１綴杆４２０を向こう側に移動させ、第１綴杆４２０の半割杆４２０Ａの第１綴杆の綴杆係止部４２２と第２綴杆４３０の半割杆４３０Ａの第２綴杆の綴杆係止部４３２との係合を外すことができるように、変形部３１４４の長手方向（すなわち枢軸部４１６の長手方向）におけるその長さを形成されている。
貫挿孔３１４８は、平面方形状又は平面視略Ｌ字状に形成される。
平面視略Ｌ字状の貫挿孔３１４８は、表紙体１０１０を閉じたときには、細い第１綴杆４２０（又は第２綴杆４３０）に位置する領域は狭い幅の孔で形成され、表紙体１０１０を開いたときには、太い枢軸部４１６（又は軸受部４１４）に位置する領域は、広い幅の孔で形成される。
【０１２７】
前記貫挿孔３１４８は、第１綴杆４２０及び第２綴杆４３０の第１綴杆の綴杆係止部４２２及び第２綴杆の綴杆係止部４３２を枢軸部４１６の長手方向に移動させて脱係できるように、隣接する貫挿孔３１４８と貫挿孔３１４８との間に間隙を設けて並んで、綴具４１０の綴杆部４１２を枢軸部４１６を中心にして開閉自在に貫挿している。
折曲部１０２０及び屈曲部３１５０と貫挿孔３１４８との間隔は、第１ヒンジ部１０２２並びに第２ヒンジ部１０２４及び第１屈曲部３１５０Ａ並びに第２屈曲部３１５０Ｂにおいて、表表紙部１０１２と裏表紙部１０１４とを折り返し、表紙体１０１０を、内面を外側にし、外面を向き合わせて、平板状にしたときに、屈曲部３１５０の外側に綴具４１０の枢軸部４１６が位置でき、且つ折曲部１０２０が枢軸部４１６の外側に位置できる長さに構成されている。
又、第１変形部３１４４Ａ及び第２変形部３１４４Ｂの長さは、屈曲部３１５０において、表表紙部１０１２と裏表紙部１０１４とを折り返し、表紙体１０１０を、内面を外側にし、外面を向き合わせて、平板状にしたときに、折曲部１０２０の外側に綴具４１０の枢軸部４１６が位置できる長さに構成されている。
この実施の形態においては、第１折曲部１０２０Ａの一方側に形成された第１変形部３１４４Ａの第１貫挿孔３１４８Ａを第１綴杆４２０に貫挿させ、第２折曲部１０２０Ｂの他方側に形成された第２変形部３１４４Ｂの第２貫挿孔３１４８Ｂを第２綴杆４３０に貫挿させて、第１屈曲部３１５０Ａより立ち上がった第１変形部３１４４Ａと第２屈曲部３１５０Ｂより立ち上がった第２変形部３１４４Ｂの中間の折曲部１０２０を軸受部４１４及び枢軸部４１６の上方に位置させて、綴具４１０を表紙体１０１０に取り付けられている。
綴具４１０は、表紙体１０１０の内側であって背表紙部１０１６に近い位置に取り付けられ、綴具４１０の連結領域及び枢結領域を変形部３１４４の下方であって裏表紙部１０１４の外側と変形部３１４４の下側面との間に位置させ且つ第１変形部３１４４Ａの外側と第２変形部３１４４Ｂの外側との間に位置させて、裏表紙部１０１４に取り付けられている。
【０１２８】
この実施の形態においては、前記表紙体１０１０は、表表紙部１０１２又は裏表紙部１０１４において、背表紙部１０１６に近い位置に、表表紙部１０１２又は裏表紙部１０１４の高さ方向（長手方向）にのびる折曲部１０２０及び屈曲部３１５０を形成されている。
前記取付部３１４０の貫挿孔３１４８は、表紙体１０１０を第１ヒンジ部１０２２、第２ヒンジ部１０２４及び屈曲部３１５０において略３６０度捲りかえしたときに対向する表紙部（表表紙部１０１２、裏表紙部１０１４及び背表紙部１０１６）の間であって折曲部１０２０の近くに位置するように、綴具４１０を取り付けられる部位に形成され、屈曲部３１５０との間に綴具４１０の連結領域及び／又は枢結領域の幅以上の間隔をおいて形成されている。
前記綴具４１０は、表紙部（表表紙部１０１２、裏表紙部１０１４及び背表紙部１０１６）の外側であって背表紙部１０１６に近い位置に位置して、第１綴具部材４１８Ａ及び第２綴具部材４１８Ｂの一方又は両方において前記貫挿孔３１４８に緩挿されて、取付部３１４０に取り付けられ、表紙体１０１０を閉じたときには、綴具４１０の綴杆部４１２が表紙部（表表紙部１０１２、裏表紙部１０１４及び背表紙部１０１６）の内面に位置し、表紙体１０１０を開いたときには、綴具４１０の綴杆部４１２が表紙部（表表紙部１０１２、裏表紙部１０１４及び背表紙部１０１６）の内面から離れて折り曲げられた折曲部１０２０の近くに位置するように形成されている。
変形部３１４４は、開かれて平板状態にされた表紙体１０１０の折れ曲がった第１ヒンジ部１０２２，第２ヒンジ部１０２４，第１屈曲部３１５０Ａ及び第２屈曲部３１５０Ｂの外側で、平板状態にされた表紙体１０１０の延長線、もしくは延長面の上において、平板状態の表紙体１０１０とほぼ平行にないしは斜交して外方に伸びる。
綴具４１０は、その枢軸部４１６が表紙体１０１０の近くで、綴杆部４１２の第１綴杆の綴杆係止部４２２及び第２綴杆の綴杆係止部４３２が遠くで、第１綴杆４２０及び第２綴杆４３０が開かれて平板状態にされた表紙体１０１０の折れ曲がった端縁の外側で、平板状態にされた表紙体１０１０の延長線、もしくは延長面の上において、並ぶ。
【０１２９】
綴具４１０は、軸受部４１４が裏表紙部１０１４側に位置し、半割杆４２０Ａの自由端４２０ｂ及び半割杆４３０Ａの自由端４３０ｂ側が表表紙部１０１２側に位置し、第１綴具部材４１８Ａが背表紙部１０１６側に位置して、表紙体１０１０を閉じたときは、リーフ１１１０が第２綴杆４３０側に位置するように構成されている。
【０１３０】
図４７は、別の取付部を示す断面図解図であり、図４８は、別の取付部を示す表紙体の平面図解図である。
前記表紙体１０１０は、表表紙部１０１２、裏表紙部１０１４及び背表紙部１０１６のうちいずれか１つに綴具４１０を取り付けるための取付部３２４０を形成され、前記表紙体１０１０は、綴杆部４１２に綴じられたリーフ１１１０を第１綴杆４２０及び第２綴杆４３０に沿って捲り、３６０度捲りかえすことができるように、前記綴杆部４１２を構成する第１綴杆４２０及び第２綴杆４３０を開閉させるときの中心となる連結領域の長手方向に沿って手前側から向こう側に亘って連続して形成された、山折り又は谷折りに折り曲げるための折曲部１０２０及び屈曲部３２５０を備える。
【０１３１】
表紙体１０１０に形成された取付部３２４０は、変形部３２４４を備え、変形部３２４４は、横断面Ｖ字形に屈曲され、第１綴杆の綴杆係止部４２２及び第２綴杆の綴杆係止部４３２を連結領域の長手方向に移動させて脱係できるように、綴具４１０の綴杆部４１２を回動自在に嵌挿させる貫挿孔３２４８を形成されている。
変形部３２４４は、背表紙部１０１６に形成されており、第１ヒンジ部１０２２及び第２ヒンジ部１０２４より離れた位置において折曲部１０２０を形成され、第１ヒンジ部１０２２及び第２ヒンジ部１０２４を屈曲部３２５０として形成され、綴具４１０の連結領域より上に位置させるように、屈曲部３２５０より折曲部１０２０を立ち上げてなる。
変形部３２４４は、表紙体１０１０の一部を切り欠かれて、切り欠き部により囲繞された領域を表紙体１０１０の内方に向けて立ち上げて形成され、第１ヒンジ部１０２２及び第２ヒンジ部１０２４から綴具４１０の綴杆部４１２の中央に至る幅を備え、且つ、第１綴杆４２０と第２綴杆４３０との間隔よりも広い幅を備えている。
【０１３２】
この実施の形態においては、変形部３２４４は、表表紙部１０１２側の第１変形部３２４４Ａと裏表紙部１０１４側の第２変形部３２４４Ｂとを備える。
屈曲部３２５０は、折曲部１０２０より第１変形部３２４４Ａの幅の長さ分を離れて表表紙部１０１２側に形成された第１屈曲部３２５０Ａと、折曲部１０２０より第２変形部３２４４Ｂの幅の長さ分を離れて裏表紙部１０１４側に形成された第２屈曲部３２５０Ｂとを備える。
屈曲部３２５０と第１ヒンジ部１０２２及び第２ヒンジ部１０２４とは、平行に形成されている。
変形部３２４４は、第１屈曲部３２５０Ａ及び第２屈曲部３２５０Ｂを谷折りし、折曲部１０２０を山折りして、第１変形部３２４４Ａ及び第２変形部３２４４Ｂを横断面Ｖ字形に立ち上げられて形成される。
【０１３３】
変形部３２４４は、第１変形部３２４４Ａ及び第２変形部３２４４Ｂの中央に綴杆部４１２を貫挿するための貫挿孔３２４８を穿設されている。
変形部３２４４は、第１屈曲部３２５０Ａ及び第２屈曲部３２５０Ｂとは反対側の貫挿孔３２４８より内側すなわち変形部３２４４の中央領域を第１綴杆４２０と第２綴杆４３０との間で軸受部４１４及び枢軸部４１６の上方に位置させる。
変形部３２４４は、表紙体１０１０の内方に向けて立ち上げて、第１屈曲部３２５０Ａ及び第２屈曲部３２５０Ｂとは離れた領域すなわち貫挿孔３２４８より離れた側を第１綴杆４２０と第２綴杆４３０との間で軸受部４１４及び枢軸部４１６の上方に位置させる。
変形部３２４４は、綴具４１０の綴杆部４１２の数に対応した数の貫挿孔３２４８を、並列された綴杆部４１２の間隔に対応して穿設され、背表紙部１０１６とは離れた側に位置する第２綴杆４３０の半割杆４３０Ａを貫挿される。
【０１３４】
貫挿孔３２４８は、第１綴具部材４１８Ａの第１綴杆４２０を向こう側に移動させ、第１綴杆４２０の半割杆４２０Ａの第１綴杆の綴杆係止部４２２と第２綴杆４３０の半割杆４３０Ａの第２綴杆の綴杆係止部４３２との係合を外すことができるように、変形部３２４４の長手方向（すなわち枢軸部４１６の長手方向）におけるその長さを形成されている。
貫挿孔３２４８は、平面方形状又は平面視略Ｌ字状に形成される。
平面視略Ｌ字状の貫挿孔３２４８は、表紙体１０１０を閉じたときには、細い第１綴杆４２０（又は第２綴杆４３０）に位置する領域は狭い幅の孔で形成され、表紙体１０１０を開いたときには、太い枢軸部４１６（又は軸受部４１４）に位置する領域は、広い幅の孔で形成される。
【０１３５】
前記貫挿孔３２４８は、第１綴杆４２０及び第２綴杆４３０の第１綴杆の綴杆係止部４２２及び第２綴杆の綴杆係止部４３２を枢軸部４１６の長手方向に移動させて脱係できるように、隣接する貫挿孔３２４８と貫挿孔３２４８との間に間隙を設けて並んで、綴具４１０の綴杆部４１２を枢軸部４１６を中心にして開閉自在に貫挿している。
屈曲部３２５０（第１ヒンジ部１０２２及び第２ヒンジ部１０２４）及び折曲部１０２０と貫挿孔３２４８との間隔は、第１ヒンジ部１０２２及び第２ヒンジ部１０２４において、表表紙部１０１２と裏表紙部１０１４とを折り返し、表紙体１０１０を、内面を外側にし、外面を向き合わせて、平板状にしたときに、屈曲部３２５０の外側に綴具４１０の枢軸部４１６が位置でき且つ折曲部１０２０が枢軸部４１６の外側に位置できる長さに構成されている。
又、第１変形部３２４４Ａ及び第２変形部３２４４Ｂの長さは、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具４１０の枢軸部４１６が位置できる長さに構成されている。
この実施の形態においては、折曲部１０２０の一方側に形成された第１変形部３２４４Ａの第１貫挿孔３２４８Ａを第１綴杆４２０に貫挿させ、折曲部１０２０の他方側に形成された第２変形部３２４４Ｂの第２貫挿孔３２４８Ｂを第２綴杆４３０に貫挿させて、第１屈曲部３２５０Ａより立ち上がった第１変形部３２４４Ａと第２屈曲部３２５０Ｂより立ち上がった第２変形部３２４４Ｂの中間の折曲部１０２０を軸受部４１４及び枢軸部４１６の上方に位置させて、綴具４１０を表紙体１０１０に取り付けられている。
綴具４１０は、表紙体１０１０の内側であって背表紙部１０１６に近い位置に取り付けられ、綴具４１０の連結領域及び枢結領域を変形部３２４４の下方であって裏表紙部１０１４の外側と変形部３２４４の下側面（外側面）との間に位置させて、背表紙部１０１６に取り付けられている。
【０１３６】
この実施の形態においては、前記表紙体１０１０は、背表紙部１０１６の幅方向における略中央に背表紙部１０１６の高さ方向（長手方向）にのびる折曲部１０２０を形成されている。
前記取付部３２４０の貫挿孔３２４８は、表紙体１０１０を屈曲部３２５０（第１ヒンジ部１０２２及び第２ヒンジ部１０２４）において略３６０度捲りかえしたときに対向する表紙部（表表紙部１０１２、裏表紙部１０１４及び背表紙部１０１６）の間であって折曲部１０２０の近くに位置するように、綴具４１０を取り付けられる部位に形成され、屈曲部３２５０との間に綴具４１０の連結領域又は枢結領域の幅以上の間隔をおいて形成されている。
前記綴具４１０は、表紙部（表表紙部１０１２、裏表紙部１０１４及び背表紙部１０１６）の外側であって背表紙部１０１６に近い位置に位置して、第１綴具部材４１８Ａ及び第２綴具部材４１８Ｂの一方又は両方において前記貫挿孔３２４８に緩挿されて、取付部３２４０に取り付けられ、表紙体１０１０を閉じたときには、綴具４１０の綴杆部４１２が表紙部（表表紙部１０１２、裏表紙部１０１４及び背表紙部１０１６）の内面に位置し、表紙体１０１０を開いたときには、綴具４１０の綴杆部４１２が表紙部（表表紙部１０１２、裏表紙部１０１４及び背表紙部１０１６）の内面から離れて折り曲げられた折曲部１０２０の近くに位置するように形成されている。
変形部３２４４は、開かれて平板状態にされた表紙体１０１０の折れ曲がった第１ヒンジ部１０２２及び第２ヒンジ部１０２４の外側で、平板状態にされた表紙体１０１０の延長線、もしくは延長面の上において、平板状態の表紙体１０１０とほぼ平行にないしは斜交して外方に伸びる。
綴具４１０は、その枢軸部４１６が表紙体１０１０の近くで、綴杆部４１２の第１綴杆の綴杆係止部４２２及び第２綴杆の綴杆係止部４３２が遠くで、第１綴杆４２０及び第２綴杆４３０が開かれて平板状態にされた表紙体１０１０の折れ曲がった端縁の外側で、平板状態にされた表紙体１０１０の延長線、もしくは延長面の上において、並ぶ。
【０１３７】
綴具４１０は、軸受部４１４が背表紙部１０１６の外側に位置し、半割杆４２０Ａの自由端４２０ｂ及び半割杆４３０Ａの自由端４３０ｂ側が表表紙部１０１２及び裏表紙部１０１４の内側に位置し、第１綴具部材４１８Ａが表表紙部１０１２側に位置し、第２綴具部材４１８Ｂが裏表紙部１０１４側に位置して、表紙体１０１０を閉じたときは、リーフ１１１０が第１綴杆４２０及び第２綴杆４３０側に位置するように構成されている。
【０１３８】
図４９は、別の取付部を示す断面図解図であり、図５０は、別の取付部を示す表紙体の平面図解図である。
前記表紙体１０１０は、表表紙部１０１２、裏表紙部１０１４及び背表紙部１０１６のうちいずれか１つに綴具４１０を取り付けるための取付部３３４０を形成され、前記表紙体１０１０は、綴杆部４１２に綴じられたリーフ１１１０を第１綴杆４２０及び第２綴杆４３０に沿って捲り、３６０度捲りかえすことができるように、前記綴杆部４１２を構成する第１綴杆４２０及び第２綴杆４３０を開閉させるときの中心となる連結領域の長手方向に沿って手前側から向こう側に亘って連続して形成された、山折り又は谷折りに折り曲げるための折曲部１０２０及び屈曲部３３５０を備える。
【０１３９】
表紙体１０１０に形成された取付部３３４０は、変形部３３４４を備え、変形部３３４４は、横断面略Ｕ字形に屈曲され、第１綴杆の綴杆係止部４２２及び第２綴杆の綴杆係止部４３２を連結領域の長手方向に移動させて脱係できるように、綴具４１０の綴杆部４１２を回動自在に嵌挿させる貫挿孔３３４８を形成されている。
変形部３３４４は、背表紙部１０１６に形成されており、第１ヒンジ部１０２２及び第２ヒンジ部１０２４より離れた位置において折曲部１０２０を形成され、その両側すなわち、第１ヒンジ部１０２２側と第２ヒンジ部１０２４側とに屈曲部３３５０を形成され、綴具４１０の連結領域より上に位置させるように、屈曲部３３５０より折曲部１０２０を立ち上げてなる。
変形部３３４４は、表紙体１０１０の一部を切り欠かれて、切り欠き部により囲繞された領域を表紙体１０１０の内方に向けて立ち上げて形成され、屈曲部３３５０から綴具４１０の綴杆部４１２の中央に至る幅を備え、且つ、第１綴杆４２０と第２綴杆４３０との間隔よりも広い幅を備えている。
【０１４０】
この実施の形態においては、折曲部１０２０は、第１ヒンジ部１０２２及び第２ヒンジ部１０２４より離れた位置において形成された、２条の折曲部（第１折曲部１０２０Ａ及び第２折曲部１０２０Ｂ）により形成される。
変形部３３４４は、表表紙部１０１２側の第１変形部３３４４Ａと裏表紙部１０１４側の第２変形部３３４４Ｂとを備える。
屈曲部３３５０は、第１折曲部１０２０Ａより第１変形部３３４４Ａの幅の長さ分を離れて表表紙部１０１２側に形成された第１屈曲部３３５０Ａと、第２折曲部１０２０Ｂより第２変形部３３４４Ｂの幅の長さ分を離れて裏表紙部１０１４側に形成された第２屈曲部３３５０Ｂとを備える。
折曲部１０２０と屈曲部３３５０と第１ヒンジ部１０２２及び第２ヒンジ部１０２４とは、平行に形成されている。
変形部３３４４は、第１屈曲部３３５０Ａ及び第２屈曲部３３５０Ｂを谷折りし、第１折曲部１０２０Ａ及び第２折曲部１０２０Ｂを山折りして、第１変形部３３４４Ａ及び第２変形部３３４４Ｂを横断面略Ｕ字形に立ち上げられて形成される。
【０１４１】
変形部３３４４は、第１変形部３３４４Ａ及び第２変形部３３４４Ｂの中央に綴杆部４１２を貫挿するための貫挿孔３３４８を穿設されている。
変形部３３４４は、屈曲部３３５０とは反対側の貫挿孔３３４８より内側すなわち変形部３３４４の中央領域を第１綴杆４２０と第２綴杆４３０との間で軸受部４１４及び枢軸部４１６の上方に位置させる。
変形部３３４４は、表紙体１０１０の内方に向けて立ち上げて、屈曲部３３５０とは離れた領域すなわち貫挿孔３３４８より離れた側を第１綴杆４２０と第２綴杆４３０との間で軸受部４１４及び枢軸部４１６の上方に位置させる。
変形部３３４４は、綴具４１０の綴杆部４１２の数に対応した数の貫挿孔３３４８を、並列された綴杆部４１２の間隔に対応して穿設され、背表紙部１０１６とは離れた側に位置する第２綴杆４３０の半割杆４３０Ａを貫挿される。
【０１４２】
貫挿孔３３４８は、第１綴具部材４１８Ａの第１綴杆４２０を向こう側に移動させ、第１綴杆４２０の半割杆４２０Ａの第１綴杆の綴杆係止部４２２と第２綴杆４３０の半割杆４３０Ａの第２綴杆の綴杆係止部４３２との係合を外すことができるように、変形部３３４４の長手方向（すなわち枢軸部４１６の長手方向）におけるその長さを形成されている。
貫挿孔３３４８は、平面方形状又は平面視略Ｌ字状に形成される。
表紙体１０１０を閉じたときには、細い第１綴杆４２０（又は第２綴杆４３０）に位置する領域は狭い幅の孔で形成され、表紙体１０１０を開いたときには、太い枢軸部４１６（又は軸受部４１４）に位置する領域は、広い幅の孔で形成される。
【０１４３】
前記貫挿孔３３４８は、第１綴杆４２０及び第２綴杆４３０の第１綴杆の綴杆係止部４２２及び第２綴杆の綴杆係止部４３２を枢軸部４１６の長手方向に移動させて脱係できるように、隣接する貫挿孔３３４８と貫挿孔３３４８との間に間隙を設けて並んで、綴具４１０の綴杆部４１２を枢軸部４１６を中心にして開閉自在に貫挿している。
屈曲部３３５０（第１屈曲部３３５０Ａ及び第２屈曲部３３５０Ｂ）及び第１折曲部１０２０Ａ及び第２折曲部１０２０Ｂと貫挿孔３３４８との間隔は、第１ヒンジ部１０２２及び第２ヒンジ部１０２４において、表表紙部１０１２と裏表紙部１０１４とを折り返し、表紙体１０１０を、内面を外側にし、外面を向き合わせて、平板状にしたときに、屈曲部３３５０の外側に綴具４１０の枢軸部４１６が位置でき且つ折曲部１０２０が枢軸部４１６の外側に位置できる長さに構成されている。
又、第１変形部３３４４Ａ及び第２変形部３３４４Ｂの長さは、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具４１０の枢軸部４１６が位置できる長さに構成されている。
この実施の形態においては、第１折曲部１０２０Ａの一方側に形成された第１変形部３３４４Ａの第１貫挿孔３３４８Ａを第１綴杆４２０に貫挿させ、第２折曲部１０２０Ｂの他方側に形成された第２変形部３３４４Ｂの第２貫挿孔３３４８Ｂを第２綴杆４３０に貫挿させて、第１屈曲部３３５０Ａより立ち上がった第１変形部３３４４Ａと第２屈曲部３３５０Ｂより立ち上がった第２変形部３３４４Ｂとの中間の折曲部１０２０を軸受部４１４及び枢軸部４１６の上方に位置させて、綴具４１０を表紙体１０１０に取り付けられている。
綴具４１０は、表紙体１０１０の内側であって背表紙部１０１６に近い位置に取り付けられ、綴具４１０の連結領域及び枢結領域を変形部３３４４の下方であって裏表紙部１０１４の外側と変形部３３４４の下側面（外側面）との間に位置させて、背表紙部１０１６に取り付けられている。
【０１４４】
この実施の形態においては、前記表紙体１０１０は、背表紙部１０１６の幅方向における略中央に背表紙部１０１６の高さ方向（長手方向）にのびる折曲部１０２０を形成されている。
前記取付部３３４０の貫挿孔３３４８は、表紙体１０１０を、第１ヒンジ部１０２２並びに第２ヒンジ部１０２４、折曲部１０２０（第１折曲部１０２０Ａ及び第２折曲部１０２０Ｂ）、屈曲部３３５０（第１屈曲部３３５０Ａ及び第２屈曲部３３５０Ｂ）において略３６０度捲りかえしたときに対向する表紙部（表表紙部１０１２、裏表紙部１０１４及び背表紙部１０１６）の間であって折曲部１０２０の近くに位置するように、綴具４１０を取り付けられる部位に形成され、屈曲部３３５０との間に綴具４１０の連結領域又は枢結領域の幅以上の間隔をおいて形成されている。
前記綴具４１０は、軸受部４１４及び枢軸部４１６が表紙部（表表紙部１０１２、裏表紙部１０１４及び背表紙部１０１６）の外側であって背表紙部１０１６に近い位置に位置して、第１綴具部材４１８Ａ及び第２綴具部材４１８Ｂの一方又は両方において前記貫挿孔３３４８に緩挿されて、取付部３３４０に取り付けられ、表紙体１０１０を閉じたときには、綴具４１０の綴杆部４１２が表紙部（表表紙部１０１２、裏表紙部１０１４及び背表紙部１０１６）の内面に位置し、表紙体１０１０を開いたときには、綴具４１０の綴杆部４１２が表紙部（表表紙部１０１２、裏表紙部１０１４及び背表紙部１０１６）の内面から離れて折り曲げられた折曲部１０２０の近くに位置するように形成されている。
変形部３３４４は、開かれて平板状態にされた表紙体１０１０の折れ曲がった第１ヒンジ部１０２２，第２ヒンジ部１０２４，第１屈曲部３３５０Ａ及び第２屈曲部３３５０Ｂの外側で、平板状態にされた表紙体１０１０の延長線、もしくは延長面の上において、平板状態の表紙体１０１０とほぼ平行にないしは斜交して外方に伸びる。
綴具４１０は、その枢軸部４１６が表紙体１０１０の近くで、綴杆部４１２の第１綴杆の綴杆係止部４２２及び第２綴杆の綴杆係止部４３２が遠くで、第１綴杆４２０及び第２綴杆４３０が開かれて平板状態にされた表紙体１０１０の折れ曲がった端縁の外側で、平板状態にされた表紙体１０１０の延長線、もしくは延長面の上において、並ぶ。
【０１４５】
綴具４１０は、軸受部４１４が背表紙部１０１６の外側に位置し、半割杆４２０Ａの自由端４２０ｂ及び半割杆４３０Ａの自由端４３０ｂ側が背表紙部１０１６の内側に位置し、第１綴具部材４１８Ａが表表紙部１０１２側に位置し、第２綴具部材４１８Ｂが裏表紙部１０１４側に位置して、表紙体１０１０を閉じたときは、リーフ１１１０が第１綴杆４２０及び第２綴杆４３０側に位置するように構成されている。
【０１４６】
図５１は、別の取付部を示す断面図解図であり、図５２は、別の取付部を示す表紙体の平面図解図である。
前記表紙体１０１０は、表表紙部１０１２、裏表紙部１０１４及び背表紙部１０１６のうちいずれか１つに綴具４１０を取り付けるための取付部３４４０を形成され、前記表紙体１０１０は、綴杆部４１２に綴じられたリーフ１１１０を第１綴杆４２０及び第２綴杆４３０に沿って捲り、３６０度捲りかえすことができるように、前記綴杆部４１２を構成する第１綴杆４２０及び第２綴杆４３０を開閉させるときの中心となる連結領域の長手方向に沿って手前側から向こう側に亘って連続して形成された、山折り又は谷折りに折り曲げるための折曲部１０２０及び屈曲部３４５０を備える。
【０１４７】
表紙体１０１０に形成された取付部３４４０は、変形部３４４４を備え、変形部３４４４は、横断面略Ｉ字形に屈曲され、第１綴杆の綴杆係止部４２２及び第２綴杆の綴杆係止部４３２を連結領域の長手方向に移動させて脱係できるように、綴具４１０の綴杆部４１２を回動自在に嵌挿させる貫挿孔３４４８を形成されている。
変形部３４４４は、背表紙部１０１６に形成されており、第１ヒンジ部１０２２及び第２ヒンジ部１０２４より離れた位置において折曲部１０２０を形成され、その両脇すなわち、裏表紙部１０１４側と表表紙部１０１２側とに屈曲部３４５０を形成され、綴具４１０の連結領域より上に位置させるように、屈曲部３４５０より折曲部１０２０を立ち上げてなる。
折曲部１０２０と屈曲部３４５０と第１ヒンジ部１０２２及び第２ヒンジ部１０２４は、平行に形成されている。
変形部３４４４は、表紙体１０１０の一部を切り欠かれて、切り欠き部により囲繞された領域を表紙体１０１０の内方に向けて立ち上げて形成され、屈曲部３４５０から綴具４１０の綴杆部４１２の中央に至る幅を備え、且つ、第１綴杆４２０と第２綴杆４３０との間隔よりも広い幅を備えている。
【０１４８】
この実施の形態においては、変形部３４４４は、表表紙部１０１２側の第１変形部３４４４Ａと裏表紙部１０１４側の第２変形部３４４４Ｂとを備える。
屈曲部３４５０は、第１ヒンジ部１０２２より第１変形部３４４４Ａの幅の長さ分を離れて表表紙部１０１２側に形成された第１屈曲部３４５０Ａと、第２ヒンジ部１０２４より第２変形部３４４４Ｂの幅の長さ分を離れて裏表紙部１０１４側に形成された第２屈曲部３４５０Ｂとを備える。
変形部３４４４は、第１ヒンジ部１０２２及び第２ヒンジ部１０２４並びに第１屈曲部３４５０Ａ及び第２屈曲部３４５０Ｂを谷折りし、折曲部１０２０を山折りして、第１変形部３４４４Ａを表表紙部１０１２と直交させ且つ第２変形部３４４４Ｂを裏表紙部１０１４と直交させるとともに、第１屈曲部３４５０Ａと折曲部１０２０との間及び第２屈曲部３４５０Ｂと折曲部１０２０との間を横断面略Ｉ字形に立ち上げられて形成される。
変形部３４４４は、その中央に綴杆部４１２を貫挿するための貫挿孔３４４８を穿設されている。
変形部３４４４は、第１ヒンジ部１０２２及び第２ヒンジ部１０２４とは反対側の貫挿孔３４４８より内側すなわち変形部３４４４の中央領域を第１綴杆４２０と第２綴杆４３０との間で軸受部４１４及び枢軸部４１６の上方に位置させる。
変形部３４４４は、表紙体１０１０の内方において立ち上げて、第１ヒンジ部１０２２及び第２ヒンジ部１０２４とは離れた領域すなわち貫挿孔３４４８より離れた側を第１綴杆４２０と第２綴杆４３０との間で軸受部４１４及び枢軸部４１６の上方に位置させる。
変形部３４４４は、綴具４１０の綴杆部４１２の数に対応した数の貫挿孔３４４８を、並列された綴杆部４１２の間隔に対応して穿設され、背表紙部１０１６とは離れた側に位置する第２綴杆４３０の半割杆４３０Ａを貫挿される。
【０１４９】
貫挿孔３４４８は、第１綴具部材４１８Ａの第１綴杆４２０を向こう側に移動させ、第１綴杆４２０の半割杆４２０Ａの第１綴杆の綴杆係止部４２２と第２綴杆４３０の半割杆４３０Ａの第２綴杆の綴杆係止部４３２との係合を外すことができるように、変形部３４４４の長手方向（すなわち枢軸部４１６の長手方向）におけるその長さを形成されている。
貫挿孔３４４８は、平面方形状又は平面視略Ｌ字状に形成される。
平面視略Ｌ字状の貫挿孔３４４８は、表紙体１０１０を閉じたときには、細い第１綴杆４２０（又は第２綴杆４３０）に位置する領域は狭い幅の孔で形成され、表紙体１０１０を開いたときには、太い枢軸部４１６（又は軸受部４１４）に位置する領域は、広い幅の孔で形成される。
【０１５０】
前記貫挿孔３４４８は、第１綴杆４２０及び第２綴杆４３０の第１綴杆の綴杆係止部４２２及び第２綴杆の綴杆係止部４３２を枢軸部４１６の長手方向に移動させて脱係できるように、隣接する貫挿孔３４４８と貫挿孔３４４８との間に間隙を設けて並んで、綴具４１０の綴杆部４１２を枢軸部４１６を中心にして開閉自在に貫挿している。
屈曲部３４５０（第１屈曲部３４５０Ａ及び第２屈曲部３４５０Ｂ）と貫挿孔３４４８との間隔は、第１ヒンジ部１０２２及び第２ヒンジ部１０２４と第１屈曲部３４５０Ａ及び第２屈曲部３４５０Ｂとにおいて、表表紙部１０１２と裏表紙部１０１４とを折り返し、表紙体１０１０を、内面を外側にし、外面を向き合わせて、平板状にしたときに、第１ヒンジ部１０２２及び第２ヒンジ部１０２４の外側に綴具４１０の枢軸部４１６が位置でき且つ折曲部１０２０が枢軸部４１６の外側に位置できる長さに構成されている。
又、第１変形部３４４４Ａ及び第２変形部３４４４Ｂの長さは、第１ヒンジ部１０２２及び第２ヒンジ部１０２４と第１ヒンジ部１０２２及び第２ヒンジ部１０２４とにおいて、表表紙部１０１２と裏表紙部１０１４とを折り返し、表紙体１０１０を、内面を外側にし、外面を向き合わせて、平板状にしたときに、折曲部１０２０の外側に綴具４１０の枢軸部４１６が位置できる長さに構成されている。
この実施の形態においては、折曲部１０２０の一方側に形成された第１変形部３４４４Ａの第１貫挿孔３４４８Ａを第１綴杆４２０に貫挿させ、折曲部１０２０の他方側に形成された第２変形部３４４４Ｂの第２貫挿孔３４４８Ｂを第２綴杆４３０に貫挿させて、第１屈曲部３４５０Ａ及び第２屈曲部３４５０Ｂより立ち上げられた折曲部１０２０を軸受部４１４及び枢軸部４１６の上方に位置させて、綴具４１０を表紙体１０１０に取り付けられている。
綴具４１０は、表紙体１０１０の内側であって背表紙部１０１６に近い位置に取り付けられ、綴具４１０の連結領域及び枢結領域を変形部３４４４の下方であって裏表紙部１０１４の外側と変形部３４４４の下側面（外側面）との間に位置させて、背表紙部１０１６に取り付けられている。
【０１５１】
この実施の形態においては、前記表紙体１０１０は、背表紙部１０１６の幅方向における略中央に背表紙部１０１６の高さ方向（長手方向）にのびる折曲部１０２０を形成されている。
前記取付部３４４０の貫挿孔３４４８は、表紙体１０１０を、第１ヒンジ部１０２２及び第２ヒンジ部１０２４、屈曲部３４５０（第１屈曲部３４５０Ａ及び第２屈曲部３４５０Ｂ）において略３６０度捲りかえしたときに対向する表紙部（表表紙部１０１２、裏表紙部１０１４及び背表紙部１０１６）の間であって折曲部１０２０の近くに位置するように、綴具４１０を取り付けられる部位に形成され、屈曲部３４５０との間に綴具４１０の連結領域又は枢結領域の幅以上の間隔をおいて形成されている。
前記綴具４１０は、表紙部（表表紙部１０１２、裏表紙部１０１４及び背表紙部１０１６）の外側であって背表紙部１０１６に近い位置に位置して、第１綴具部材４１８Ａ及び第２綴具部材４１８Ｂの一方又は両方において前記貫挿孔３４４８に緩挿されて、取付部３４４０に取り付けられ、表紙体１０１０を閉じたときには、綴具４１０の綴杆部４１２が表紙部（表表紙部１０１２、裏表紙部１０１４及び背表紙部１０１６）の内面に位置し、表紙体１０１０を開いたときには、綴具４１０の綴杆部４１２が表紙部（表表紙部１０１２、裏表紙部１０１４及び背表紙部１０１６）の内面から離れて折り曲げられた折曲部１０２０の近くに位置するように形成されている。
変形部３４４４は、開かれて平板状態にされた表紙体１０１０の折れ曲がった第１ヒンジ部１０２２及び第２ヒンジ部１０２４の外側で、平板状態にされた表紙体１０１０の延長線、もしくは延長面の上において、平板状態の表紙体１０１０とほぼ平行にないしは斜交して外方に伸びる。
綴具４１０は、その枢軸部４１６が表紙体１０１０の近くで、綴杆部４１２の第１綴杆の綴杆係止部４２２及び第２綴杆の綴杆係止部４３２が遠くで、第１綴杆４２０及び第２綴杆４３０が開かれて平板状態にされた表紙体１０１０の折れ曲がった端縁の外側で、平板状態にされた表紙体１０１０の延長線、もしくは延長面の上において、並ぶ。
【０１５２】
綴具４１０は、軸受部４１４が背表紙部１０１６の外側に位置し、半割杆４２０Ａの自由端４２０ｂ及び半割杆４３０Ａの自由端４３０ｂ側が背表紙部１０１６の内側に位置し、第１綴具部材４１８Ａが表表紙部１０１２側に位置し、第２綴具部材４１８Ｂが背表紙部１０１４側に位置して、表紙体１０１０を閉じたときは、リーフ１１１０が第１綴杆４２０及び第２綴杆４３０側に位置するように構成されている。
【０１５３】
図５３は、別の取付部を示す断面図解図であり、図５４は、別の取付部を示す表紙体の平面図解図である。
前記表紙体１０１０は、表表紙部１０１２、裏表紙部１０１４及び背表紙部１０１６のうちいずれか１つに綴具４１０を取り付けるための取付部３５４０を形成され、前記表紙体１０１０は、綴杆部４１２に綴じられたリーフ１１１０を第１綴杆４２０及び第２綴杆４３０に沿って捲り、３６０度捲りかえすことができるように、前記綴杆部４１２を構成する第１綴杆４２０及び第２綴杆４３０を開閉させるときの中心となる連結領域の長手方向に沿って手前側から向こう側に亘って連続して形成された、山折り又は谷折りに折り曲げるための折曲部１０２０及び屈曲部３５５０を備える。
【０１５４】
表紙体１０１０に形成された取付部３５４０は、変形部３５４４を備え、変形部３５４４は、横断面略Ｙ字形に屈曲され、第１綴杆の綴杆係止部４２２及び第２綴杆の綴杆係止部４３２を連結領域の長手方向に移動させて脱係できるように、綴具４１０の綴杆部４１２を回動自在に嵌挿させる貫挿孔３５４８を形成されている。
変形部３５４４は、裏表紙部１０１４の背表紙部１０１６に近い位置に形成されており、第１ヒンジ部１０２２及び第２ヒンジ部１０２４より離れた位置において折曲部１０２０を形成され、その両側すなわち、裏表紙部１０１４側と表表紙部１０１２側とに屈曲部３５５０を形成され、綴具４１０の連結領域より上に位置させるように、屈曲部３５５０より折曲部１０２０を立ち上げてなる。
折曲部１０２０と屈曲部３５５０と第１ヒンジ部１０２２及び第２ヒンジ部１０２４とは、平行に形成されている。
変形部３５４４は、表紙体１０１０の一部を切り欠かれて、切り欠き部により囲繞された領域を表紙体１０１０の内方に向けて立ち上げて形成され、折曲部１０２０から綴具４１０の綴杆部４１２の中央に至る幅を備え、且つ、第１綴杆４２０と第２綴杆４３０との間隔よりも広い幅を備えている。
【０１５５】
この実施の形態においては、変形部３５４４は、表表紙部１０１２側の第１変形部３５４４Ａと裏表紙部１０１４側の第２変形部３５４４Ｂとを備える。
屈曲部３５５０は、折曲部１０２０より第１変形部３５４４Ａの幅の長さ分を離れて表表紙部１０１２側に形成された第１屈曲部３５５０Ａを構成する第１ヒンジ部１０２２と、折曲部１０２０より第２変形部３５４４Ｂの幅の長さ分を離れて裏表紙部１０１４側に形成された第２屈曲部３５５０Ｂを構成する第２ヒンジ部１０２４とを備える。
更に、取付部３５４０は、折曲部１０２０の両脇に形成された第３屈曲部３５５０Ｃと第４屈曲部３５５０Ｄを備える。
変形部３５４４は、第１屈曲部３５５０Ａを構成する第１ヒンジ部１０２２及び第３屈曲部３５５０Ｃ並びに第２屈曲部３５５０Ｂを構成する第２ヒンジ部１０２４及び第４屈曲部３５５０Ｄを谷折りし、折曲部１０２０を山折りして、第１変形部３５４４Ａ及び第２変形部３５４４Ｂ並びに第３屈曲部３５５０Ｃ及び第４屈曲部３５５０Ｄと折曲部１０２０との間を立ち上げて、横断面略Ｙ字形に立ち上げられて形成される。
変形部３５４４は、その中央に綴杆部４１２を貫挿するための貫挿孔３５４８を穿設されている。
変形部３５４４は、第１ヒンジ部１０２２及び第２ヒンジ部１０２４とは反対側の貫挿孔３５４８より内側すなわち変形部３５４４の中央領域を第１綴杆４２０と第２綴杆４３０との間で軸受部４１４及び枢軸部４１６の上方に位置させる。
変形部３５４４は、表紙体１０１０の内方に向けて立ち上げて、第１ヒンジ部１０２２及び第２ヒンジ部１０２４とは離れた領域すなわち貫挿孔３５４８より離れた折曲部１０２０の側を第１綴杆４２０と第２綴杆４３０との間で軸受部４１４及び枢軸部４１６の上方に位置させる。
変形部３５４４は、綴具４１０の綴杆部４１２の数に対応した数の貫挿孔３５４８を、並列された綴杆部４１２の間隔に対応して穿設され、背表紙部１０１６とは離れた側に位置する第２綴杆４３０の半割杆４３０Ａを貫挿される。
【０１５６】
貫挿孔３５４８は、第１綴具部材４１８Ａの第１綴杆４２０を向こう側に移動させ、第１綴杆４２０の半割杆４２０Ａの第１綴杆の綴杆係止部４２２と第２綴杆４３０の半割杆４３０Ａの第２綴杆の綴杆係止部４３２との係合を外すことができるように、変形部３５４４の長手方向（すなわち枢軸部４１６の長手方向）におけるその長さを形成されている。
貫挿孔３５４８は、平面方形状又は平面視略Ｌ字状に形成される。
平面視略Ｌ字状の貫挿孔３５４８は、表紙体１０１０を閉じたときには、細い第１綴杆４２０（又は第２綴杆４３０）に位置する領域は狭い幅の孔で形成され、表紙体１０１０を開いたときには、太い枢軸部４１６（又は軸受部４１４）に位置する領域は、広い幅の孔で形成される。
【０１５７】
前記貫挿孔３５４８は、第１綴杆４２０及び第２綴杆４３０の第１綴杆の綴杆係止部４２２及び第２綴杆の綴杆係止部４３２を枢軸部４１６の長手方向に移動させて脱係できるように、隣接する貫挿孔３５４８と貫挿孔３５４８との間に間隙を設けて並んで、綴具４１０の綴杆部４１２を枢軸部４１６を中心にして開閉自在に貫挿している。
第１屈曲部３５５０Ａ並びに第２屈曲部３５５０Ｂ及び第３屈曲部３５５０Ｃ並びに第４屈曲部３５５０Ｄと貫挿孔３５４８との間隔は、第１屈曲部３５５０Ａ及び第２屈曲部３５５０Ｂにおいて、表表紙部１０１２と裏表紙部１０１４とを折り返し、表紙体１０１０を、内面を外側にし、外面を向き合わせて、平板状にしたときに、第１屈曲部３５５０Ａ及び第２屈曲部３５５０Ｂの外側に綴具４１０の枢軸部４１６が位置でき且つ折曲部１０２０が枢軸部４１６の外側に位置できる長さに構成されている。
又、第１変形部３５４４Ａ及び第２変形部３５４４Ｂの長さは、第１屈曲部３５５０Ａ又は第２屈曲部３５５０Ｂにおいて、表表紙部１０１２と裏表紙部１０１４とを折り返し、表紙体１０１０を、内面を外側にし、外面を向き合わせて、平板状にしたときに、折曲部１０２０の外側に綴具４１０の枢軸部４１６が位置できる長さに構成されている。
この実施の形態においては、折曲部１０２０の一方側に形成された第１変形部３５４４Ａの第１貫挿孔３５４８Ａを第１綴杆４２０に貫挿させ、折曲部１０２０の他方側に形成された第２変形部３５４４Ｂの第２貫挿孔３５４８Ｂを第２綴杆４３０に貫挿させて、折曲部１０２０を軸受部４１４及び枢軸部４１６の上方に位置させて、綴具４１０を表紙体１０１０に取り付けられている。
綴具４１０は、表紙体１０１０の内側であって背表紙部１０１６に近い位置に取り付けられ、綴具４１０の連結領域及び枢結領域を変形部３５４４の下方であって裏表紙部１０１４の外側と変形部３５４４の下側面（外側面）との間に位置させて、背表紙部１０１６に取り付けられている。
【０１５８】
この実施の形態においては、前記表紙体１０１０は、背表紙部１０１６の幅方向における略中央に背表紙部１０１６の高さ方向（長手方向）にのびる折曲部１０２０を形成されている。
前記取付部３５４０の貫挿孔３５４８は、表紙体１０１０を屈曲部３５５０（第１ヒンジ部１０２２並びに第２ヒンジ部１０２４及び第３屈曲部３５５０Ｃ並びに第４屈曲部３５５０Ｄ）において略３６０度捲りかえしたときに対向する表紙部（表表紙部１０１２、裏表紙部１０１４及び背表紙部１０１６）の間であって折曲部１０２０の近くに位置するように、綴具４１０を取り付けられる部位に形成され、屈曲部３５５０との間に綴具４１０の連結領域又は枢結領域の幅以上の間隔をおいて形成されている。
前記綴具４１０は、表紙部（表表紙部１０１２、裏表紙部１０１４及び背表紙部１０１６）の外側であって背表紙部１０１６に近い位置に位置して、第１綴具部材４１８Ａ及び第２綴具部材４１８Ｂの一方又は両方において前記貫挿孔３５４８に緩挿されて、取付部３５４０に取り付けられ、表紙体１０１０を閉じたときには、綴具４１０の綴杆部４１２が表紙部（表表紙部１０１２、裏表紙部１０１４及び背表紙部１０１６）の内面に位置し、表紙体１０１０を開いたときには、綴具４１０の綴杆部４１２が表紙部（表表紙部１０１２、裏表紙部１０１４及び背表紙部１０１６）の内面から離れて折り曲げられた折曲部１０２０の近くに位置するように形成されている。
変形部３５４４は、開かれて平板状態にされた表紙体１０１０の折れ曲がった第１ヒンジ部１０２２及び第２ヒンジ部１０２４の外側で、平板状態にされた表紙体１０１０の延長線、もしくは延長面の上において、平板状態の表紙体１０１０とほぼ平行にないしは斜交して外方に伸びる。
綴具４１０は、その枢軸部４１６が表紙体１０１０の近くで、綴杆部４１２の第１綴杆の綴杆係止部４２２及び第２綴杆の綴杆係止部４３２が遠くで、第１綴杆４２０及び第２綴杆４３０が開かれて平板状態にされた表紙体１０１０の折れ曲がった端縁の外側で、平板状態にされた表紙体１０１０の延長線、もしくは延長面の上において、並ぶ。
【０１５９】
綴具４１０は、軸受部４１４が背表紙部１０１６の外側に位置し、自由端４２０ｂ及び自由端４３０ｂ側が背表紙部１０１６の内側に位置し、第１綴具部材４１８Ａが表表紙部１０１２側に位置して、表紙体１０１０を閉じたときは、リーフ１１１０が第２綴杆４３０側に位置するように構成されている。
【０１６０】
図５５は、別の取付部を示す断面図解図であり、図５６は、別の取付部を示す表紙体の平面図解図である。
前記表紙体１０１０は、表表紙部１０１２、裏表紙部１０１４及び背表紙部１０１６のうちいずれか１つに綴具４１０を取り付けるための取付部３６４０を形成され、前記表紙体１０１０は、綴杆部４１２に綴じられたリーフ１１１０を第１綴杆４２０及び第２綴杆４３０に沿って捲り、３６０度捲りかえすことができるように、前記綴杆部４１２を構成する第１綴杆４２０及び第２綴杆４３０を開閉させるときの中心となる連結領域の長手方向に沿って手前側から向こう側に亘って連続して形成された、山折り又は谷折りに折り曲げるための折曲部１０２０を備える。
【０１６１】
表紙体１０１０に形成された取付部３６４０は、綴具４１０を取り付けるための変形部３６４４を備え、変形部３６４４は、表表紙部１０１２又は裏表紙部１０１４の一部を切り欠かれて、切り欠き部により区画された領域を表紙体１０１０の内方に向けて立ち上げて、屈曲された部位により形成されている。
変形部３６４４は、第１綴杆の綴杆係止部４２２及び第２綴杆の綴杆係止部４３２を連結領域の長手方向に移動させて脱係できるように、綴具４１０の綴杆部４１２を回動自在に嵌挿させる貫挿孔３６４８を形成されている。
この実施の形態においては、変形部３６４４は、裏表紙部１０１４に形成され、第２ヒンジ部１０２４より離れた位置において折曲部１０２０を形成され、該折曲部１０２０を屈曲部３６５０として、折曲部１０２０から背表紙部１０１６側を立ち上げて、自由端縁（背表紙部１０１６側端縁）を綴具４１０の連結領域より上に位置させる。
折曲部１０２０の一方側に形成された変形部３６４４の貫挿孔３６４８を貫挿させて、綴具４１０は、表紙体１０１０に取り付けられている。
変形部３６４４は、折曲部１０２０において表紙体１０１０の内方に向けて立ち上げて形成され、折曲部１０２０から綴具４１０の綴杆部４１２の中央に至る幅を備え、且つ、第１綴杆４２０と第２綴杆４３０との間隔よりも広い幅を備えている。
【０１６２】
変形部３６４４は、その中央に綴杆部４１２を貫挿するための貫挿孔３６４８を穿設されている。
変形部３６４４は、折曲部１０２０とは反対側の貫挿孔３６４８より内側すなわち変形部３６４４の先端及びその近傍領域を第１綴杆４２０と第２綴杆４３０との間で軸受部４１４及び枢軸部４１６の上方に位置させる。
変形部３６４４は、表紙体１０１０の内方に向けて立ち上げる、屈曲部３６５０とは離れた領域すなわち貫挿孔３６４８より離れた自由端縁側を第１綴杆４２０と第２綴杆４３０との間で軸受部４１４及び枢軸部４１６の上方に位置させる。
変形部３６４４は、綴具４１０の綴杆部４１２の数に対応した数の貫挿孔３６４８を、並列された綴杆部４１２の間隔に対応して穿設され、背表紙部１０１６とは離れた側に位置する第２綴杆４３０の半割杆４３０Ａを貫挿される。
【０１６３】
貫挿孔３６４８は、第１綴具部材４１８Ａの第１綴杆４２０を向こう側に移動させ、第１綴杆４２０の半割杆４２０Ａの第１綴杆の綴杆係止部４２２と第２綴杆４３０の半割杆４３０Ａの第２綴杆の綴杆係止部４３２との係合を外すことができるように、変形部３６４４の長手方向（すなわち枢軸部４１６の長手方向）におけるその長さを形成されている。
貫挿孔３６４８は、平面方形状又は平面視略Ｌ字状に形成される。
平面視略Ｌ字状の貫挿孔３６４８は、表紙体１０１０を閉じたときには、細い第１綴杆４２０（又は第２綴杆４３０）に位置する領域は狭い幅の孔で形成され、表紙体１０１０を開いたときには、太い枢軸部４１６（又は軸受部４１４）に位置する領域は、広い幅の孔で形成される。
【０１６４】
前記貫挿孔３６４８は、第１綴杆４２０及び第２綴杆４３０の第１綴杆の綴杆係止部４２２及び第２綴杆の綴杆係止部４３２を枢軸部４１６の長手方向に移動させて脱係できるように、隣接する貫挿孔３６４８と貫挿孔３６４８との間に間隙を設けて並んで、綴具４１０の綴杆部４１２を枢軸部４１６を中心にして開閉自在に貫挿している。
屈曲部３６５０（第１ヒンジ部１０２２及び第２ヒンジ部１０２４）と貫挿孔３６４８との間隔は、第１ヒンジ部１０２２及び第２ヒンジ部１０２４において、表表紙部１０１２と裏表紙部１０１４とを折り返し、表紙体１０１０を、内面を外側にし、外面を向き合わせて、平板状にしたときに、折曲部１０２０の外側に綴具４１０の枢軸部４１６が位置でき且つ折曲部１０２０が枢軸部４１６の外側に位置できる長さに構成されている。
又、変形部３６４４の長さは、折曲部１０２０において、表表紙部１０１２と裏表紙部１０１４とを折り返し、表紙体１０１０を、内面を外側にし、外面を向き合わせて、平板状にしたときに、折曲部１０２０の外側に綴具４１０の枢軸部４１６が位置できる長さに構成されている。
この実施の形態においては、変形部３６４４の貫挿孔３６４８を第２綴杆４３０に貫挿させて、変形部３６４４の先端側を軸受部４１４及び枢軸部４１６の上方に位置させて、綴具４１０を表紙体１０１０に取り付けられている。
綴具４１０は、表紙体１０１０の内側であって背表紙部１０１６に近い位置に取り付けられ、綴具４１０の連結領域及び枢結領域を変形部３３４４の下方であって裏表紙部１０１４の内側と変形部３３４４の下側面（外側面）との間に位置させて、背表紙部１０１６に取り付けられている。
【０１６５】
この実施の形態においては、前記表紙体１０１０は、裏表紙部１０１４の幅方向における背表紙部１０１６に近い位置に裏表紙部１０１４の高さ方向（長手方向）にのびる折曲部１０２０を形成されている。
前記取付部３６４０の貫挿孔３６４８は、表紙体１０１０を屈曲部３６５０（折曲部１０２０）において略３６０度捲りかえしたときに対向する表紙部（表表紙部１０１２、裏表紙部１０１４及び背表紙部１０１６）の間であって折曲部１０２０の近くに位置するように、綴具４１０を取り付けられる部位に形成され、屈曲部３６５０との間に綴具４１０の連結領域又は枢結領域の幅以上の間隔をおいて形成されている。
前記綴具４１０は、表紙部（表表紙部１０１２、裏表紙部１０１４及び背表紙部１０１６）の内側であって背表紙部１０１６に近い位置に位置して、第１綴具部材４１８Ａ及び第２綴具部材４１８Ｂの一方又は両方において前記貫挿孔３６４８に緩挿されて、取付部３６４０に取り付けられ、表紙体１０１０を閉じたときには、綴具４１０の綴杆部４１２が表紙部（表表紙部１０１２、裏表紙部１０１４及び背表紙部１０１６）の内面に位置し、表紙体１０１０を開いたときには、綴具４１０の綴杆部４１２が表紙部（表表紙部１０１２、裏表紙部１０１４及び背表紙部１０１６）の内面から離れて折り曲げられた折曲部１０２０の近くに位置するように形成されている。
変形部３６４４は、開かれて平板状態にされた表紙体１０１０の折れ曲がった第１ヒンジ部１０２２及び第２ヒンジ部１０２４の外側で、平板状態にされた表紙体１０１０の延長線、もしくは延長面の上において、平板状態の表紙体１０１０とほぼ平行にないしは斜交して外方に伸びる。
綴具４１０は、その枢軸部４１６が表紙体１０１０の近くで、綴杆部４１２の第１綴杆の綴杆係止部４２２及び第２綴杆の綴杆係止部４３２が遠くで、第１綴杆４２０及び第２綴杆４３０が開かれて平板状態にされた表紙体１０１０の折れ曲がった端縁の外側で、平板状態にされた表紙体１０１０の延長線、もしくは延長面の上において、並ぶ。
【０１６６】
綴具４１０は、軸受部４１４が裏表紙部１０１４側に位置し、半割杆４２０Ａの自由端４２０ｂ及び半割杆４３０Ａの自由端４３０ｂ側が表表紙部１０１２側に位置し、第１綴具部材４１８Ａが背表紙部１０１６側に位置して、表紙体１０１０を閉じたときは、リーフ１１１０が第２綴杆４３０側に位置するように構成されている。
【０１６７】
本発明は、前記実施の形態に限らず、種々変更することができる。
例えば、図５７に示すように、押圧部を備えない構成として、第１綴具部材１８Ａの手前側又は第２綴具部材１８Ｂの向こう側を押して綴杆部１２を開くように構成してもよい。
又、貫挿孔の形状も、図５８に示すように、表紙体１０１０の幅方向にのびる長方形としてもよい。
【符号の説明】
【０１６８】
１０，４１０  綴具
１２，４１２  綴杆部
１４  連結部
１６  枢結部
１８Ａ，４１８Ａ  第１綴具部材
１８Ｂ，４１８Ｂ  第２綴具部材
２０，４２０  第１綴杆
３０，４３０  第２綴杆
２０ａ，３０ａ，４２０ａ，４３０ａ  基部
２０ｂ，３０ｂ，４２０ｂ，４３０ｂ  自由端
２０Ａ，３０Ａ，４２０Ａ，４３０Ａ  半割杆
２２，４２２  第１綴杆の綴杆係止部
３２，４３２  第２綴杆の綴杆係止部
２４，４２４  第１綴杆の凸部
３４，４３４  第２綴杆の凸部
２６，４２６  第１綴杆の凹部
３６，４３６  第２綴杆の凹部
２８，３８，４２８，４３８  脱係防止部
２８ａ，３８ａ，４２８ａ，４３８ａ  係止凸部
２８ｂ，３８ｂ，４２８ｂ，４３８ｂ  係止凹部
５０  第１連結部
５０ａ  支持部
６０  第２連結部
６０ａ  支持部
５２  第１連結部の外側部
６２  第２連結部の外側部
５４  第１連結部の上側部
６４  第２連結部の上側部
５６  第１連結部の対向部
６６  第２連結部の対向部
５８  第１連結部の下側部
６８  第２連結部の下側部
７０，７２  開き角規制部
７０ａ，７２ａ，４４２ｂ，４４４ｂ，４５２ａ，４６２ａ  接合面
８０，４８０  第１受け部
９０，４９０  第２受け部
８２  第１収容部
９２  第２収容部
８４，９４，４５２，４６２  開口部
８６，９６  円弧部
１００  シャフト部
１０２，５０２  弾発部材
１０２ａ  巻線部
１０２ｂ  第１固定先端部
１０２ｃ  第２固定先端部
１１０，５１０  押圧部
１１２，５１２  第１押圧部
１１４，５１４  第２押圧部
１４０，２２４０，２３４０，２４４０，２５４０  取付部材
１４２，２２４２，２３４２，２４４２，２５４２  定形部
１４４，５４４，２２４４，２３４４，２４４４，２５４４，３１４４，３２４４，３３４４，３４４４，３５４４，３６４４  変形部
１４６，２２４６，２３４６，２４４６，２５４６  境界
１４８，５４８，２２４８，２３４８，２４４８，２５４８，３１４８，３２４８，３３４８，３４４８，３５４８，３６４８  貫挿孔
１５０，５５０，２２５０，２３５０，２５５０，３１５０，３２５０，３３５０，３４５０，３５５０，３６５０  屈曲部
４１４  軸受部
４１６  枢軸部
４４２  第１架設部
４４２ａ，４４４ａ  対向部
４４４  第２架設部
４５０  第１軸受部
４５０ａ  手前側の第１軸受部
４５０ｂ  中間の第１軸受部
４５４，４６４  軸受凹部
４５６，４６６  規制凹部
４６０  第２軸受部
４６０ａ  向こう側の第２軸受部
４６０ｂ  中間の第２軸受部
４７０  第１の開き角規制部
４７２  第２の開き角規制部
４７４  軸部回転規制部
４７６，４７８  突起部
４８２  収容部
５２０  第１軸部
５２０ａ  向こう側の第１軸部
５２０ｂ  中間の第１軸部
５３０  第２軸部
５３０ａ  手前側の第２軸部
５３０ｂ  中間の第２軸部
５４０，３１４０，３２４０，３３４０，３４４０，３５４０，３６４０  取付部
５４４Ａ，２３４４Ａ，２４４４Ａ，２５４４Ａ，３１４４Ａ，３２４４Ａ，３３４４Ａ，３４４４Ａ，３５４４Ａ  第１変形部
５４４Ｂ，２３４４Ｂ，２４４４Ｂ，２５４４Ｂ，３１４４Ｂ，３２４４Ｂ，３３４４Ｂ，３４４４Ｂ，３５４４Ｂ  第２変形部
５４８Ａ，２３４８Ａ，２４４８Ａ，２５４８Ａ，３１４８Ａ，３２４８Ａ，３３４８Ａ，３４４８Ａ，３５４８Ａ  第１貫挿孔
５４８Ｂ，２３４８Ｂ，２４４８Ｂ，２５４８Ｂ，３１４８Ｂ，３２４８Ｂ，３３４８Ｂ，３４４８Ｂ，３５４８Ｂ  第２貫挿孔
５５０Ａ，２３５０Ａ，２５５０Ａ，３１５０Ａ，３２５０Ａ，３３５０Ａ，３４５０Ａ，３５５０Ａ  第１屈曲部
５５０Ｂ，２３５０Ｂ，２５５０Ｂ，３１５０Ｂ，３２５０Ｂ，３３５０Ｂ，３４５０Ｂ，３５５０Ｂ  第２屈曲部
１０００  ノート
１０１０  表紙体
１０１２  表表紙部
１０１４  裏表紙部
１０１６  背表紙部
１０２０  折曲部
１０２０Ａ  第１折曲部
１０２０Ｂ  第２折曲部
１０２２  第１ヒンジ部
１０２４  第２ヒンジ部
１１１０  リーフ
１１１０ａ  リーフの表側
１１１０ｂ  リーフの裏側
１１１２  綴じ穴
１１１４  綴じ代側端縁
２４４２Ａ，２５４２Ａ  第１定形部
２４４２Ｂ，２５４２Ｂ  第２定形部
２４４６Ａ，２５４６Ａ  第１境界
２４４６Ｂ，２５４６Ｂ  第２境界
３５５０Ｃ  第３屈曲部
３５５０Ｄ  第４屈曲部
【図１】
0005425155.tif 000002
【図２】
0005425155.tif 000003
【図３】
0005425155.tif 000004
【図４】
0005425155.tif 000005
【図５】
0005425155.tif 000006
【図６】
0005425155.tif 000007
【図７】
0005425155.tif 000008
【図８】
0005425155.tif 000009
【図９】
0005425155.tif 000010
【図１０】
0005425155.tif 000011
【図１１】
0005425155.tif 000012
【図１２】
0005425155.tif 000013
【図１３】
0005425155.tif 000014
【図１４】
0005425155.tif 000015
【図１５】
0005425155.tif 000016
【図１６】
0005425155.tif 000017
【図１７】
0005425155.tif 000018
【図１８】
0005425155.tif 000019
【図１９】
0005425155.tif 000020
【図２０】
0005425155.tif 000021
【図２１】
0005425155.tif 000022
【図２２】
0005425155.tif 000023
【図２３】
0005425155.tif 000024
【図２４】
0005425155.tif 000025
【図２５】
0005425155.tif 000026
【図２６Ａ】
0005425155.tif 000027
【図２６Ｂ】
0005425155.tif 000028
【図２７Ａ】
0005425155.tif 000029
【図２７Ｂ】
0005425155.tif 000030
【図２８Ａ】
0005425155.tif 000031
【図２８Ｂ】
0005425155.tif 000032
【図２８Ｃ】
0005425155.tif 000033
【図２９Ａ】
0005425155.tif 000034
【図２９Ｂ】
0005425155.tif 000035
【図３０】
0005425155.tif 000036
【図３１Ａ】
0005425155.tif 000037
【図３１Ｂ】
0005425155.tif 000038
【図３２】
0005425155.tif 000039
【図３３】
0005425155.tif 000040
【図３４】
0005425155.tif 000041
【図３５】
0005425155.tif 000042
【図３６】
0005425155.tif 000043
【図３７】
0005425155.tif 000044
【図３８】
0005425155.tif 000045
【図３９Ａ】
0005425155.tif 000046
【図３９Ｂ】
0005425155.tif 000047
【図３９Ｃ】
0005425155.tif 000048
【図４０】
0005425155.tif 000049
【図４１】
0005425155.tif 000050
【図４２Ａ】
0005425155.tif 000051
【図４２Ｂ】
0005425155.tif 000052
【図４２Ｃ】
0005425155.tif 000053
【図４３】
0005425155.tif 000054
【図４４】
0005425155.tif 000055
【図４５】
0005425155.tif 000056
【図４６】
0005425155.tif 000057
【図４７】
0005425155.tif 000058
【図４８】
0005425155.tif 000059
【図４９】
0005425155.tif 000060
【図５０】
0005425155.tif 000061
【図５１】
0005425155.tif 000062
【図５２】
0005425155.tif 000063
【図５３】
0005425155.tif 000064
【図５４】
0005425155.tif 000065
【図５５】
0005425155.tif 000066
【図５６】
0005425155.tif 000067
【図５７】
0005425155.tif 000068
【図５８】
0005425155.tif 000069
【図５９】
0005425155.tif 000070
【図６０】
0005425155.tif 000071